(57)【要約】      （修正有）【課題】悪意のあるソフトウェアなどの要因によりもたらされる不要なデータトラフィック損失を回避するためのデータサービス制御方法および関連するデバイスを提供する。【解決手段】ＰＧＷがＵＥのデータサービススイッチのステータスを判断する段階と、データサービススイッチのステータスが、データサービススイッチがオフにされている場合において、ＰＧＷは、ＵＥから来るか、またはＵＥへ向かう第１のデータパケットを受信した後に、第１のデータパケットが指定されたタイプに属するかどうかを判断する段階と、第１のデータパケットが指定されたタイプに属する場合、ＰＧＷが第１のデータパケットを転送する段階、または第１のデータパケットが指定されたタイプに属さない場合、ＰＧＷが第１のデータパケットを破棄する段階と、を含む。【選択図】図2a
2020061757.tif 000002
【特許請求の範囲】
【請求項１】
データサービス制御方法であって、
パケットデータネットワークゲートウェイＰＧＷが、ユーザ機器ＵＥから来るか、または前記ユーザ機器ＵＥへ向かう第１のデータパケットを受信した後に、前記第１のデータパケットを転送する段階と、
前記ＰＧＷが、前記第１のデータパケットが指定されたタイプに属するかどうかを判断する段階と、
前記第１のデータパケットが前記指定されたタイプに属する場合、前記ＰＧＷが、前記第１のデータパケットに従って生成された課金データ記録ＣＤＲに第４の指示情報を追加する段階であって、前記第４の指示情報は、前記第１のデータパケットに課金しないよう課金システムに命令するために用いられる、段階と
を備える方法。
【請求項２】
前記ＰＧＷが、前記第１のデータパケットが指定されたタイプに属するかどうかを判断する前記段階は、前記ＰＧＷが、前記第１のデータパケットが、
前記ＵＥによりＩＭＳアクセスポイント名ＡＰＮに対応するパケットデータネットワークＰＤＮネットワークへ送信されるアップリンクデータパケットまたはＩＭＳ  ＡＰＮに対応するＰＤＮネットワークにより前記ＵＥへ送信されるダウンリンクデータパケットと、
指定されたサービスサーバのアドレスから来て前記ＵＥへ向かうデータパケットと、
ＩＰアドレスを管理するために用いられるデータパケットと、
指定されたサービスタイプのデータパケットと
のうちの１つまたは複数を含むかどうかを判断する段階を有する、請求項１に記載の方法。
【請求項３】
前記ＰＧＷが、前記第１のデータパケットが指定されたサービスタイプのデータパケットであるかどうかを判断する前記段階は、
前記ＰＧＷが、前記第１のデータパケットに対してディープパケットインスペクションＤＰＩを実行し、前記第１のデータパケットが前記指定されたサービスタイプの前記データパケットであるかどうかを判断する段階、または
前記ＰＧＷが、前記第１のデータパケットに含まれるサービスタイプ指示情報に基づいて、前記第１のデータパケットが前記指定されたサービスタイプの前記データパケットであるかどうかを判断する段階を有する、請求項２に記載の方法。
【請求項４】
前記ＰＧＷが前記第１のデータパケットを転送する前記段階の前に、
前記ＰＧＷが、前記ユーザ機器ＵＥのデータサービススイッチのステータスが、前記データサービススイッチがオフにされている、ということであると判断する段階をさらに備える、請求項１から３に記載の方法。
【請求項５】
前記ＰＧＷが、前記ユーザ機器ＵＥのデータサービススイッチのステータスが、前記データサービススイッチがオフにされている、ということであると判断する前記段階の後に、
前記ＰＧＷが、前記第１のデータパケットに従って生成された前記課金データ記録ＣＤＲに第１の指示情報を追加する段階であって、前記第１の指示情報は、前記ＵＥの前記データサービススイッチがオフにされていることを前記課金システムに通知するために用いられる、段階をさらに備える、請求項４に記載の方法。
【請求項６】
データサービス制御方法であって、
ＵＥがサービス確立メッセージをモビリティ管理エンティティＭＭＥへ送信する段階であって、前記サービス確立メッセージは、データサービススイッチステータス指示情報および／またはサービス登録ステータス指示情報を含み、前記データサービススイッチステータス指示情報は、前記ＵＥのデータサービススイッチのステータスをＰＧＷに示すために用いられ、前記サービス登録ステータス指示情報は、前記ＵＥのサービス登録ステータスを示すために用いられ、前記データサービススイッチの前記ステータスは、前記データサービススイッチがオンにされている、または、前記データサービススイッチがオフにされている、ということを含む、段階
を備える方法。
【請求項７】
前記ＵＥの前記サービス登録ステータスは、ＣＳＦＢ複合登録のみの状態、ＩＭＳ登録状態、またはＥＰＳ登録のみの状態を含み、前記ＣＳＦＢ複合登録のみの状態は、登録プロセスにおいて、前記ＵＥが回線交換ＣＳネットワークおよびＥＰＳネットワークの両方に登録されているが、ＩＭＳネットワークには登録されていない状態を含む、請求項６に記載の方法。
【請求項８】
ＵＥがサービス確立メッセージをＭＭＥへ送信する前記段階は、
前記ＵＥが、前記データサービススイッチの前記ステータスが変わったと判断した場合、前記ＵＥが、前記データサービススイッチステータス指示情報を含む前記サービス確立メッセージを前記ＭＭＥへ送信する段階、または
前記ＵＥが、前記サービス登録ステータスが変わったと判断した場合、前記ＵＥが、前記サービス登録ステータス指示情報を含む前記サービス確立メッセージを前記ＭＭＥへ送信する段階、または
前記ＵＥが、前記データサービススイッチの前記ステータスおよび前記サービス登録ステータスの両方が変わったと判断した場合、前記ＵＥが、前記データサービススイッチステータス指示情報および前記サービス登録ステータス指示情報を含む前記サービス確立メッセージを前記ＭＭＥへ送信する段階を有する、請求項６または７に記載の方法。
【請求項９】
ＵＥが、サービス確立メッセージをＭＭＥへ送信する前記段階は、
前記ＵＥが、デフォルトＡＰＮ  ＰＤＮ接続が正常に確立されていると判断し、ＣＳＦＢ複合登録が完了していると判断した場合、前記ＵＥが、前記サービス確立メッセージを前記ＭＭＥへ送信する段階であって、前記サービス確立メッセージは、前記サービス登録ステータス指示情報を含み、前記サービス登録ステータス指示情報は、前記ＵＥの前記サービス登録ステータスが前記ＣＳＦＢ複合登録のみの状態であることを示すために用いられる、段階を有する、請求項６または７に記載の方法。
【請求項１０】
ＵＥがサービス確立メッセージをＭＭＥへ送信する前記段階は、
前記ＵＥが、ＩＭＳ  ＡＰＮ  ＰＤＮ接続が正常に確立されていると判断し、ＩＭＳ登録が成功していると判断した場合、前記ＵＥが前記サービス確立メッセージを前記ＭＭＥへ送信する段階であって、前記サービス確立メッセージは、前記サービス登録ステータス指示情報を含み、前記サービス登録ステータス指示情報は、前記ＵＥの前記サービス登録ステータスが前記ＩＭＳ登録状態であることを示すために用いられる、段階を有する、請求項６または７に記載の方法。
【請求項１１】
前記サービス確立メッセージは、プロトコル構成オプションＰＣＯを含み、前記ＰＣＯは、前記データサービススイッチステータス指示情報および／または前記サービス登録ステータス指示情報を含む、請求項６から１０のいずれか一項に記載の方法。
【請求項１２】
前記サービス確立メッセージは、アタッチ要求メッセージ、ベアラリソース変更メッセージおよびＰＤＮ接続確立要求メッセージのうちの１つまたは複数を含み、前記アタッチ要求メッセージは、前記データサービススイッチステータス指示情報を含み、前記ベアラリソース変更メッセージは、前記データサービススイッチステータス指示情報および／または前記サービス登録ステータス指示情報を含み、前記ＰＤＮ接続確立要求メッセージは、前記データサービススイッチステータス指示情報および／または前記サービス登録ステータス指示情報を含む、請求項６から１１のいずれか一項に記載の方法。
【請求項１３】
前記ＵＥがロングタームエボリューションネットワークから２／３Ｇネットワークに移る場合、前記ＵＥが前記２／３Ｇネットワークにアクセスする段階と、
前記ＵＥが、前記ＵＥの前記データサービススイッチの前記ステータスが、前記データサービススイッチがオフにされている、ということであると判断した場合、前記ＵＥが、前記ＵＥのＰＤＰコンテキストを削除するために、パケットデータプロトコルＰＤＰ非アクティブ化メッセージを前記２／３ＧネットワークのサービングＧＰＲＳサポートノードＳＧＳＮへ送信する段階、または
前記ＵＥが、ルーティングエリア更新メッセージを前記２／３ＧネットワークのサービングＧＰＲＳサポートノードＳＧＳＮへ送信する段階であって、前記ルーティングエリア更新メッセージは、前記ＵＥの前記データサービススイッチの前記ステータスを保持する、段階とをさらに備える、請求項６に記載の方法。
【請求項１４】
前記ＵＥが前記２／３Ｇネットワークから前記ロングタームエボリューションネットワークに移る場合、前記ＵＥが前記ロングタームエボリューションネットワークにアクセスする段階と、
前記ＵＥが、前記ＵＥの前記データサービススイッチの前記ステータスが、前記データサービススイッチがオフにされている、ということであると判断した場合、前記ＵＥがアタッチメッセージを前記ＭＭＥへ送信する段階とをさらに備える、請求項１３に記載の方法。
【請求項１５】
データサービス制御方法であって、
パケットデータネットワークゲートウェイＰＧＷがユーザ機器ＵＥのデータサービススイッチのステータスを判断する段階であって、前記データサービススイッチの前記ステータスは、前記データサービススイッチがオンにされている、または、前記データサービススイッチがオフにされている、ということを含む、段階と、
前記データサービススイッチの前記ステータスが、前記データサービススイッチがオフにされている、ということであり、前記ＰＧＷが、前記ＵＥから来るか、または前記ＵＥへ向かう第１のデータパケットを受信した後に、前記ＰＧＷが前記第１のデータパケットを転送する段階と、
前記ＰＧＷが、前記第１のデータパケットに従って生成された課金データ記録ＣＤＲに第１の指示情報を追加する段階であって、前記第１の指示情報は、前記ＵＥの前記データサービススイッチがオフにされていることを課金システムに通知するために用いられる、段階と
を備える方法。
【請求項１６】
前記ＰＧＷが前記第１のデータパケットを転送する前記段階の前に、
前記ＰＧＷが、前記ＵＥのサービス登録ステータスはＩＭＳ登録状態であると判断する段階をさらに備える、請求項１５に記載の方法。
【請求項１７】
前記ＰＧＷが、前記第１のデータパケットに従って生成された課金データ記録ＣＤＲに第１の指示情報を追加する段階であって、前記第１の指示情報は、前記ＵＥの前記データサービススイッチがオフにされていることを課金システムに通知するために用いられる、前記段階の後に、
前記データサービススイッチの前記ステータスが、前記データサービススイッチがオンにされている、ということであり、前記ＰＧＷが、前記ＵＥから来るか、または前記ＵＥへ向かう第２のデータパケットを受信した後に、前記ＰＧＷが前記第２のデータパケットを転送し、前記第２のデータパケットに従って生成されたＣＤＲに第２の指示情報を追加する段階であって、前記第２の指示情報は、前記ＵＥの前記データサービススイッチがオンにされていることを前記課金システムに通知するために用いられる、段階をさらに備える、請求項１５または１６に記載の方法。
【請求項１８】
データサービス制御方法であって、
パケットデータネットワークゲートウェイＰＧＷがユーザ機器ＵＥのデータサービススイッチのステータスを判断する段階であって、前記データサービススイッチの前記ステータスは、前記データサービススイッチがオンにされている、または、前記データサービススイッチがオフにされている、ということを含む、段階と、
前記データサービススイッチの前記ステータスが、前記データサービススイッチがオフにされている、ということであり、前記ＰＧＷが、前記ＵＥから来るか、または前記ＵＥへ向かう第１のデータパケットを受信した後に、前記ＰＧＷが、前記第１のデータパケットが指定されたタイプに属するかどうかを判断する段階と、
前記第１のデータパケットが前記指定されたタイプに属する場合、前記ＰＧＷが前記第１のデータパケットを転送する段階、または前記第１のデータパケットが前記指定されたタイプに属さない場合、前記ＰＧＷが前記第１のデータパケットを破棄する段階と
を備える方法。
【請求項１９】
前記ＰＧＷが、前記第１のデータパケットが指定されたタイプに属するかどうかを判断する前記段階の前に、
前記ＰＧＷが、前記ＵＥのサービス登録ステータスがＩＰマルチメディアサブシステムＩＭＳ登録状態であるかどうかを判断する段階と、前記ＰＧＷが、前記ＵＥの前記サービス登録ステータスが前記ＩＭＳ登録状態であると判断した場合、前記ＰＧＷが、前記第１のデータパケットが前記指定されたタイプに属するかどうかを判断する段階をさらに備える、請求項１８に記載の方法。
【請求項２０】
前記ＵＥの前記サービス登録ステータスが前記ＩＭＳ登録状態であると前記ＰＧＷが判断した後に、
前記ＵＥの前記データサービススイッチの前記ステータスが、前記データサービススイッチがオフにされている、ということである場合、前記ＰＧＷが第１のステータス通知メッセージをＩＰマルチメディアサブシステムＩＭＳネットワークへ送信する段階であって、前記第１のステータス通知メッセージは、前記ＵＥの前記データサービススイッチの前記ステータスが、前記データサービススイッチがオフにされている、ということであると前記ＩＭＳネットワークに通知するために用いられる、段階をさらに備える、請求項１９に記載の方法。
【請求項２１】
前記ＰＧＷが前記第１のデータパケットを転送する前記段階の後に、
前記ＰＧＷが、前記ＵＥの前記データサービススイッチの前記ステータスが、前記データサービススイッチがオフにされている、ということであると課金システムに通知する段階をさらに備える、請求項１８から２０のいずれか一項に記載の方法。
【請求項２２】
前記ＰＧＷが、前記ＵＥの前記データサービススイッチの前記ステータスが、前記データサービススイッチがオフにされている、ということであると課金システムに通知する前記段階は、
前記ＰＧＷが、前記第１のデータパケットに従って生成された課金データ記録ＣＤＲに第１の指示情報を追加する段階であって、前記第１の指示情報は、前記ＵＥの前記データサービススイッチがオフにされている、ということであると前記課金システムに通知するために用いられる、段階、または
前記ＰＧＷが、第１のクレジット制御要求ＣＣＲメッセージにおいて、前記ＵＥの前記データサービススイッチがオフにされていることを前記課金システムに通知する段階を有する、請求項２１に記載の方法。
【請求項２３】
前記ＰＧＷが、前記第１のデータパケットが指定されたタイプに属するかどうかを判断する前記段階は、前記ＰＧＷが、前記第１のデータパケットが、
前記ＵＥによりＩＭＳアクセスポイント名ＡＰＮに対応するパケットデータネットワークＰＤＮネットワークへ送信されるアップリンクデータパケットまたはＩＭＳ  ＡＰＮに対応するＰＤＮネットワークにより前記ＵＥへ送信されるダウンリンクデータパケットと、
指定されたサービスサーバのアドレスから来て前記ＵＥへ向かうデータパケットと、
ＩＰアドレスを管理するために用いられるデータパケットと、
指定されたサービスタイプのデータパケットと
のうちの１つまたは複数を含むかどうかを判断する段階を有する、請求項１８から２２のいずれか一項に記載の方法。
【請求項２４】
前記ＰＧＷが、前記第１のデータパケットが指定されたサービスタイプのデータパケットであるかどうかを判断する前記段階は、
前記ＰＧＷが、前記第１のデータパケットに対してディープパケットインスペクションＤＰＩを実行し、前記第１のデータパケットが前記指定されたサービスタイプの前記データパケットであるかどうかを判断する段階、または
前記ＰＧＷが、前記第１のデータパケットに含まれるサービスタイプ指示情報に基づいて、前記第１のデータパケットが前記指定されたサービスタイプの前記データパケットであるかどうかを判断する段階を有する、請求項２３に記載の方法。
【請求項２５】
前記第１のデータパケットが前記指定されたタイプに属する場合、前記ＰＧＷが前記第１のデータパケットを転送する前記段階、または前記第１のデータパケットが前記指定されたタイプに属さない場合、前記ＰＧＷが前記第１のデータパケットを破棄する段階の後に、
前記データサービススイッチの前記ステータスが、前記データサービススイッチがオンにされている、ということであり、前記ＰＧＷが、前記ＵＥから来るか、または前記ＵＥへ向かう第２のデータパケットを受信した後に、前記ＰＧＷが前記第２のデータパケットを転送する段階をさらに備える、請求項１８から２４のいずれか一項に記載の方法。
【請求項２６】
前記ＵＥの前記サービス登録ステータスが前記ＩＭＳ登録状態であると前記ＰＧＷが判断した後に、
前記ＵＥの前記データサービススイッチの前記ステータスが、前記データサービススイッチがオンにされている、ということである場合、前記ＰＧＷが第２のステータス通知メッセージを前記ＩＰマルチメディアサブシステムＩＭＳネットワークへ送信する段階であって、前記第２のステータス通知メッセージは、前記ＵＥの前記データサービススイッチの前記ステータスが、前記データサービススイッチがオンにされている、ということであると前記ＩＭＳネットワークに通知するために用いられる、段階をさらに備える、請求項２５に記載の方法。
【請求項２７】
前記ＰＧＷが前記第２のデータパケットを転送する前記段階の後に、
前記ＰＧＷが、前記ＵＥの前記データサービススイッチの前記ステータスが、前記データサービススイッチがオンにされている、ということであると前記課金システムに通知する段階をさらに備える、請求項２５または２６に記載の方法。
【請求項２８】
前記ＰＧＷが、前記ＵＥの前記データサービススイッチの前記ステータスが、前記データサービススイッチがオンにされている、ということであると前記課金システムに通知する前記段階は、
前記ＰＧＷが、前記第２のデータパケットに従って生成された課金データ記録ＣＤＲに第２の指示情報を追加する段階であって、前記第２の指示情報は、前記ＵＥの前記データサービススイッチがオンにされていることを前記課金システムに通知するために用いられる、段階、または
前記ＰＧＷが、第２のクレジット制御要求ＣＣＲメッセージにおいて、前記ＵＥの前記データサービススイッチがオンにされていることを前記課金システムに通知する段階を有する、請求項２７に記載の方法。
【請求項２９】
前記ＰＧＷが、前記第１のデータパケットに従って生成された課金データ記録ＣＤＲに第１の指示情報を追加する前記段階であって、前記第１の指示情報は、前記ＵＥの前記データサービススイッチがオフにされていることを前記課金システムに通知するために用いられる、前記段階の後に、
前記データサービススイッチの前記ステータスが、前記データサービススイッチがオンにされている、ということであり、前記ＰＧＷが、前記ＵＥから来るか、または前記ＵＥへ向かう第３のデータパケットを受信した後に、前記ＰＧＷが前記第３のデータパケットを転送し、前記第３のデータパケットに従って生成されたＣＤＲに第３の指示情報を追加する段階であって、前記第３の指示情報は、前記ＵＥの前記データサービススイッチがオンにされていることを前記課金システムに通知するために用いられる、段階をさらに備える、請求項２２から２８のいずれか一項に記載の方法。
【請求項３０】
ＰＧＷがＵＥのデータサービススイッチのステータスを判断する前記段階は、
前記ＰＧＷが、モビリティ管理エンティティＭＭＥにより送信されたプロトコル構成オプションＰＣＯを受信する段階であって、前記ＰＣＯは、データサービススイッチステータス指示情報を含み、前記データサービススイッチステータス指示情報は、前記ＵＥの前記データサービススイッチの前記ステータスを示すために用いられる、段階を有する、請求項１８から２９のいずれか一項に記載の方法。
【請求項３１】
前記ＰＧＷが、前記ＵＥのサービス登録ステータスがＩＭＳ登録状態であるかどうかを判断する前記段階は、
前記ＰＧＷが、前記モビリティ管理エンティティＭＭＥにより送信されたプロトコル構成オプションＰＣＯを受信する段階であって、前記ＰＣＯは、サービス登録ステータス指示情報を含み、前記サービス登録ステータス指示情報は、前記ＵＥの前記サービス登録ステータスを示すために用いられる、段階を有する、請求項１９から３０のいずれか一項に記載の方法。
【請求項３２】
データサービス制御方法であって、
パケットデータネットワークゲートウェイＰＧＷがユーザ機器ＵＥのデータサービススイッチのステータスを判断する段階であって、前記データサービススイッチの前記ステータスは、前記データサービススイッチがオンにされている、または、前記データサービススイッチがオフにされている、ということを含む、段階と、
前記データサービススイッチの前記ステータスが、前記データサービススイッチがオフにされている、ということであり、前記ＰＧＷが、前記ＵＥから来るか、または前記ＵＥへ向かう第１のデータパケットを受信した後に、前記ＰＧＷが、前記ＵＥのサービス登録ステータスが回線交換フォールバックＣＳＦＢ複合登録のみの状態であるか、または進化型パケットシステムＥＰＳ登録のみの状態であるかを判断する段階であって、前記ＣＳＦＢ複合登録のみの状態は、前記ＵＥが回線交換ＣＳネットワークおよびＥＰＳネットワークの両方に登録されているが、ＩＰマルチメディアサブシステムＩＭＳネットワークには登録されていない状態を含む、段階と、
前記ＵＥの前記サービス登録ステータスが前記ＣＳＦＢ複合登録のみの状態または前記ＥＰＳ登録のみの状態である場合、前記ＰＧＷが前記第１のデータパケットを破棄する段階と
を備える方法。
【請求項３３】
前記ＰＧＷが、前記ＵＥのサービス登録ステータスがＣＳＦＢ複合登録のみの状態であるか、またはＥＰＳ登録のみの状態であるかを判断する前記段階は、
前記ＰＧＷが、前記第１のデータパケットは、ＩＰアドレスを管理するために用いられるデータパケットではないと判断した場合、前記ＰＧＷが、前記ＵＥの前記サービス登録ステータスが前記ＣＳＦＢ複合登録のみの状態であるか、または前記ＥＰＳ登録のみの状態であるかを判断する段階を有する、請求項３２に記載の方法。
【請求項３４】
前記ＰＧＷが、前記ＵＥのサービス登録ステータスがＣＳＦＢ複合登録のみの状態であるか、またはＥＰＳ登録のみの状態であるかを判断する前記段階は、
前記ＰＧＷが、ＭＭＥにより送信されたＰＣＯを受信する段階であって、前記ＰＣＯは、サービス登録ステータス指示情報を含む、段階と、前記ＰＧＷが、前記ＵＥが前記ＣＳＦＢ複合登録のみの状態または前記ＥＰＳ登録のみの状態にあることを前記サービス登録ステータス指示情報が示しているかどうかを判断する、段階とを有する、請求項３２または３３に記載の方法。
【請求項３５】
ＰＧＷがＵＥのデータサービススイッチのステータスを判断する前記段階は、
前記ＰＧＷが、前記ＭＭＥにより送信されたＰＣＯを受信する段階であって、前記ＰＣＯは、データサービススイッチステータス指示情報を含み、前記データサービススイッチステータス指示情報は、前記ＵＥの前記データサービススイッチの前記ステータスを示すために用いられる、段階を有する、請求項３２から３４のいずれか一項に記載の方法。
【請求項３６】
プロセッサおよびネットワークインタフェースを備え、
前記ネットワークインタフェースは、ユーザ機器ＵＥから来るか、または前記ユーザ機器ＵＥへ向かう第１のデータパケットを受信するように構成され、
前記プロセッサは、前記第１のデータパケットを転送するように構成され、
前記プロセッサはさらに、前記第１のデータパケットが指定されたタイプに属するかどうかを判断するように構成され、
前記プロセッサはさらに、前記第１のデータパケットが前記指定されたタイプに属する場合、前記第１のデータパケットに従って生成された課金データ記録ＣＤＲに第４の指示情報を追加するように構成され、前記第４の指示情報は、前記第１のデータパケットに課金しないよう課金システムに命令するために用いられる、
ＰＧＷ。
【請求項３７】
前記第１のデータパケットが前記指定されたタイプに属するかどうかを判断するために前記プロセッサにより用いられる方式は具体的には、前記プロセッサが、前記第１のデータパケットが、
前記ＵＥによりＩＭＳアクセスポイント名ＡＰＮに対応するパケットデータネットワークＰＤＮネットワークへ送信されるアップリンクデータパケットまたはＩＭＳ  ＡＰＮに対応するＰＤＮネットワークにより前記ＵＥへ送信されるダウンリンクデータパケットと、
指定されたサービスサーバのアドレスから来て前記ＵＥへ向かうデータパケットと、
ＩＰアドレスを管理するために用いられるデータパケットと、
指定されたサービスタイプのデータパケットと
のうちの１つまたは複数を含むかどうかを判断することである、請求項３６に記載のＰＧＷ。
【請求項３８】
前記第１のデータパケットが前記指定されたサービスタイプの前記データパケットであるかどうかを判断するために前記プロセッサにより用いられる方式は具体的には、
前記プロセッサが、前記第１のデータパケットに対してディープパケットインスペクションＤＰＩを実行し、前記第１のデータパケットが前記指定されたサービスタイプの前記データパケットであるかどうかを判断すること、または
前記プロセッサが、前記第１のデータパケットに含まれるサービスタイプ指示情報に基づいて、前記第１のデータパケットが前記指定されたサービスタイプの前記データパケットであるかどうかを判断することである、請求項３７に記載のＰＧＷ。
【請求項３９】
前記プロセッサはさらに、前記第１のデータパケットを転送する前に、前記ユーザ機器ＵＥのデータサービススイッチのステータスが、前記データサービススイッチがオフにされている、ということであると判断するように構成される、請求項３６から３８のいずれか一項に記載のＰＧＷ。
【請求項４０】
前記プロセッサはさらに、前記ユーザ機器ＵＥの前記データサービススイッチの前記ステータスが、前記データサービススイッチがオフにされている、ということであると判断した後に、前記第１のデータパケットに従って生成された課金データ記録ＣＤＲに第１の指示情報を追加するように構成され、前記第１の指示情報は、前記ＵＥの前記データサービススイッチがオフにされていることを前記課金システムに通知するために用いられる、請求項３９に記載のＰＧＷ。
【請求項４１】
ＵＥであって、プロセッサおよびネットワークインタフェースを備え、
前記ネットワークインタフェースは、サービス確立メッセージをＭＭＥへ送信するように構成され、
前記プロセッサは、前記ネットワークインタフェースを用いることにより前記サービス確立メッセージを前記ＭＭＥへ送信するように構成され、
前記サービス確立メッセージは、データサービススイッチステータス指示情報および／またはサービス登録ステータス指示情報を含み、前記データサービススイッチステータス指示情報は、前記ＵＥのデータサービススイッチのステータスをＰＧＷに示すために用いられ、前記サービス登録ステータス指示情報は、前記ＵＥのサービス登録ステータスを示すために用いられ、前記データサービススイッチの前記ステータスは、前記データサービススイッチがオンにされている、または、前記データサービススイッチがオフにされている、ということを含む、
ＵＥ。
【請求項４２】
前記ＵＥの前記サービス登録ステータスは、ＣＳＦＢ複合登録のみの状態、ＩＭＳ登録状態、またはＥＰＳ登録のみの状態を含み、前記ＣＳＦＢ複合登録のみの状態は、登録プロセスにおいて、前記ＵＥが回線交換ＣＳネットワークおよびＥＰＳネットワークの両方に登録されているが、ＩＭＳネットワークには登録されていない状態を含む、請求項４１に記載のＵＥ。
【請求項４３】
前記プロセッサはさらに、前記ＵＥの前記データサービススイッチの前記ステータスが変わったかどうかを判断するように構成され、前記プロセッサはさらに、前記ＵＥの前記サービス登録ステータスが変わったかどうかを判断するように構成され、
前記プロセッサが前記ネットワークインタフェースを用いることにより前記サービス確立メッセージを前記ＭＭＥへ送信することは具体的には、
前記プロセッサが、前記データサービススイッチの前記ステータスが変わったと判断した場合、前記プロセッサが、前記ネットワークインタフェースを用いることにより、前記データサービススイッチステータス指示情報を含む前記サービス確立メッセージを前記ＭＭＥへ送信すること、または
前記プロセッサが、前記サービス登録ステータスが変わったと判断した場合、前記プロセッサが、前記ネットワークインタフェースを用いることにより、前記サービス登録ステータス指示情報を含む前記サービス確立メッセージを前記ＭＭＥへ送信すること、または
前記プロセッサが、前記データサービススイッチの前記ステータスおよび前記サービス登録ステータスの両方が変わったと判断した場合、前記プロセッサが、前記ネットワークインタフェースを用いることにより、前記データサービススイッチステータス指示情報および前記サービス登録ステータス指示情報を含む前記サービス確立メッセージを前記ＭＭＥへ送信することである、請求項４１または４２に記載のＵＥ。
【請求項４４】
前記プロセッサはさらに、デフォルトＡＰＮ  ＰＤＮ接続が正常に確立されているかどうかを判断するように構成され、前記プロセッサはさらに、ＣＳＦＢ複合登録が完了しているかどうかを判断するように構成され、
前記プロセッサが、前記ネットワークインタフェースを用いることにより前記サービス確立メッセージを前記ＭＭＥへ送信することは具体的には、
前記プロセッサが、前記デフォルトＡＰＮ  ＰＤＮ接続が正常に確立されていると判断し、前記ＣＳＦＢ複合登録が完了していると判断した場合、前記プロセッサが、前記ネットワークインタフェースを用いることにより前記サービス確立メッセージを前記ＭＭＥへ送信することであって、前記サービス確立メッセージは、前記サービス登録ステータス指示情報を含み、前記サービス登録ステータス指示情報は、前記ＵＥの前記サービス登録ステータスは、前記ＣＳＦＢ複合登録のみの状態であることを示すために用いられる、送信することである、請求項４１または４２に記載のＵＥ。
【請求項４５】
前記プロセッサはさらに、ＩＭＳ  ＡＰＮ  ＰＤＮ接続が正常に確立されているかどうかを判断するように構成され、前記プロセッサはさらに、ＩＭＳ登録が成功しているかどうかを判断するように構成され、
前記プロセッサが、前記ネットワークインタフェースを用いることにより前記サービス確立メッセージを前記ＭＭＥへ送信することは具体的には、
前記プロセッサが、前記ＩＭＳ  ＡＰＮ  ＰＤＮ接続が正常に確立されていると判断し、前記ＩＭＳ登録が成功していると判断した場合、前記プロセッサが、前記ネットワークインタフェースを用いることにより前記サービス確立メッセージを前記ＭＭＥへ送信することであって、前記サービス確立メッセージは、前記サービス登録ステータス指示情報を含み、前記サービス登録ステータス指示情報は、前記ＵＥの前記サービス登録ステータスが前記ＩＭＳ登録状態であることを示すために用いられる、送信することである、請求項４１または４２に記載のＵＥ。
【請求項４６】
前記プロセッサはさらに、前記ＵＥがロングタームエボリューションネットワークから２／３Ｇネットワークに移る場合、前記ネットワークインタフェースを用いることにより前記２／３Ｇネットワークにアクセスするように構成され、
前記プロセッサはさらに、前記ＵＥの前記データサービススイッチの前記ステータスが、前記データサービススイッチがオフにされている、ということであると判断した場合、前記ＵＥのＰＤＰコンテキストを削除するために、前記ネットワークインタフェースを用いることによりパケットデータプロトコルＰＤＰ非アクティブ化メッセージを前記２／３ＧネットワークのサービングＧＰＲＳサポートノードＳＧＳＮへ送信するように構成されるか、または
前記プロセッサはさらに、前記ネットワークインタフェースを用いることによりルーティングエリア更新メッセージを前記２／３ＧネットワークのサービングＧＰＲＳサポートノードＳＧＳＮへ送信するように構成され、前記ルーティングエリア更新メッセージは、前記ＵＥの前記データサービススイッチの前記ステータスを保持する、請求項４１に記載のＵＥ。
【請求項４７】
前記プロセッサはさらに、前記ＵＥが前記２／３Ｇネットワークから前記ロングタームエボリューションネットワークに移る場合、前記ネットワークインタフェースを用いることにより前記ロングタームエボリューションネットワークにアクセスするように構成され、
前記プロセッサはさらに、前記ＵＥの前記データサービススイッチの前記ステータスが、前記データサービススイッチがオフにされている、ということであると判断した場合、前記ネットワークインタフェースを用いることによりアタッチメッセージを前記ＭＭＥへ送信するように構成される、請求項４６に記載のＵＥ。
【請求項４８】
プロセッサおよびネットワークインタフェースを備え、
前記ネットワークインタフェースは、ＵＥから来るか、または前記ＵＥへ向かう第１のデータパケットを受信するように構成され、
前記プロセッサは、前記ユーザ機器ＵＥのデータサービススイッチのステータスを判断するように構成され、前記データサービススイッチの前記ステータスは、前記データサービススイッチがオンにされている、または、前記データサービススイッチがオフにされている、ということを含み、
前記プロセッサはさらに、前記データサービススイッチの前記ステータスが、前記データサービススイッチがオフにされている、ということであり、前記ネットワークインタフェースが、前記ＵＥから来るか、または前記ＵＥへ向かう前記第１のデータパケットを受信した後に、前記第１のデータパケットを転送し、前記第１のデータパケットに従って生成された課金データ記録ＣＤＲに第１の指示情報を追加するように構成され、前記第１の指示情報は、前記ＵＥの前記データサービススイッチがオフにされていることを前記課金システムに通知するために用いられる、
ＰＧＷ。
【請求項４９】
前記プロセッサはさらに、前記第１のデータパケットを転送する前に、前記ＵＥのサービス登録ステータスはＩＭＳ登録状態であることを判断するように構成される、請求項４８に記載のＰＧＷ。
【請求項５０】
前記ネットワークインタフェースはさらに、前記ＵＥから来るか、または前記ＵＥへ向かう第２のデータパケットを受信するように構成され、
前記プロセッサはさらに、前記データサービススイッチの前記ステータスが、前記データサービススイッチがオンにされている、ということであり、前記ネットワークインタフェースが、前記ＵＥから来るか、または前記ＵＥへ向かう前記第２のデータパケットを受信した後に、前記第２のデータパケットを転送し、前記第２のデータパケットに従って生成されたＣＤＲに第２の指示情報を追加するように構成され、前記第２の指示情報は、前記ＵＥの前記データサービススイッチがオンにされていることを前記課金システムに通知するために用いられる、請求項４９に記載のＰＧＷ。
【請求項５１】
プロセッサおよびネットワークインタフェースを備え、
前記ネットワークインタフェースは、ＵＥから来るか、または前記ＵＥへ向かう第１のデータパケットを受信するように構成され、
前記プロセッサは、前記ユーザ機器ＵＥのデータサービススイッチのステータスを判断するように構成され、前記データサービススイッチの前記ステータスは、前記データサービススイッチがオンにされている、または、前記データサービススイッチがオフにされている、ということを含み、
前記プロセッサはさらに、前記プロセッサが、前記データサービススイッチの前記ステータスが、前記データサービススイッチがオフにされている、ということであると判断し、前記ネットワークインタフェースが、前記ＵＥから来るか、または前記ＵＥへ向かう前記第１のデータパケットを受信した後に、前記第１のデータパケットが指定されたタイプに属するかどうかを判断するように構成され、
前記プロセッサはさらに、前記第１のデータパケットが前記指定されたタイプに属すると判断した場合、前記第１のデータパケットを転送するように構成され、
前記プロセッサはさらに、前記第１のデータパケットが前記指定されたタイプに属さないと判断した場合、前記第１のデータパケットを破棄するように構成される、
ＰＧＷ。
【請求項５２】
前記プロセッサはさらに、前記第１のデータパケットが前記指定されたタイプに属するかどうかを判断する前に、前記ＵＥのサービス登録ステータスがＩＰマルチメディアサブシステムＩＭＳ登録状態であるかどうかを判断するように構成され、前記ＰＧＷが、前記ＵＥの前記サービス登録ステータスは前記ＩＭＳ登録状態であると判断した場合、前記プロセッサは、前記第１のデータパケットが前記指定されたタイプに属するかどうかを判断する、請求項５１に記載のＰＧＷ。
【請求項５３】
前記プロセッサはさらに、前記ＵＥの前記サービス登録ステータスは前記ＩＭＳ登録状態であると判断した後に、前記ＵＥの前記データサービススイッチの前記ステータスが、前記データサービススイッチがオフにされている、ということである場合、前記ネットワークインタフェースを用いることにより第１のステータス通知メッセージをＩＰマルチメディアサブシステムＩＭＳネットワークへ送信するように構成され、前記第１のステータス通知メッセージは、前記ＵＥの前記データサービススイッチの前記ステータスが、前記データサービススイッチがオフにされている、ということであると前記ＩＭＳネットワークに通知するために用いられる、請求項５２に記載のＰＧＷ。
【請求項５４】
前記プロセッサはさらに、前記第１のデータパケットを転送した後に、前記ネットワークインタフェースを用いることにより、前記ＵＥの前記データサービススイッチの前記ステータスが、前記データサービススイッチがオフにされている、ということであると課金システムに通知するように構成される、
請求項５１から５３のいずれか一項に記載のＰＧＷ。
【請求項５５】
前記ネットワークインタフェースを用いることにより、前記ＵＥの前記データサービススイッチの前記ステータスが、前記データサービススイッチがオフにされている、ということであると前記課金システムに通知するために前記プロセッサにより用いられる方式は具体的には、
前記プロセッサが、前記第１のデータパケットに従って生成された課金データ記録ＣＤＲに第１の指示情報を追加することであって、前記第１の指示情報は、前記ＵＥの前記データサービススイッチがオフにされていることを前記課金システムに通知するために用いられる、追加すること、または
前記プロセッサが、第１のクレジット制御要求ＣＣＲメッセージにおいて、前記ＵＥの前記データサービススイッチがオフにされていることを前記課金システムに通知することである、請求項５４に記載のＰＧＷ。
【請求項５６】
前記プロセッサが、前記第１のデータパケットが前記指定されたタイプに属するかどうかを判断することは具体的には、前記プロセッサが、前記第１のデータパケットが、
前記ＵＥによりＩＭＳアクセスポイント名ＡＰＮに対応するパケットデータネットワークＰＤＮネットワークへ送信されるアップリンクデータパケットまたはＩＭＳ  ＡＰＮに対応するＰＤＮネットワークにより前記ＵＥへ送信されるダウンリンクデータパケットと、
指定されたサービスサーバのアドレスから来て前記ＵＥへ向かうデータパケットと、
ＩＰアドレスを管理するために用いられるデータパケットと、
指定されたサービスタイプのデータパケットと
のうちの１つまたは複数を含むかどうかを判断することである、請求項５１から５５のいずれか一項に記載のＰＧＷ。
【請求項５７】
前記プロセッサが、前記第１のデータパケットが前記指定されたサービスタイプの前記データパケットであるかどうかを判断することは具体的には、
前記プロセッサが、前記第１のデータパケットに対してディープパケットインスペクションＤＰＩを実行し、前記第１のデータパケットが前記指定されたサービスタイプの前記データパケットであるかどうかを判断すること、または
前記プロセッサが、前記第１のデータパケットに含まれるサービスタイプ指示情報に基づいて、前記第１のデータパケットが前記指定されたサービスタイプの前記データパケットであるかどうかを判断することである、請求項５６に記載のＰＧＷ。
【請求項５８】
前記ネットワークインタフェースはさらに、前記ＵＥから来るか、または前記ＵＥへ向かう第２のデータパケットを受信するように構成され、
前記プロセッサはさらに、前記プロセッサが、前記データサービススイッチの前記ステータスが、前記データサービススイッチがオフにされている前記状態から、前記データサービススイッチがオンにされている前記状態に切り換えられたと判断し、前記ネットワークインタフェースが、前記ＵＥから来るか、または前記ＵＥへ向かう前記第２のデータパケットを受信した後に、前記第２のデータパケットを転送するように構成される、請求項５１から５７のいずれか一項に記載のＰＧＷ。
【請求項５９】
前記プロセッサはさらに、前記ＵＥの前記サービス登録ステータスは前記ＩＭＳ登録状態であると判断した後に、前記ＵＥの前記データサービススイッチの前記ステータスが、前記データサービススイッチがオンにされている、ということである場合、前記ネットワークインタフェースを用いることにより第２のステータス通知メッセージを前記ＩＰマルチメディアサブシステムＩＭＳネットワークへ送信するように構成され、前記第２のステータス通知メッセージは、前記ＵＥの前記データサービススイッチの前記ステータスが、前記データサービススイッチがオンにされている、ということであると前記ＩＭＳネットワークに通知するために用いられる、請求項５８に記載のＰＧＷ。
【請求項６０】
前記プロセッサはさらに、前記第２のデータパケットを転送した後に、前記ネットワークインタフェースを用いることにより、前記ＵＥの前記データサービススイッチの前記ステータスが、前記データサービススイッチがオンにされている、ということであると前記課金システムに通知するように構成される、請求項５８または５９に記載のＰＧＷ。
【請求項６１】
前記ネットワークインタフェースを用いることにより、前記ＵＥの前記データサービススイッチの前記ステータスが、前記データサービススイッチがオンにされている、ということであると前記課金システムに通知するために前記プロセッサにより用いられる方式は具体的には、
前記プロセッサが、前記第２のデータパケットに従って生成された課金データ記録ＣＤＲに第２の指示情報を追加することであって、前記第２の指示情報は、前記ＵＥの前記データサービススイッチがオンにされていることを前記課金システムに通知するために用いられる、追加すること、または
前記プロセッサが、第２のＣＣＲメッセージにおいて、前記ＵＥの前記データサービススイッチがオンにされていることを前記課金システムに通知することである、請求項６０に記載のＰＧＷ。
【請求項６２】
前記ネットワークインタフェースはさらに、前記ＵＥから来るか、または前記ＵＥへ向かう第３のデータパケットを受信するように構成され、
前記プロセッサはさらに、前記プロセッサが、前記データサービススイッチの前記ステータスが、前記データサービススイッチがオフにされている前記状態から、前記データサービススイッチがオンにされている前記状態に切り換えられたと判断し、前記ネットワークインタフェースが、前記ＵＥから来るか、または前記ＵＥへ向かう前記第３のデータパケットを受信した後に、前記第３のデータパケットを転送し、前記第３のデータパケットに従って生成されたＣＤＲに第３の指示情報を追加するように構成され、前記第３の指示情報は、前記ＵＥの前記データサービススイッチがオンにされていることを前記課金システムに通知するために用いられる、請求項５５から６１のいずれか一項に記載のＰＧＷ。
【請求項６３】
前記プロセッサが前記ＵＥの前記データサービススイッチの前記ステータスを判断することは具体的には、
前記プロセッサが、ＭＭＥにより送信されたＰＣＯを受信することであって、前記ＰＣＯは、データサービススイッチステータス指示情報を含み、前記データサービススイッチステータス指示情報は、前記ＵＥの前記データサービススイッチの前記ステータスを示すために用いられる、受信することである、請求項５１から６２のいずれか一項に記載のＰＧＷ。
【請求項６４】
前記プロセッサが、前記ＵＥの前記サービス登録ステータスが前記ＩＭＳ登録状態であるかどうかを判断することは具体的には、
前記プロセッサが、前記モビリティ管理エンティティＭＭＥにより送信されたプロトコル構成オプションＰＣＯを受信することであって、前記ＰＣＯは、サービス登録ステータス指示情報を含み、前記サービス登録ステータス指示情報は、前記ＵＥの前記サービス登録ステータスを示すために用いられる、受信することである、請求項５２から６３のいずれか一項に記載のＰＧＷ。
【請求項６５】
プロセッサおよびネットワークインタフェースを備え、
前記ネットワークインタフェースは、ＵＥから来るか、または前記ＵＥへ向かう第１のデータパケットを受信するように構成され、
前記プロセッサは、前記ユーザ機器ＵＥのデータサービススイッチのステータスを判断するように構成され、
前記プロセッサはさらに、前記プロセッサが、前記データサービススイッチの前記ステータスが、前記データサービススイッチがオフにされている、ということであると判断し、前記ネットワークインタフェースが、前記ＵＥから来るか、または前記ＵＥへ向かう前記第１のデータパケットを受信した後に、前記ＵＥのサービス登録ステータスが回線交換フォールバックＣＳＦＢ複合登録のみの状態であるか、または進化型パケットシステムＥＰＳ登録のみの状態であるかを判断するように構成され、
前記プロセッサはさらに、前記ＵＥの前記サービス登録ステータスは前記ＣＳＦＢ複合登録のみの状態または前記ＥＰＳ登録のみの状態であると判断した場合、前記第１のデータパケットを破棄するように構成され、
前記データサービススイッチの前記ステータスは、前記データサービススイッチがオンにされている、または、前記データサービススイッチがオフにされている、ということを含み、前記ＣＳＦＢ複合登録のみの状態は、前記ＵＥが、回線交換ＣＳネットワークおよびＥＰＳネットワークの両方に登録されているが、ＩＰマルチメディアサブシステムＩＭＳネットワークには登録されていない状態を含む、
ＰＧＷ。
【請求項６６】
前記プロセッサが、前記ＵＥの前記サービス登録ステータスが前記ＣＳＦＢ複合登録のみの状態であるか、または前記ＥＰＳ登録のみの状態であるかを判断することは具体的には、
前記プロセッサが、前記第１のデータパケットは、ＩＰアドレスを管理するために用いられるデータパケットではないと判断した場合、前記プロセッサが、前記ＵＥの前記サービス登録ステータスが前記ＣＳＦＢ複合登録のみの状態であるか、または前記ＥＰＳ登録のみの状態であるかを判断することである、請求項６５に記載のＰＧＷ。
【請求項６７】
前記プロセッサが、前記ＵＥのサービス登録ステータスが前記ＣＳＦＢ複合登録のみの状態であるか、または前記ＥＰＳ登録のみの状態であるかを判断することは具体的には、
前記プロセッサが、ＭＭＥにより送信された、サービス登録ステータス指示情報を含むＰＣＯを受信することと、前記プロセッサが、前記ＵＥが前記ＣＳＦＢ複合登録のみの状態または前記ＥＰＳ登録のみの状態にあることを前記サービス登録ステータス指示情報が示しているかどうかを判断することである、請求項６５または６６に記載のＰＧＷ。
【請求項６８】
前記プロセッサが前記ＵＥの前記データサービススイッチの前記ステータスを判断することは具体的には、
前記プロセッサが、前記ＭＭＥにより送信されたＰＣＯを受信することであって、前記ＰＣＯは、データサービススイッチステータス指示情報を含み、前記データサービススイッチステータス指示情報は、前記ＵＥの前記データサービススイッチの前記ステータスを示すために用いられる、受信することである、請求項６５から６７のいずれか一項に記載のＰＧＷ。
【発明の詳細な説明】
【技術分野】
【０００１】
本願は、２０１６年５月２５日に中国特許庁に出願された、「データサービス制御方法および関連するデバイス」という発明の名称のＰＣＴ特許出願第ＰＣＴ／ＣＮ２０１６／０８３３７８号、および２０１６年７月５日に中国特許庁に出願された、「データサービス制御方法および関連するデバイス」という発明の名称のＰＣＴ特許出願第ＰＣＴ／ＣＮ２０１６／０８８５８５号の優先権を主張する。これらの出願は、参照により、その全てが本明細書に組み込まれる。
【０００２】
本発明は、通信技術分野に関し、特に、データサービス制御方法および関連するデバイスに関する。
【背景技術】
【０００３】
主流の通信技術として、ロングタームエボリューション（英語：Ｌｏｎｇ  Ｔｅｒｍ  Ｅｖｏｌｕｔｉｏｎ、略して、ＬＴＥ）は、第２世代（英語：Ｓｅｃｏｎｄ  Ｇｅｎｅｒａｔｉｏｎ、略して、２Ｇ）ネットワークおよび第３世代（３ｒｄ−Ｇｅｎｅｒａｔｉｏｎ、略して、３Ｇ）ネットワークが行うよりも速いデータサービスを提供し得る。ＬＴＥデータサービスにおいて、様々なデータサービスのデータパケットは全て、ユーザ機器（英語：Ｕｓｅｒ  Ｅｑｕｉｐｍｅｎｔ、略して、ＵＥ）と、アクセスネットワークと、コアネットワークと、パケットデータネットワーク（英語：Ｐａｃｋｅｔ  Ｄａｔａ  Ｎｅｔｗｏｒｋ、略して、ＰＤＮ）との間に確立されたアップリンクデータ伝送チャネルまたはダウンリンクアップリンクデータ伝送チャネル上で転送される。
【０００４】
ユーザによる誤操作または悪意のあるソフトウェアなどの要因によりもたらされる不要なデータトラフィック損失を回避するために、データサービススイッチが、大多数のＵＥ用に配置され、ＵＥのデータサービス機能を有効化または無効化するように構成される。ユーザがデータサービスを必要としない場合、ユーザは、データサービススイッチをオフにし得る。ユーザがデータサービスを必要とする場合、ユーザは、データサービススイッチをオンにし得る。ユーザがＵＥのデータサービススイッチをオフにした場合、ＵＥは通常、ソフトウェアおよびハードウェアによる方法を用いることによるネットワーク側へのデータパケットの送信を禁止し、ＵＥの全てのデータサービスのアップリンクデータパケットの送信を中断する。しかしながら、ネットワーク側からＵＥへのダウンリンクデータパケットは依然として、データ伝送チャネル上でＵＥへ送信され得る。これにより、ＵＥに対する不要なデータトラフィック課金がもたらされ、ＵＥのデータトラフィックの浪費が生じる。
【発明の概要】
【０００５】
本願は、ＵＥのデータトラフィックを節約するためのデータサービス制御方法および関連するデバイスを開示する。
【０００６】
第１の態様がデータサービス制御方法を開示する。当該方法は、パケットデータネットワークゲートウェイＰＧＷがユーザ機器ＵＥのデータサービススイッチのステータスを判断する段階であって、データサービススイッチのステータスは、データサービススイッチがオンにされている、または、データサービススイッチがオフにされている、ということを含む、段階と、データサービススイッチのステータスが、データサービススイッチがオフにされている、ということであり、ＰＧＷが、ＵＥから来るか、またはＵＥへ向かう第１のデータパケットを受信した後に、ＰＧＷが、第１のデータパケットが指定されたタイプに属するかどうかを判断する段階と、第１のデータパケットが指定されたタイプに属する場合、ＰＧＷが第１のデータパケットを転送する段階、または第１のデータパケットが指定されたタイプに属さない場合、ＰＧＷが第１のデータパケットを破棄する段階とを含む。
【０００７】
ＵＥのデータサービススイッチのステータスが、データサービススイッチがオフにされている、ということであった後に、ＰＧＷは、ＵＥから来るか、またはＵＥへ向かう不要なデータパケットを破棄し、それにより、ＵＥに対する不要な課金を回避し、ＵＥのデータトラフィックを節約する。加えて、ＰＧＷは、ＵＥのデータサービススイッチがオフにされた後、重要なサービスおよびＩＰアドレスの管理に影響を与えることなく、必要なデータパケット（例えば、指定されたタイプのデータパケット）の転送を続ける。
【０００８】
第１の態様に関連して、第１の態様の第１の実装形態において、ＰＧＷが、第１のデータパケットが指定されたタイプに属するかどうかを判断する前に、方法は、ＰＧＷが、ＵＥのサービス登録ステータスがＩＰマルチメディアサブシステムＩＭＳ登録状態であるかどうかを判断する段階と、ＰＧＷが、ＵＥのサービス登録ステータスはＩＭＳ登録状態であると判断した場合、ＰＧＷが、第１のデータパケットが指定されたタイプに属するかどうかを判断する段階とをさらに含む。
【０００９】
第１の態様の第１の実装形態に関連して、第１の態様の第２の実装形態において、ＵＥのサービス登録ステータスがＩＭＳ登録状態であるとＰＧＷが判断した後に、方法は、ＵＥのデータサービススイッチのステータスが、データサービススイッチがオフにされている、ということである場合、ＰＧＷが第１のステータス通知メッセージをＩＰマルチメディアサブシステムＩＭＳネットワークへ送信する段階であって、第１のステータス通知メッセージは、ＵＥのデータサービススイッチのステータスが、データサービススイッチがオフにされている、ということであるとＩＭＳネットワークに通知するために用いられる、段階をさらに含む。
【００１０】
第１の態様または第１の態様の第１の実装形態もしくは第２の実装形態に関連して、第１の態様の第３の実装形態において、ＰＧＷが第１のデータパケットを転送する段階の後に、方法は、ＰＧＷが、ＵＥのデータサービススイッチのステータスが、データサービススイッチがオフにされている、ということであると課金システムに通知する段階をさらに含む。
【００１１】
第１の態様の第３の実装形態に関連して、第１の態様の第４の実装形態において、ＰＧＷが、ＵＥのデータサービススイッチのステータスが、データサービススイッチがオフにされている、ということであると課金システムに通知する段階は、ＰＧＷが、第１のデータパケットに従って生成された課金データ記録ＣＤＲに第１の指示情報を追加する段階であって、第１の指示情報は、ＵＥのデータサービススイッチがオフにされていることを課金システムに通知するために用いられる、段階、または、ＰＧＷが、第１のクレジット制御要求（英語：Ｃｒｅｄｉｔ  Ｃｏｎｔｒｏｌ  Ｒｅｑｕｅｓｔ、略して、ＣＣＲ）メッセージにおいて、ＵＥのデータサービススイッチがオフにされていることを課金システムに通知する段階を含む。
【００１２】
第１の態様または第１の態様の第１の実装形態から第４の実装形態のうちのいずれか１つに関連して、第１の態様の第５の実装形態において、ＰＧＷが、第１のデータパケットが指定されたタイプに属するかどうかを判断する段階は、ＰＧＷが、第１のデータパケットが、ＵＥによりＩＭＳアクセスポイント名ＡＰＮに対応するパケットデータネットワークＰＤＮネットワークへ送信されるアップリンクデータパケットまたはＩＭＳ  ＡＰＮに対応するＰＤＮネットワークによりＵＥへ送信されるダウンリンクデータパケットと、指定されたサービスサーバのアドレスから来てＵＥへ向かうデータパケットと、ＩＰアドレスを管理するために用いられるデータパケットと、指定されたサービスタイプのデータパケットとのうちの１つまたは複数を含むかどうかを判断する段階を含む。
【００１３】
第１の態様の第５の実装形態に関連して、第１の態様の第６の実装形態において、ＰＧＷが、第１のデータパケットが指定されたサービスタイプのデータパケットであるかどうかを判断する段階は、ＰＧＷが、第１のデータパケットに対してディープパケットインスペクションＤＰＩを実行し、第１のデータパケットが指定されたサービスタイプのデータパケットであるかどうかを判断する段階、またはＰＧＷが、第１のデータパケットに含まれるサービスタイプ指示情報に基づいて、第１のデータパケットが指定されたサービスタイプのデータパケットであるかどうかを判断する段階を含む。
【００１４】
第１の態様または第１の態様の第１の実装形態から第６の実装形態のうちのいずれか１つに関連して、第１の態様の第７の実装形態において、第１のデータパケットが指定されたタイプに属する場合、ＰＧＷが第１のデータパケットを転送する段階、または第１のデータパケットが指定されたタイプに属さない場合、ＰＧＷが第１のデータパケットを破棄する段階の後に、方法は、データサービススイッチのステータスが、データサービススイッチがオンにされている、ということであり、ＰＧＷが、ＵＥから来るか、またはＵＥへ向かう第２のデータパケットを受信した後に、ＰＧＷが第２のデータパケットを転送する段階をさらに含む。
【００１５】
第１の態様の第７の実装形態に関連して、第１の態様の第８の実装形態において、ＵＥのサービス登録ステータスがＩＭＳ登録状態であるとＰＧＷが判断した後に、方法は、ＵＥのデータサービススイッチのステータスが、データサービススイッチがオンにされている、ということである場合、ＰＧＷが第２のステータス通知メッセージをＩＰマルチメディアサブシステムＩＭＳネットワークへ送信する段階であって、第２のステータス通知メッセージは、ＵＥのデータサービススイッチのステータスが、データサービススイッチがオンにされている、ということであるとＩＭＳネットワークに通知するために用いられる、段階をさらに含む。
【００１６】
第１の態様の第７の実装形態または第８の実装形態に関連して、第１の態様の第９の実装形態において、ＰＧＷが第２のデータパケットを転送する段階の後に、方法は、ＰＧＷが、ＵＥのデータサービススイッチのステータスが、データサービススイッチがオンにされている、ということであると課金システムに通知する段階をさらに含む。
【００１７】
第１の態様の第９の実装形態に関連して、第１の態様の第１０の実装形態において、ＰＧＷが、ＵＥのデータサービススイッチのステータスが、データサービススイッチがオンにされている、ということであると課金システムに通知する段階は、ＰＧＷが、第２のデータパケットに従って生成された課金データ記録ＣＤＲに第２の指示情報を追加する段階であって、第２の指示情報は、ＵＥのデータサービススイッチがオンにされていることを課金システムに通知するために用いられる、段階、または、ＰＧＷが、第２のＣＣＲメッセージにおいて、ＵＥのデータサービススイッチがオンにされていることを課金システムに通知する段階を含む。
【００１８】
第２の態様が、データサービス制御方法を開示する。当該方法は、パケットデータネットワークゲートウェイＰＧＷがユーザ機器ＵＥのデータサービススイッチのステータスを判断する段階であって、データサービススイッチのステータスは、データサービススイッチがオンにされている、または、データサービススイッチがオフにされている、ということを含む、段階と、データサービススイッチのステータスが、データサービススイッチがオフにされている、ということであり、ＰＧＷが、ＵＥから来るか、またはＵＥへ向かう第１のデータパケットを受信した後に、ＰＧＷが、ＵＥのサービス登録ステータスが回線交換フォールバックＣＳＦＢ複合登録のみの状態であるか、または進化型パケットシステムＥＰＳ登録のみの状態であるかを判断する段階であって、ＣＳＦＢ複合登録のみの状態は、ＵＥが回線交換ＣＳネットワークおよびＥＰＳネットワークの両方に登録されているが、ＩＰマルチメディアサブシステムＩＭＳネットワークには登録されていない状態を含む、段階と、ＵＥのサービス登録ステータスがＣＳＦＢ複合登録のみの状態またはＥＰＳ登録のみの状態である場合、ＰＧＷが第１のデータパケットを破棄する段階とを含む。
【００１９】
ＵＥのデータサービススイッチのステータスが、データサービススイッチがオフにされている、ということであった後に、ＰＧＷは、ＵＥから来るか、またはＵＥへ向かう不要なデータパケットを破棄し、それにより、ＵＥに対する不要な課金を回避する。
【００２０】
第３の態様が、データサービス制御方法を開示する。当該方法は、パケットデータネットワークゲートウェイＰＧＷがユーザ機器ＵＥのデータサービススイッチのステータスを判断する段階であって、データサービススイッチのステータスは、データサービススイッチがオンにされている、または、データサービススイッチがオフにされている、ということを含む、段階と、データサービススイッチのステータスが、データサービススイッチがオフにされている、ということであり、ＰＧＷが、ＵＥから来るか、またはＵＥへ向かう第１のデータパケットを受信した後に、ＰＧＷが第１のデータパケットを転送し、第１のデータパケットに従って生成された課金データ記録ＣＤＲに第１の指示情報を追加する段階であって、第１の指示情報は、ＵＥのデータサービススイッチがオフにされていることを課金システムに通知するために用いられる、段階とを含む。
【００２１】
ＵＥのデータサービススイッチのステータスが、データサービススイッチがオフにされている、ということであった後に、ＰＧＷは、ＵＥのデータサービススイッチがオフにされた後に重要なサービスおよびＩＰアドレスの管理に影響を与えることなく、必要なデータパケット（例えば、指定されたタイプのデータパケット）を転送する。加えて、ＵＥのデータサービススイッチがオフにされていることを課金システムに通知するために用いられる指示情報が、転送されたデータパケットに従って生成された課金データ記録ＣＤＲに追加される。第１のデータパケットが転送された場合、ＰＧＷは、ＵＥのデータサービススイッチがオフにされていることを課金システムに通知し得る。これにより、課金システムは、ＵＥのデータサービススイッチがオフにされた後に用いられる課金基準に従って第１のデータパケットに課金し、第１のデータパケットに課金するかどうかを判断する。
【００２２】
第３の態様に関連して、第３の態様の第１の実装形態において、ＰＧＷが第１のデータパケットを転送する段階の前に、方法はＰＧＷが、ＵＥのサービス登録ステータスがＩＭＳ登録状態であることを判断する段階をさらに含む。
【００２３】
第３の態様または第３の態様の第１の実装形態に関連して、第３の態様の第２の実装形態において、ＰＧＷが、第１のデータパケットを転送し、第１のデータパケットに従って生成された課金データ記録ＣＤＲに第１の指示情報を追加する段階の後に、方法は、データサービススイッチのステータスが、データサービススイッチがオンにされている、ということである場合、ＰＧＷが、ＵＥから来るか、またはＵＥへ向かう第２のデータパケットを受信した後に、第２のデータパケットを転送し、第２のデータパケットに従って生成されたＣＤＲに第２の指示情報を追加する段階であって、第２の指示情報は、ＵＥのデータサービススイッチがオンにされていることを課金システムに通知するために用いられる、段階をさらに含む。
【００２４】
ＵＥのデータサービススイッチのステータスが、オフにされている、から、オンにされている、に切り換えられた後に、ＰＧＷは、元の課金オペレーションを再開し得る。
【００２５】
第３の態様または第３の態様の第１の実装形態に関連して、第３の態様の第３の実装形態において、ＰＧＷが、ＵＥのデータサービススイッチのステータスを判断する段階は、ＰＧＷが、ＵＥによりモビリティ管理エンティティＭＭＥを用いることにより送信されたプロトコル構成オプションＰＣＯを受信する段階であって、ＰＣＯは、データサービススイッチステータス指示情報を含み、データサービススイッチステータス指示情報は、ＵＥのデータサービススイッチのステータスを示すために用いられる、段階を含む。
【００２６】
ＰＧＷは、ＵＥにより送信されたＰＣＯにおけるデータサービススイッチステータス指示情報に基づいて、ＵＥのデータサービススイッチのステータスを判断する。ＵＥのデータサービススイッチのステータスが変わった場合、ＰＧＷは、ＵＥのデータサービススイッチのステータスを適時に通知され得る。
【００２７】
第４の態様が、データサービス制御方法を開示する。当該方法は、ＵＥがサービス確立メッセージをモビリティ管理エンティティＭＭＥへ送信する段階であって、サービス確立メッセージは、データサービススイッチステータス指示情報および／またはサービス登録ステータス指示情報を含み、データサービススイッチステータス指示情報は、ＵＥのデータサービススイッチのステータスをＰＧＷに示すために用いられ、サービス登録ステータス指示情報は、ＵＥのサービス登録ステータスを示すために用いられ、データサービススイッチのステータスは、データサービススイッチがオンにされている、または、データサービススイッチがオフにされている、ということを含む、段階を含む。
【００２８】
ＵＥのデータサービススイッチのステータスおよび／またはサービス登録ステータスに変化が生じた場合、ＵＥは、ＵＥのデータサービススイッチのステータスおよび／またはサービス登録ステータスをＰＧＷに適時に通知し得る。
【００２９】
第４の態様に関連して、第４の態様の第１の実装形態において、方法は、ＵＥがロングタームエボリューションネットワークから２／３Ｇネットワークに移る場合、ＵＥが２／３Ｇネットワークにアクセスする段階と、ＵＥが、ＵＥのデータサービススイッチのステータスが、データサービススイッチがオフにされている、ということであると判断した場合、ＵＥが、ＵＥのＰＤＰコンテキストを削除するために、パケットデータプロトコルＰＤＰ非アクティブ化メッセージを２／３ＧネットワークのサービングＧＰＲＳサポートノードＳＧＳＮへ送信する段階、またはＵＥが、ルーティングエリア更新メッセージを２／３ＧネットワークのサービングＧＰＲＳサポートノードＳＧＳＮへ送信する段階であって、ルーティングエリア更新メッセージは、ＵＥのデータサービススイッチのステータスを保持する、段階とをさらに含む。
【００３０】
第４の態様の第１の実装形態に関連して、第４の態様の第２の実装形態において、方法は、ＵＥが、２／３Ｇネットワークからロングタームエボリューションネットワークに移る場合、ＵＥがロングタームエボリューションネットワークにアクセスする段階と、ＵＥが、ＵＥのデータサービススイッチのステータスが、データサービススイッチがオフにされている、ということであると判断した場合、ＵＥがアタッチメッセージをＭＭＥへ送信する段階とをさらに含む。
【００３１】
第５の態様が、データサービス制御方法を開示する。当該方法は、ＵＥがサービス確立メッセージをＭＭＥへ送信する段階であって、サービス確立メッセージは、データサービススイッチステータス指示情報を含み、データサービススイッチステータス指示情報は、ＵＥのデータサービススイッチのステータスをＰＧＷに示すために用いられ、データサービススイッチのステータスは、データサービススイッチがオンにされている、または、データサービススイッチがオフにされている、ということを含む、段階を含む。
【００３２】
ＵＥのデータサービススイッチのステータスが変わった場合、ＵＥは、ＵＥのデータサービススイッチのステータスをＰＧＷに適時に通知し得る。
【００３３】
第５の態様に関連して、第５の態様の第１の実装形態において、ＵＥがサービス確立メッセージをＭＭＥへ送信する段階は、ＵＥが、データサービススイッチのステータスが変わったと判断した場合、ＵＥが、データサービススイッチステータス指示情報を含むサービス確立メッセージをＭＭＥへ送信する段階を含む。
【００３４】
ＵＥのデータサービススイッチステータスが変わった場合、ＵＥは、ＵＥのデータサービススイッチのステータスをＰＧＷへ適時に通知し得る。
【００３５】
第５の態様または第５の態様の第１の実装形態に関連して、第５の態様の第２の実装形態において、サービス確立メッセージは、プロトコル構成オプションＰＣＯを含み、ＰＣＯは、データサービススイッチステータス指示情報を含む。
【００３６】
ＵＥは、ＰＣＯを用いることにより、ＵＥのデータサービススイッチのステータスを伝送し、それにより、伝送セキュリティを改善し得る。
【００３７】
第５の態様または第５の態様の第１の実装形態もしくは第２の実装形態に関連して、第５の態様の第３の実装形態において、サービス確立メッセージは、アタッチ要求メッセージ、ベアラリソース変更メッセージおよびＰＤＮ接続確立要求メッセージのうちの１つまたは複数を含む。
【００３８】
第６の態様が、データサービス制御方法を開示する。当該方法は、ユーザ機器ＵＥが、データサービスを無効化するための演算命令を受信した後に、パケットデータネットワークＰＤＮ切断要求をコアネットワークデバイスへ送信し、これにより、コアネットワークデバイスは、ＵＥの別のＰＤＮ接続を削除する段階であって、別のＰＤＮ接続は、ＩＰマルチメディアサブシステムＩＭＳアクセスポイント名ＡＰＮに対応するＰＤＮ接続以外の、ＵＥにより確立されたＰＤＮ接続を含む、段階を含む。
【００３９】
ＵＥのデータサービススイッチがオフにされた後に、別のＰＤＮ接続が削除され、ＩＭＳ  ＡＰＮ  ＰＤＮ接続のみが確保され、それにより、ＩＭＳサービスが正常に実行され得ることが保証される。
【００４０】
第６の態様に関連して、第６の態様の第１の実装形態において、ＵＥが、パケットデータネットワークＰＤＮ切断要求をコアネットワークデバイスへ送信し、これにより、コアネットワークデバイスがＵＥの別のＰＤＮ接続を削除する段階の後に、方法は、ＵＥが、ＩＭＳ  ＡＰＮに対応するＰＤＮ接続を確立しない場合、ＵＥが、ロングタームエボリューションＬＴＥネットワークにアタッチするようＵＥをトリガするためにアタッチ要求メッセージをコアネットワークデバイスへ送信する段階であって、アタッチ要求メッセージは、ＩＭＳ  ＡＰＮに対応するＰＤＮ接続を確立するよう要求するための指示情報を保持し、これにより、コアネットワークデバイスは、ＩＭＳ  ＡＰＮに対応するＰＤＮ接続に基づいて、ＩＭＳ  ＡＰＮに対応するＰＤＮ接続を確立するよう要求する、段階をさらに含む。
【００４１】
ＵＥの別のＰＤＮ接続が削除された後、ＩＭＳ  ＡＰＮ  ＰＤＮ接続が確立されていない場合、ＵＥは、ＩＭＳ  ＡＰＮ  ＰＤＮ接続の確立を開始する。ＵＥのデータサービススイッチがオフにされた後、ＩＭＳサービスが正常に実行され得ることが依然として保証される。
【００４２】
第６の態様または第６の態様の第１の実装形態に関連して、第６の態様の第２の実装形態において、ＵＥが、パケットデータネットワークＰＤＮ切断要求をコアネットワークデバイスへ送信し、これにより、コアネットワークデバイスがＵＥの別のＰＤＮ接続を削除する段階の後に、方法は、ＵＥが、データサービスを有効化するための演算命令を受信した場合、ＵＥがＰＤＮ接続確立要求をコアネットワークデバイスへ送信し、これにより、コアネットワークデバイスが別のＰＤＮ接続を再確立する段階をさらに含む。
【００４３】
ＵＥのデータサービススイッチのステータスが、オフにされている、から、オンにされている、に切り換えられた後に、ＵＥの別のＰＤＮ接続が再確立され、それにより、ＵＥのデータサービススイッチがオンにされた後は、全てのサービスが影響を受けず、正常に実行され得ることが保証される。
【００４４】
第６の態様または第６の態様の第１の実装形態に関連して、第６の態様の第３の実装形態において、ＵＥが、パケットデータネットワークＰＤＮ切断要求をコアネットワークデバイスへ送信し、これにより、コアネットワークデバイスがＵＥの別のＰＤＮ接続を削除する段階の後に、方法は、ＵＥが、指定されたサービスに関連するアップリンクデータパケットを送信する必要がある場合において、指定されたサービスが別のＰＤＮ接続に基づいているときは、ＵＥが、現在のデータサービスが無効化されたことをユーザにプロンプトする段階をさらに含む。
【００４５】
指定されたサービスは、（ＨＳＳ、Ｐ−ＣＳＣＦまたはＡＦなどの）ネットワーク側デバイスにより予め設定され、ＵＥへ送信され得る。代替的に、指定されたサービスは、ＵＥのサービス登録ステータスに基づいて、ＵＥにより予め設定され、記憶され得る。ＵＥのデータサービススイッチがオフにされた後、指定されたサービスが別のＰＤＮ接続に基づいている場合、ユーザは、現在のデータサービスが無効化されたことを適時にプロンプトされ得る。
【００４６】
第６の態様の第３の実装形態に関連して、第６の態様の第４の実装形態において、方法は、ＵＥが、データサービスを有効化するための演算命令を受信した後に、現在のデータサービスが無効化されたことをユーザにプロンプトするオペレーションを停止する段階をさらに含む。
【００４７】
ＵＥのデータサービススイッチのステータスが、オフにされている、から、オンにされている、に切り換えられた後に、現在のデータサービスが無効化されたことのユーザに対するプロンプトは停止され、ＵＥは、通常のオペレーションを再開する。
【００４８】
第６の態様または第６の態様の第１の実装形態に関連して、第６の態様の第５の実装形態において、ＵＥがパケットデータネットワークＰＤＮ切断要求をコアネットワークデバイスへ送信し、これにより、コアネットワークデバイスがＵＥの別のＰＤＮ接続を削除する段階の後に、方法は、ＵＥが、ＩＭＳ  ＡＰＮに対応するＰＤＮ接続を確立した場合において、ＵＥが、指定されたサービスに関連するアップリンクデータパケットを送信する必要があるときは、ＵＥが、ＩＭＳ  ＡＰＮに対応するＰＤＮ接続を用いることにより、指定されたサービスに関連するアップリンクデータパケットを伝送する段階をさらに含む。
【００４９】
ＵＥのデータサービススイッチがオフにされた後に、ＵＥがＩＭＳ  ＡＰＮ  ＰＤＮ接続を確立した場合、指定されたサービスに関連するアップリンクデータパケットは、ＩＭＳ  ＡＰＮ  ＰＤＮ接続を用いることにより伝送され得、それにより、指定されたサービスが正常に実行され得ることが保証され得る。
【００５０】
第６の態様の第５の実装形態に関連して、第６の態様の第６の実装形態において、ＵＥが、ＩＭＳ  ＡＰＮに対応するＰＤＮ接続を用いることにより、指定されたサービスに関連するアップリンクデータパケットを伝送する段階は、指定されたサービスが別のＰＤＮ接続に基づいている場合、ＵＥが、指定されたサービスに関連するアップリンクデータパケットの送信元ＩＰアドレスおよび送信元ポート番号を、ＩＭＳ  ＡＰＮに対応するＰＤＮ接続に対応する送信元ＩＰアドレスおよび送信元ポート番号に修正し、これにより、ＩＭＳ  ＡＰＮに対応するＰＤＮ接続のパケットデータネットワークゲートウェイＰＧＷが、ＵＥにより送信された、指定されたサービスに関連するアップリンクデータパケットを受信し、指定されたサービスに関連するアップリンクデータパケットの宛先ＩＰアドレスおよび宛先ポート番号に基づいて、指定されたサービスに関連するアップリンクデータパケットを、指定されたサービスに対応するアプリケーションサーバへ送信する段階を含む。
【００５１】
ＵＥのデータサービススイッチがオフにされた後に、ＵＥがＩＭＳ  ＡＰＮ  ＰＤＮ接続を確立した場合、指定されたサービスに関連するアップリンクデータパケットは、ＩＭＳ  ＡＰＮ  ＰＤＮ接続を用いることにより、また、ＩＰ５−タプルを修正することより、伝送され得、それにより、指定されたサービスが正常に実行され得ることが保証され得る。
【００５２】
第６の態様の第５の実装形態または第６の実装形態に関連して、第６の態様の第７の実装形態において、方法は、ＵＥが、データサービスを有効化するための演算命令を受信した後に、別のＰＤＮ接続を用いることにより、指定されたサービスに関連するアップリンクデータパケットの伝送を再開する段階をさらに含む。
【００５３】
ＵＥのデータサービススイッチのステータスが、オフにされている、から、オンにされている、に切り換えられた後に、ＵＥは、通常のオペレーションを再開する。
【００５４】
第６の態様または第６の態様の第１の実装形態から第７の実装形態のうちのいずれか１つに関連して、第６の態様の第８の実装形態において、コアネットワークデバイスは、モビリティ管理エンティティＭＭＥ、サービングゲートウェイＳＧＷまたはＰＧＷを含む。
【００５５】
第７の態様が、データサービス制御方法を開示する。当該方法は、ＵＥが、データサービスを無効化するための演算命令を受信した後に、ＭＭＥが、ＵＥにより送信されたＰＤＮ切断要求を受信し、ＵＥの別のＰＤＮ接続を削除する段階であって、別のＰＤＮ接続は、ＩＭＳ  ＡＰＮに対応するＰＤＮ接続以外の、ＵＥにより確立されるＰＤＮ接続を含む、段階、または、ＭＭＥが、ＵＥにより送信された、データサービススイッチステータス指示情報および／またはサービス登録ステータス指示情報を含むサービス確立メッセージを受信し、データサービススイッチステータス指示情報および／またはサービス登録ステータス指示情報をＳＧＷまたはＰＧＷへ転送する段階であって、データサービススイッチステータス指示情報は、ＵＥのデータサービススイッチのステータスを示すために用いられ、データサービススイッチのステータスは、データサービススイッチがオンにされている、または、データサービススイッチがオフにされている、ということを含み、サービス登録ステータス指示情報は、ＵＥのサービス登録ステータスを示すために用いられる、段階を含む。
【００５６】
ＵＥのデータサービススイッチがオフにされている場合、ＭＭＥは、ＵＥの別のＰＤＮ接続を適時に削除し得る。別のＰＤＮ接続は、ＩＭＳ  ＡＰＮに対応するＰＤＮ接続以外の、ＵＥにより確立されるＰＤＮ接続を含む。代替的に、ＭＭＥは、ＵＥにより送信されたサービス確立メッセージを受信し得る。サービス確立メッセージは、データサービススイッチステータス指示情報および／またはサービス登録ステータス指示情報を含む。ＭＭＥはさらに、データサービススイッチステータス指示情報および／またはサービス登録ステータス指示情報をＳＧＷまたはＰＧＷへ転送し得る。ＭＭＥは、ＵＥのデータサービススイッチがオフにされたことをＳＧＷまたはＰＧＷなどのコアネットワークデバイスに適時に通知し得る。
【００５７】
第７の態様に関連して、第７の態様の第１の実装形態において、ＭＭＥが、ＵＥにより送信された、データサービススイッチステータス指示情報および／またはサービス登録ステータス指示情報を含むサービス確立メッセージを受信し、データサービススイッチステータス指示情報および／またはサービス登録ステータス指示情報をＳＧＷまたはＰＧＷへ転送する段階は、ＭＭＥが、ＵＥにより送信された、データサービススイッチステータス指示情報を含むアタッチ要求メッセージを受信する段階と、ＭＭＥが、データサービススイッチステータス指示情報をＳＧＷまたはＰＧＷへ転送する段階であって、データサービススイッチステータス指示情報は、ＵＥのデータサービスが無効化されたことをＳＧＷまたはＰＧＷに通知するために用いられる、段階とを含む。
【００５８】
ＵＥのデータサービススイッチがオフにされている場合、ＭＭＥは、ＵＥにより送信された、データサービススイッチステータス指示情報を含むアタッチ要求メッセージを受信し得る。データサービススイッチステータス指示情報は、ＵＥのデータサービスが無効化されたことをＳＧＷまたはＰＧＷに通知するために用いられる。ＭＭＥは、ＵＥのデータサービススイッチがオフにされたことをＳＧＷまたはＰＧＷなどのコアネットワークデバイスに適時に通知し得る。
【００５９】
第７の態様に関連して、第７の態様の第２の実装形態において、ＭＭＥが、ＵＥにより送信された、データサービススイッチステータス指示情報および／またはサービス登録ステータス指示情報を含むサービス確立メッセージを受信し、データサービススイッチステータス指示情報および／またはサービス登録ステータス指示情報をＳＧＷまたはＰＧＷへ転送する段階は、ＭＭＥが、ＵＥにより送信された、データサービススイッチステータス指示情報を含む第１のベアラリソース変更メッセージを受信する段階と、ＭＭＥがデータサービススイッチステータス指示情報をＳＧＷまたはＰＧＷへ転送する段階であって、データサービススイッチステータス指示情報は、ＵＥのデータサービスが無効化されたことをＳＧＷまたはＰＧＷに通知するために用いられる、段階とを含む。
【００６０】
ＵＥのデータサービススイッチがオフにされている場合、ＭＭＥは、ＵＥにより送信された、データサービススイッチステータス指示情報を含む第１のベアラリソース変更メッセージを受信し得る。データサービススイッチステータス指示情報は、ＵＥのデータサービスが無効化されたことをＳＧＷまたはＰＧＷに通知するために用いられる。ＭＭＥは、ＵＥのデータサービススイッチがオフにされたことをＳＧＷまたはＰＧＷなどのコアネットワークデバイスに適時に通知し得る。
【００６１】
第７の態様に関連して、第７の態様の第３の実装形態において、ＭＭＥが、ＵＥにより送信された、データサービススイッチステータス指示情報および／またはサービス登録ステータス指示情報を含むサービス確立メッセージを受信し、データサービススイッチステータス指示情報および／またはサービス登録ステータス指示情報をＳＧＷまたはＰＧＷへ転送する段階は、ＭＭＥが、ＵＥにより送信された、データサービススイッチステータス指示情報を含むＰＤＮ接続確立要求メッセージを受信する段階と、ＭＭＥがデータサービススイッチステータス指示情報をＳＧＷまたはＰＧＷへ転送する段階であって、データサービススイッチステータス指示情報は、ＵＥのデータサービスが無効化されたことをＳＧＷまたはＰＧＷに通知するために用いられる、段階とを含む。
【００６２】
ＵＥのデータサービススイッチがオフにされている場合、ＭＭＥは、ＵＥにより送信された、データサービススイッチステータス指示情報を含むＰＤＮ接続確立要求メッセージを受信し得る。データサービススイッチステータス指示情報は、ＵＥのデータサービスが無効化されたことをＳＧＷまたはＰＧＷに通知するために用いられる。ＭＭＥは、ＵＥのデータサービススイッチがオフにされたことをＳＧＷまたはＰＧＷなどのコアネットワークデバイスに適時に通知し得る。
【００６３】
第７の態様または第７の態様の第１の実装形態から第３の実装形態のうちのいずれか１つに関連して、第７の態様の第４の実装形態において、方法は、ＵＥが、データサービスを有効化するための演算命令を受信した後に、ＭＭＥが、別のＰＤＮ接続を再確立するために、ＵＥにより送信されたＰＤＮ接続確立要求を受信する段階をさらに含む。
【００６４】
ＵＥのデータサービススイッチが再びオンにされた後に、ＭＭＥは、別のＰＤＮ接続を再確立し、それにより、別のＰＤＮ接続に基づくサービスが正常に実行され得ることを保証し得る。
【００６５】
第７の態様または第７の態様の第１の実装形態から第３の実装形態のうちのいずれか１つに関連して、第７の態様の第５の実装形態において、ＭＭＥが、データサービススイッチステータス指示情報および／またはサービス登録ステータス指示情報をＳＧＷまたはＰＧＷへ転送する段階の後に、方法は、ＵＥが、データサービスを有効化するための演算命令を受信した後に、ＭＭＥが、ＵＥにより送信された、データサービススイッチステータス指示情報を含む第２のベアラリソース変更メッセージを受信する段階と、ＭＭＥがデータサービススイッチステータス指示情報をＳＧＷまたはＰＧＷへ転送する段階であって、データサービススイッチステータス指示情報は、ＵＥのデータサービスが有効化されたことをＳＧＷまたはＰＧＷに通知するために用いられる、段階とをさらに含む。
【００６６】
ＵＥのデータサービススイッチがオンにされた後に、ＭＭＥは、ＵＥのデータサービススイッチがオンにされたことをＳＧＷまたはＰＧＷなどのコアネットワークデバイスに適時に通知し得る。
【００６７】
第７の態様の第１の実装形態に関連して、第７の態様の第６の実装形態において、ＭＭＥが、ＵＥにより送信された、データサービススイッチステータス指示情報を含むアタッチ要求メッセージを受信する段階と、ＭＭＥがデータサービススイッチステータス指示情報をＳＧＷまたはＰＧＷへ転送する段階とは、ＭＭＥが、ＵＥにより送信された、データサービススイッチステータス指示情報を保持するＰＣＯを含むアタッチ要求メッセージを受信する段階と、ＭＭＥがＰＣＯをＳＧＷまたはＰＧＷへ転送し、これにより、ＳＧＷまたはＰＧＷがＰＣＯからデータサービススイッチステータス指示情報を取得する段階とを含む。
【００６８】
ＵＥのデータサービススイッチがオフにされた後に、ＭＭＥは、アタッチ要求メッセージ内のＰＣＯを用いることにより、ＵＥのデータサービススイッチがオフにされたことをＳＧＷまたはＰＧＷなどのコアネットワークデバイスに適時に通知し得る。
【００６９】
第７の態様の第２の実装形態に関連して、第７の態様の第７の実装形態において、ＭＭＥが、ＵＥにより送信された、データサービススイッチステータス指示情報を含む第１のベアラリソース変更メッセージを受信する段階と、ＭＭＥがデータサービススイッチステータス指示情報をＳＧＷまたはＰＧＷへ転送する段階とは、ＭＭＥが、ＵＥにより送信された、データサービススイッチステータス指示情報を保持するＰＣＯを含む第１のベアラリソース変更メッセージを受信する段階と、ＭＭＥがＰＣＯをＳＧＷまたはＰＧＷへ転送し、これにより、ＳＧＷまたはＰＧＷがＰＣＯからデータサービススイッチステータス指示情報を取得する段階とを含む。
【００７０】
ＵＥのデータサービススイッチがオフにされた後に、ＭＭＥは、第１のベアラリソース変更メッセージ内のＰＣＯを用いることにより、ＵＥのデータサービススイッチがオフにされたことをＳＧＷまたはＰＧＷなどのコアネットワークデバイスに適時に通知し得る。
【００７１】
第７の態様の第３の実装形態に関連して、第７の態様の第８の実装形態において、ＭＭＥが、ＵＥにより送信された、データサービススイッチステータス指示情報を含むＰＤＮ接続確立要求メッセージを受信する段階と、ＭＭＥがデータサービススイッチステータス指示情報をＳＧＷまたはＰＧＷへ転送する段階とは、ＭＭＥが、ＵＥにより送信された、データサービススイッチステータス指示情報を保持するＰＣＯを含むＰＤＮ接続確立要求メッセージを受信する段階と、ＭＭＥがＰＣＯをＳＧＷまたはＰＧＷへ転送し、これにより、ＳＧＷまたはＰＧＷがＰＣＯからデータサービススイッチステータス指示情報を取得する段階とを含む。
【００７２】
ＵＥのデータサービススイッチがオフにされた後に、ＭＭＥは、ＰＤＮ接続確立要求メッセージ内のＰＣＯを用いることにより、ＵＥのデータサービススイッチがオフにされたことをＳＧＷまたはＰＧＷなどのコアネットワークデバイスに適時に通知し得る。
【００７３】
第８の態様が、プロセッサとネットワークインタフェースとを含むＰＧＷを開示する。ネットワークインタフェースは、ＵＥから来るか、またはＵＥへ向かう第１のデータパケットを受信するように構成され、プロセッサは、ユーザ機器ＵＥのデータサービススイッチのステータスを判断するように構成され、データサービススイッチのステータスは、データサービススイッチがオンにされている、または、データサービススイッチがオフにされている、ということを含み、プロセッサはさらに、プロセッサが、データサービススイッチのステータスが、データサービススイッチがオフにされている、ということであると判断し、ネットワークインタフェースが、ＵＥから来るか、またはＵＥへ向かう第１のデータパケットを受信した後に、第１のデータパケットが指定されたタイプに属するかどうかを判断するように構成され、プロセッサはさらに、第１のデータパケットが指定されたタイプに属すると判断した場合、第１のデータパケットを転送するように構成され、プロセッサはさらに、第１のデータパケットが指定されたタイプに属さないと判断した場合、第１のデータパケットを破棄するように構成される。
【００７４】
第８の態様に関連して、第８の態様の第１の実装形態において、プロセッサが、第１のデータパケットが指定されたタイプに属するかどうかを判断する前に、プロセッサはさらに、ＵＥのサービス登録ステータスがＩＰマルチメディアサブシステムＩＭＳ登録状態であるかどうかを判断するように構成され、ＰＧＷが、ＵＥのサービス登録ステータスはＩＭＳ登録状態であると判断した場合、プロセッサは、第１のデータパケットが指定されたタイプに属するかどうかを判断する。
【００７５】
第８の態様の第１の実装形態に関連して、第８の態様の第２の実装形態において、プロセッサはさらに、ＵＥのサービス登録ステータスはＩＭＳ登録状態であると判断した後に、ＵＥのデータサービススイッチのステータスが、データサービススイッチがオフにされている、ということである場合、ネットワークインタフェースを用いることにより第１のステータス通知メッセージをＩＰマルチメディアサブシステムＩＭＳネットワークへ送信するように構成される。第１のステータス通知メッセージは、ＵＥのデータサービススイッチのステータスが、データサービススイッチがオフにされている、ということであるとＩＭＳネットワークに通知するために用いられる。
【００７６】
第８の態様または第８の態様の第１の実装形態もしくは第２の実装形態に関連して、第８の態様の第３の実装形態において、プロセッサはさらに、第１のデータパケットを転送した後に、ネットワークインタフェースを用いることにより、ＵＥのデータサービススイッチのステータスが、データサービススイッチがオフにされている、ということであると課金システムに通知するように構成される。
【００７７】
第８の態様の第３の実装形態に関連して、第８の態様の第４の実装形態において、ネットワークインタフェースを用いることにより、ＵＥのデータサービススイッチのステータスが、データサービススイッチがオフにされている、ということであると課金システムに通知するためにプロセッサにより用いられる方式は具体的には、プロセッサが、第１のデータパケットに従って生成された課金データ記録ＣＤＲに第１の指示情報を追加することであって、第１の指示情報は、ＵＥのデータサービススイッチがオフにされていることを課金システムに通知するために用いられる、追加すること、または、プロセッサが、第１のクレジット制御要求ＣＣＲメッセージにおいて、ＵＥのデータサービススイッチがオフにされていることを課金システムに通知することである。
【００７８】
第８の態様または第８の態様の第１の実装形態から第４の実装形態のうちのいずれか１つに関連して、第８の態様の第５の実装形態において、プロセッサが、第１のデータパケットが指定されたタイプに属するかどうかを判断することは具体的には、プロセッサが、第１のデータパケットが、ＵＥによりＩＭＳアクセスポイント名ＡＰＮに対応するパケットデータネットワークＰＤＮネットワークへ送信されるアップリンクデータパケットまたはＩＭＳ  ＡＰＮに対応するＰＤＮネットワークによりＵＥへ送信されるダウンリンクデータパケットと、指定されたサービスサーバのアドレスから来てＵＥへ向かうデータパケットと、ＩＰアドレスを管理するために用いられるデータパケットと、指定されたサービスタイプのデータパケットとのうちの１つまたは複数を含むかどうかを判断することである。
【００７９】
第８の態様の第５の実装形態に関連して、第８の態様の第６の実装形態において、プロセッサが、第１のデータパケットが指定されたサービスタイプのデータパケットであるかどうかを判断することは具体的には、プロセッサが、第１のデータパケットに対してディープパケットインスペクションＤＰＩを実行し、第１のデータパケットが指定されたサービスタイプのデータパケットであるかどうかを判断すること、またはプロセッサが、第１のデータパケットに含まれるサービスタイプ指示情報に基づいて、第１のデータパケットが指定されたサービスタイプのデータパケットであるかどうかを判断することである。
【００８０】
第８の態様または第８の態様の第１の実装形態から第６の実装形態のうちのいずれか１つに関連して、第８の態様の第７の実装形態において、ネットワークインタフェースはさらに、ＵＥから来るか、またはＵＥへ向かう第２のデータパケットを受信するように構成され、プロセッサはさらに、プロセッサが、データサービススイッチのステータスが、データサービススイッチがオフにされている状態から、データサービススイッチがオンにされている状態に切り換えられたと判断し、ネットワークインタフェースが、ＵＥから来るか、またはＵＥへ向かう第２のデータパケットを受信した後に、第２のデータパケットを転送するように構成される。
【００８１】
第８の態様の第７の実装形態に関連して、第８の態様の第８の実装形態において、プロセッサはさらに、ＵＥのサービス登録ステータスはＩＭＳ登録状態であると判断した後に、ＵＥのデータサービススイッチのステータスが、データサービススイッチがオンにされている、ということである場合、ネットワークインタフェースを用いることにより第２のステータス通知メッセージをＩＰマルチメディアサブシステムＩＭＳネットワークへ送信するように構成される。第２のステータス通知メッセージは、ＵＥのデータサービススイッチのステータスが、データサービススイッチがオンにされている、ということであるとＩＭＳネットワークに通知するために用いられる。
【００８２】
第８の態様の第７の実装形態または第８の実装形態に関連して、第８の態様の第９の実装形態において、プロセッサはさらに、第２のデータパケットを転送した後に、ネットワークインタフェースを用いることにより、ＵＥのデータサービススイッチのステータスが、データサービススイッチがオンにされている、ということであると課金システムに通知するように構成される。
【００８３】
第８の態様の第９の実装形態に関連して、第８の態様の第１０の実装形態において、ネットワークインタフェースを用いることにより、ＵＥのデータサービススイッチのステータスが、データサービススイッチがオンにされている、ということであると課金システムに通知するためにプロセッサにより用いられる方式は具体的には、プロセッサが、第２のデータパケットに従って生成された課金データ記録ＣＤＲに第２の指示情報を追加することであって、第２の指示情報は、ＵＥのデータサービススイッチがオンにされていることを課金システムに通知するために用いられる、追加すること、または、プロセッサが、第２のＣＣＲメッセージにおいて、ＵＥのデータサービススイッチがオンにされていることを課金システムに通知することである。
【００８４】
プ第９の態様が、プロセッサとネットワークインタフェースとを含むＰＧＷを開示する。ネットワークインタフェースは、ＵＥから来るか、またはＵＥへ向かう第１のデータパケットを受信するように構成される。プロセッサは、ユーザ機器ＵＥのデータサービススイッチのステータスを判断するように構成される。プロセッサはさらに、プロセッサが、データサービススイッチのステータスが、データサービススイッチがオフにされている、ということであると判断し、ネットワークインタフェースが、ＵＥから来るか、またはＵＥへ向かう第１のデータパケットを受信した後に、ＵＥのサービス登録ステータスが回線交換フォールバックＣＳＦＢ複合登録のみの状態であるか、または進化型パケットシステムＥＰＳ登録のみの状態であるかを判断するように構成される。プロセッサはさらに、ＵＥのサービス登録ステータスはＣＳＦＢ複合登録のみの状態またはＥＰＳ登録のみの状態であると判断した場合、第１のデータパケットを破棄するように構成される。データサービススイッチのステータスは、データサービススイッチがオンにされている、または、データサービススイッチがオフにされている、ということを含み、ＣＳＦＢ複合登録のみの状態は、ＵＥが、回線交換ＣＳネットワークおよびＥＰＳネットワークの両方に登録されているが、ＩＰマルチメディアサブシステムＩＭＳネットワークには登録されていない状態を含む。
【００８５】
第１０の態様が、プロセッサとネットワークインタフェースとを含むＰＧＷを開示する。ネットワークインタフェースは、ＵＥから来るか、またはＵＥへ向かう第１のデータパケットを受信するように構成される。プロセッサは、ユーザ機器ＵＥのデータサービススイッチのステータスを判断するように構成され、データサービススイッチのステータスは、データサービススイッチがオンにされている、または、データサービススイッチがオフにされている、ということを含む。プロセッサはさらに、データサービススイッチのステータスが、データサービススイッチがオフにされている、ということであり、ネットワークインタフェースが、ＵＥから来るか、またはＵＥへ向かう第１のデータパケットを受信した後に、第１のデータパケットを転送し、第１のデータパケットに従って生成された課金データ記録ＣＤＲに第１の指示情報を追加するように構成される。第１の指示情報は、ＵＥのデータサービススイッチがオフにされていることを課金システムに通知するために用いられる。
【００８６】
第１０の態様に関連して、第１０の態様の第１の実装形態において、プロセッサはさらに、第１のデータパケットを転送する前に、ＵＥのサービス登録ステータスがＩＭＳ登録状態であることを判断するように構成される。
【００８７】
第１０の態様または第１０の態様の第１の実装形態に関連して、第８の態様の第２の実装形態において、ネットワークインタフェースはさらに、ＵＥから来るか、またはＵＥへ向かう第２のデータパケットを受信するように構成される。プロセッサはさらに、データサービススイッチのステータスが、データサービススイッチがオンにされている、ということであり、ネットワークインタフェースが、ＵＥから来るか、またはＵＥへ向かう第２のデータパケットを受信した後に、第２のデータパケットを転送し、第２のデータパケットに従って生成されたＣＤＲに第２の指示情報を追加するように構成される。第２の指示情報は、ＵＥのデータサービススイッチがオンにされていることを課金システムに通知するために用いられる。
【００８８】
第１０の態様または第１０の態様の第１の実装形態に関連して、第１０の態様の第３の実装形態において、プロセッサが、ＵＥのデータサービススイッチのステータスを判断することは具体的には、プロセッサが、ＵＥによりモビリティ管理エンティティＭＭＥを用いることにより送信されたプロトコル構成オプションＰＣＯを受信することである。ＰＣＯは、データサービススイッチステータス指示情報を含む。データサービススイッチステータス指示情報は、ＵＥのデータサービススイッチのステータスを示すために用いられる。
【００８９】
第１１の態様が、プロセッサとネットワークインタフェースとを含むＵＥを開示する。ネットワークインタフェースは、サービス確立メッセージをＭＭＥへ送信するように構成される。プロセッサは、ネットワークインタフェースを用いることによりサービス確立メッセージをＭＭＥへ送信するように構成される。サービス確立メッセージは、データサービススイッチステータス指示情報および／またはサービス登録ステータス指示情報を含む。データサービススイッチステータス指示情報は、ＵＥのデータサービススイッチのステータスをＰＧＷに示すために用いられる。サービス登録ステータス指示情報は、ＵＥのサービス登録ステータスを示すために用いられる。データサービススイッチのステータスは、データサービススイッチがオンにされている、または、データサービススイッチがオフにされている、ということを含む。
【００９０】
第１１の態様に関連して、第１１の態様の第１の実装形態において、
【００９１】
第１１の態様の第１の実装形態に関連して、第１１の態様の第２の実装形態において、
【００９２】
第１２の態様が、プロセッサとネットワークインタフェースとを含むＵＥを開示する。ネットワークインタフェースは、サービス確立メッセージをＭＭＥへ送信するように構成される。プロセッサは、ネットワークインタフェースを用いることによりサービス確立メッセージをＭＭＥへ送信するように構成される。サービス確立メッセージは、データサービススイッチステータス指示情報を含む。データサービススイッチステータス指示情報は、ＵＥのデータサービススイッチのステータスをＰＧＷに示すために用いられる。データサービススイッチのステータスは、データサービススイッチがオンにされている、または、データサービススイッチがオフにされている、ということを含む。
【００９３】
第１２の態様に関連して、第１２の態様の第１の実装形態において、プロセッサはさらに、ＵＥのデータサービススイッチのステータスが変わったかどうかを判断するように構成され、プロセッサが、ネットワークインタフェースを用いることによりサービス確立メッセージをＭＭＥへ送信することは具体的には、プロセッサが、データサービススイッチのステータスが変わったと判断した場合、プロセッサが、ネットワークインタフェースを用いることにより、データサービススイッチステータス指示情報を含むサービス確立メッセージをＭＭＥへ送信することである。
【００９４】
第１２の態様または第１２の態様の第１の実装形態に関連して、第１２の態様の第２の実装形態において、サービス確立メッセージは、プロトコル構成オプションＰＣＯを含み、ＰＣＯは、データサービススイッチステータス指示情報を含む。
【００９５】
第１２の態様または第１２の態様の第１の実装形態もしくは第２の実装形態に関連して、第１２の態様の第３の実装形態において、サービス確立メッセージは、アタッチ要求メッセージ、ベアラリソース変更メッセージおよびＰＤＮ接続確立要求メッセージのうちの１つまたは複数を含む。
【００９６】
第１３の態様がデータサービス制御方法を開示する。当該方法は、パケットデータネットワークゲートウェイＰＧＷが、ユーザ機器ＵＥから来るか、またはユーザ機器ＵＥへ向かう第１のデータパケットを受信した後に、第１のデータパケットを転送する段階と、ＰＧＷが、第１のデータパケットが指定されたタイプに属するかどうかを判断する段階と、第１のデータパケットが指定されたタイプに属する場合、ＰＧＷが、第１のデータパケットに従って生成された課金データ記録ＣＤＲに第４の指示情報を追加する段階であって、第４の指示情報は、第１のデータパケットに課金しないよう課金システムに命令するために用いられる、段階とを含む。
【００９７】
第１３の態様に関連して、第１３の態様の第１の実装形態において、ＰＧＷが、第１のデータパケットが指定されたタイプに属するかどうかを判断する段階は、ＰＧＷが、第１のデータパケットが、ＵＥによりＩＭＳアクセスポイント名ＡＰＮに対応するパケットデータネットワークＰＤＮネットワークへ送信されるアップリンクデータパケットまたはＩＭＳ  ＡＰＮに対応するＰＤＮネットワークによりＵＥへ送信されるダウンリンクデータパケットと、指定されたサービスサーバのアドレスから来てＵＥへ向かうデータパケットと、ＩＰアドレスを管理するために用いられるデータパケットと、指定されたサービスタイプのデータパケットとのうちの１つまたは複数を含むかどうかを判断する段階を含む。
【００９８】
第１３の態様の第１の実装形態に関連して、第１３の態様の第２の実装形態において、ＰＧＷが、第１のデータパケットが指定されたサービスタイプのデータパケットであるかどうかを判断する段階は、ＰＧＷが、第１のデータパケットに対してディープパケットインスペクションＤＰＩを実行し、第１のデータパケットが指定されたサービスタイプのデータパケットであるかどうかを判断する段階、またはＰＧＷが、第１のデータパケットに含まれるサービスタイプ指示情報に基づいて、第１のデータパケットが指定されたサービスタイプのデータパケットであるかどうかを判断する段階を含む。
【００９９】
第１３の態様または第１３の態様の第１の実装形態もしくは第２の実装形態に関連して、第１３の態様の第３の実装形態において、ＰＧＷが第１のデータパケットを転送する段階の前に、方法は、ＰＧＷが、ユーザ機器ＵＥのデータサービススイッチのステータスが、データサービススイッチがオフにされている、ということであると判断する段階をさらに含む。
【０１００】
第１３の態様の第３の実装形態に関連して、第１３の態様の第４の実装形態において、ＰＧＷが、ユーザ機器ＵＥのデータサービススイッチのステータスが、データサービススイッチがオフにされている、ということであると判断する段階の後に、方法は、ＰＧＷが、第１のデータパケットに従って生成された課金データ記録ＣＤＲに第１の指示情報を追加する段階をさらに含む。第１の指示情報は、ＵＥのデータサービススイッチがオフにされていることを課金システムに通知するために用いられる。
【０１０１】
第１４の態様が、プロセッサとネットワークインタフェースとを含むＰＧＷを開示する。ネットワークインタフェースは、ユーザ機器ＵＥから来るか、またはユーザ機器ＵＥへ向かう第１のデータパケットを受信するように構成される。プロセッサは、第１のデータパケットを転送するように構成される。プロセッサはさらに、第１のデータパケットが指定されたタイプに属するかどうかを判断するように構成される。プロセッサはさらに、第１のデータパケットが指定されたタイプに属する場合、第１のデータパケットに従って生成された課金データ記録ＣＤＲに第４の指示情報を追加するように構成される。第４の指示情報は、第１のデータパケットに課金しないよう課金システムに命令するために用いられる。
【０１０２】
第１４の態様に関連して、第１４の態様の第１の実装形態において、プロセッサが第１のデータパケットを転送する前に、プロセッサはさらに、第１のデータパケットが、ＵＥによりＩＭＳアクセスポイント名ＡＰＮに対応するパケットデータネットワークＰＤＮネットワークへ送信されるアップリンクデータパケットまたはＩＭＳ  ＡＰＮに対応するＰＤＮネットワークによりＵＥへ送信されるダウンリンクデータパケットと、指定されたサービスサーバのアドレスから来てＵＥへ向かうデータパケットと、ＩＰアドレスを管理するために用いられるデータパケットと、指定されたサービスタイプのデータパケットとのうちの１つまたは複数を含むかどうかを判断するように構成される。
【０１０３】
第１４の態様または第１４の態様の第１の実装形態に関連して、第１４の態様の第２の実装形態において、第１のデータパケットが指定されたサービスタイプのデータパケットであるかどうかを判断するためにプロセッサにより用いられる方式は具体的には、プロセッサが、第１のデータパケットに対してディープパケットインスペクションＤＰＩを実行し、第１のデータパケットが指定されたサービスタイプのデータパケットであるかどうかを判断すること、またはプロセッサが、第１のデータパケットに含まれるサービスタイプ指示情報に基づいて、第１のデータパケットが指定されたサービスタイプのデータパケットであるかどうかを判断することである。
【０１０４】
第１４の態様または第１４の態様の第１の実装形態もしくは第２の実装形態に関連して、第１４の態様の第３の実装形態において、プロセッサはさらに、第１のデータパケットを転送する前に、ユーザ機器ＵＥのデータサービススイッチのステータスが、データサービススイッチがオフにされている、ということであると判断するように構成される。
【０１０５】
第１４の態様の第３の実装形態に関連して、第１４の態様の第４の実装形態において、プロセッサはさらに、ユーザ機器ＵＥのデータサービススイッチのステータスが、データサービススイッチがオフにされている、ということであると判断した後に、第１のデータパケットに従って生成された課金データ記録ＣＤＲに第１の指示情報を追加するように構成される。第１の指示情報は、ＵＥのデータサービススイッチがオフにされていることを課金システムに通知するために用いられる。
【図面の簡単な説明】
【０１０６】
本願の実施形態における技術的解決手段をより明確に説明するために、実施形態に必要な添付図面を以下に簡潔に説明する。以下の説明における添付図面は、本願のいくつかの実施形態を示すに過ぎず、当業者が創造的努力をすることなくこれらの添付図面から他の図面を依然として導き出し得ることは明らかである。
【０１０７】
【図１】本願の実施形態によるネットワークアーキテクチャの概略図である。
【０１０８】
【図２ａ】本願の実施形態によるデータサービス制御方法の概略フローチャートである。
【０１０９】
【図２ｂ】本願の実施形態による別のデータサービス制御方法の概略フローチャートである。
【０１１０】
【図２ｃ】本願の実施形態による別のデータサービス制御方法の概略フローチャートである。
【０１１１】
【図３】本願の実施形態による別のデータサービス制御方法の概略フローチャートである。
【０１１２】
【図４】本願の実施形態による別のデータサービス制御方法の概略フローチャートである。
【０１１３】
【図４ａ】本願の実施形態による別のデータサービス制御方法の概略フローチャートである。
【０１１４】
【図４ｂ】本願の実施形態による別のデータサービス制御方法の概略フローチャートである。
【０１１５】
【図５】本願の実施形態による別のデータサービス制御方法の概略フローチャートである。
【０１１６】
【図６】本願の実施形態によるＵＥの概略構造図である。
【０１１７】
【図７】本願の実施形態によるＰＧＷの概略構造図である。
【０１１８】
【図７ａ】本願の実施形態による別のＰＧＷの概略構造図である。
【０１１９】
【図７ｂ】本願の実施形態による別のＰＧＷの概略構造図である。
【０１２０】
【図８】本願の実施形態による別のＵＥの概略構造図である。
【発明を実施するための形態】
【０１２１】
本願の実施形態をより良く理解するために、本願の本実施形態において開示されるネットワークアーキテクチャがまず、以下に説明される。図１を参照すると、図１は、本願の実施形態によるネットワークアーキテクチャの概略図である。図１に示されるように、ネットワークアーキテクチャは、ユーザ機器（英語：Ｕｓｅｒ  Ｅｑｕｉｐｍｅｎｔ、略して、ＵＥ）１０１と、進化型ユニバーサル地上無線アクセスネットワーク（英語：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、略して、Ｅ−ＵＴＲＡＮ）１０２と、サービングゲートウェイ（英語：Ｓｅｒｖｉｎｇ  Ｇａｔｅｗａｙ、略して、ＳＧＷ）１０３と、パケットデータネットワークゲートウェイ（英語：ＰＤＮ  Ｇａｔｅｗａｙ、略して、ＰＧＷ）１０４と、外部パケットデータネットワーク（英語：Ｐａｃｋｅｔ  Ｄａｔａ  Ｎｅｔｗｏｒｋ、略して、ＰＤＮ）１０５と、ポリシーおよび課金ルール機能（英語：Ｐｏｌｉｃｙ  ａｎｄ  Ｃｈａｒｇｉｎｇ  Ｒｕｌｅｓ  Ｆｕｎｃｔｉｏｎ、略して、ＰＣＲＦ）１０６と、モビリティ管理エンティティ（英語：Ｍｏｂｉｌｉｔｙ  Ｍａｎａｇｅｍｅｎｔ  Ｅｎｔｉｔｙ、略して、ＭＭＥ）１０７と、ホーム加入者サーバ（英語：Ｈｏｍｅ  Ｓｕｂｓｃｒｉｂｅｒ  Ｓｅｒｖｅｒ、略して、ＨＳＳ）１０８と、サービングＧＰＲＳサポートノード（英語：Ｓｅｒｖｉｎｇ  ＧＰＲＳ  Ｓｕｐｐｏｒｔ  Ｎｏｄｅ、略して、ＳＧＳＮ）１０９とを含む。ＬＴＥデータサービスにおいて、様々なデータサービスのデータパケットは全て、ユーザ機器１０１と、進化型ユニバーサル地上無線アクセスネットワーク１０２と、サービングゲートウェイ１０３と、パケットデータネットワークゲートウェイ１０４と、外部パケットデータネットワーク１０５との間で確立されたアップリンクデータ伝送チャネルまたはダウンリンクデータ伝送チャネル上で伝送される。
【０１２２】
図２ａを参照すると、図２ａは、本願の実施形態によるデータサービス制御方法の概略フローチャートである。図２ａに示されるように、方法は、以下の段階を含む。
【０１２３】
２０１：パケットデータネットワークゲートウェイＰＧＷがユーザ機器ＵＥのデータサービススイッチのステータスを判断する段階である。データサービススイッチのステータスは、データサービススイッチがオンにされている、または、データサービススイッチがオフにされている、ということを含む。
【０１２４】
本願の本実施形態において、ＵＥは、ロングタームエボリューションＬＴＥネットワークに登録されたユーザ機器である。パケットデータネットワークゲートウェイＰＧＷ（英語：Ｐａｃｋｅｔ  Ｄａｔａ  Ｎｅｔｗｏｒｋ  Ｇａｔｅｗａｙ）がユーザ機器ＵＥ（Ｕｓｅｒ  Ｅｑｕｉｐｍｅｎｔ）のデータサービスのステータスを判断することは、ＰＧＷが、ＵＥにより送信された、ＵＥのデータサービススイッチのステータスを示す指示情報を受信し、指示情報からＵＥのデータサービススイッチのステータスを取得することであり得る。特定のシナリオにおいて、例えば、データサービスを無効化するユーザ操作（例えば、ユーザがＵＥのデータサービススイッチをオフにした場合）をＵＥが受信した場合、ＵＥは、ＵＥのデータサービススイッチのステータスを示す指示情報をＭＭＥへ送信する。モビリティ管理エンティティＭＭＥ（英語：Ｍｏｂｉｌｉｔｙ  Ｍａｎａｇｅｍｅｎｔ  Ｅｎｔｉｔｙ）は、指示情報をサービングゲートウェイＳＧＷ（英語：Ｓｅｒｖｉｎｇ  Ｇａｔｅｗａｙ）へ転送する。ＳＧＷは、指示情報をＰＧＷへ転送する。ＰＧＷは、指示情報からＵＥのデータサービススイッチのステータスを取得する。データサービススイッチのステータスは、データサービススイッチがオンにされている、または、データサービススイッチがオフにされている、ということを含む。データサービススイッチは、データスイッチとも称される。
【０１２５】
任意選択的に、段階２０１は、ＰＧＷが、モビリティ管理エンティティＭＭＥを用いることによりＵＥにより送信されたプロトコル構成オプションＰＣＯを受信する段階を含み得る。ＰＣＯは、データサービススイッチステータス指示情報を含む。データサービススイッチステータス指示情報は、ＵＥのデータサービススイッチのステータスを示すために用いられる。
【０１２６】
本願の本実施形態において、ＵＥは、サービス確立メッセージ（サービス確立メッセージは、アタッチ要求メッセージ、ベアラリソース変更メッセージ、ＰＤＮ接続確立要求メッセージまたは同様のものであり得る）をＭＭＥへ送信し得る。サービス確立メッセージは、データサービススイッチステータス指示情報を含む。データサービススイッチステータス指示情報は、ＵＥのデータサービススイッチのステータスを示すために用いられる。具体的には、ＵＥは、ＭＭＥへ送信されたプロトコル構成オプション（英語：Ｐｒｏｔｏｃｏｌ  Ｃｏｎｆｉｇｕｒａｔｉｏｎ  Ｏｐｔｉｏｎｓ、略して、ＰＣＯ）にデータサービススイッチステータス指示情報を追加し得る。データサービススイッチステータス指示情報は、ＵＥのデータサービススイッチのステータスを示すために用いられる。ＭＭＥは、サービス確立メッセージを用いることにより、ＰＣＯをＳＧＷへトランスペアレントに伝送する（トランスペアレントな伝送は、ＰＣＯが伝送プロセスにおいて処理されないことを意味する）。次に、ＳＧＷは、サービス確立メッセージを用いることによりＰＣＯをＰＧＷへトランスペアレントに伝送する。ＰＣＯを取得した後に、ＰＧＷは、ＰＣＯにおいて保持されているデータサービススイッチステータス指示情報を取得する。このように、ＰＧＷは、ＵＥのデータサービススイッチのステータスを認識する。任意選択的に、ＰＣＯは暗号化され得、それにより、ＰＣＯのトランスペアレントな伝送のセキュリティが改善され得る。例えば、ＰＣＯは、ユーザの（ユーザ名またはパスワードなどの）識別情報を用いることにより暗号化され得る。ＰＧＷは、ＵＥにより送信されたＰＣＯにおけるデータサービススイッチステータス指示情報に基づいて、ＵＥのデータサービススイッチのステータスを判断する。ＵＥのデータサービススイッチが変わった場合、ＰＧＷは、ＵＥのデータサービススイッチのステータスを適時に通知され得る。
【０１２７】
２０２：データサービススイッチのステータスが、データサービススイッチがオフにされている、ということであり、ＰＧＷが、ＵＥから来るか、またはＵＥへ向かう第１のデータパケットを受信した後に、ＰＧＷが、第１のデータパケットが指定されたタイプに属するかどうかを判断し、Ｙｅｓの場合、段階２０３を実行し、またはＮｏの場合、段階２０４を実行する段階である。
【０１２８】
任意選択的に、ＰＧＷが、ＵＥのサービス登録ステータスはＩＭＳ登録状態にあると判断した後に、ＵＥのデータサービススイッチのステータスが、データサービススイッチがオフにされている、ということである場合、ＰＧＷは、第１のステータス通知メッセージをＩＰマルチメディアサブシステムＩＭＳネットワークへ送信する。第１のステータス通知メッセージは、ＵＥのデータサービススイッチのステータスが、データサービススイッチがオフにされている、ということであるとＩＭＳネットワークに通知するために用いられる。
【０１２９】
具体的には、ＰＧＷが第１のステータス通知メッセージをＩＰマルチメディアサブシステムＩＭＳネットワークへ送信することは具体的には、まず、ＰＧＷが第１のステータス通知メッセージをポリシーおよび課金ルール機能（英語：Ｐｏｌｉｃｙ  ａｎｄ  Ｃｈａｒｇｉｎｇ  Ｒｕｌｅｓ  Ｆｕｎｃｔｉｏｎ、略して、ＰＣＲＦ）へ送信し、次に、ＰＣＲＦが第１のステータス通知メッセージをＩＰマルチメディアサブシステムＩＭＳネットワークへ転送することであり得る。
【０１３０】
ＰＧＷは、ＵＥのデータサービススイッチのステータスをＩＭＳネットワークに通知し得る。これにより、ＩＭＳネットワークは、ＵＥのデータサービススイッチのステータスに基づいて、ＵＥへのデータの送信を続けるかどうかを判断する。
【０１３１】
２０３：ＰＧＷが第１のデータパケットを転送する段階である。
【０１３２】
２０４：ＰＧＷが第１のデータパケットを破棄する段階である。
【０１３３】
本願の本実施形態において、ＵＥのデータサービススイッチのステータスが、データサービススイッチがオフにされている、ということであり、ＰＧＷが、ＵＥから来るか、またはＵＥへ向かう第１のデータパケットを受信した後に、ＰＧＷは、第１のデータパケットのタイプに基づいて、第１のデータパケットを転送または破棄する。具体的には、ＰＧＷは、第１のデータパケットが指定されたタイプに属するかどうかを判断する。第１のデータパケットが指定されたタイプに属する場合、ＰＧＷは、第１のデータパケットを転送するか、または第１のデータパケットが指定されたタイプに属さない場合、ＰＧＷは、第１のデータパケットを破棄する。指定されたタイプは、ＵＥによりＩＭＳ  ＡＰＮに対応するＰＤＮネットワークへ送信されるアップリンクデータパケットまたはＩＭＳ  ＡＰＮに対応するＰＤＮネットワークによりＵＥへ送信されるダウンリンクデータパケットと、指定されたサービスサーバのアドレス（例えば、リッチコミュニケーションスイートＲＣＳサーバのアドレス）から来てＵＥへ向かうデータパケットと、ＩＰアドレスを管理するために用いられるデータパケットと、（ボイスオーバーＬＴＥ  ＶｏＬＴＥサービスまたはリッチコミュニケーションスイートＲＣＳサービスなどの）指定されたサービスタイプのデータパケットと、同様のものとを含み得る。指定されたタイプは、ＵＥまたは（ホーム加入者サーバＨＳＳ、プロキシコールセッション制御機能Ｐ−ＣＳＣＦまたはアプリケーション機能ＡＦなどの）ネットワーク側デバイスにより、予め設定され、ＰＧＷへ送信され得るか、または、ＰＧＷにより、ＵＥのサービス登録ステータスに基づいて、予め設定され、記憶され得る。
【０１３４】
任意選択的に、指定されたタイプのデータパケットは、以下の４つのうちの１つまたはそれらの組み合わせであり得る。
【０１３５】
（１）ＩＭＳアクセスポイント名ＡＰＮに対応するパケットデータネットワークＰＤＮネットワークへＵＥにより送信されるアップリンクデータパケットまたはＩＭＳ  ＡＰＮに対応するＰＤＮネットワークによりＵＥへ送信されるダウンリンクデータパケット、言い換えると、ＵＥのＩＭＳサービスのアップリンクデータパケットまたはダウンリンクデータパケット。ＩＭＳサービスが正常に実行され得ることを保証するために、ＵＥのデータサービススイッチがオフにされた後、ＰＧＷは、ＩＭＳサービスのアップリンクデータパケットまたはダウンリンクデータパケットの転送を続ける。
【０１３６】
（２）指定されたサービスサーバのアドレス（例えば、リッチコミュニケーションスイートＲＣＳサーバのアドレス）から来てＵＥへ向かうデータパケット。指定されたサービスサーバのアドレスは、ＵＥまたはＰＧＷにより予め設定され得、ＰＧＷに記憶される。ＰＧＷは、第１のデータパケットの送信元アドレスが、指定されたサービスサーバの予め格納されたアドレスであるかどうかを判断し、Ｙｅｓの場合、第１のデータパケットは指定されたタイプに属すると判断する。
【０１３７】
（３）ＩＰアドレスを管理するために用いられるデータパケット。
【０１３８】
ＩＰアドレスを管理するために用いられるデータパケットは、ＩＰアドレスを管理する、ＩＰアドレスを割り当てる等のために用いられるデータパケットである。例えば、データパケットは、ＩＰアドレスを自動的に割り当てるために用いられる動的ホスト構成プロトコル（英語：Ｄｙｎａｍｉｃ  Ｈｏｓｔ  Ｃｏｎｆｉｇｕｒａｔｉｏｎ  Ｐｒｏｔｏｃｏｌ、略して、ＤＨＣＰ）データパケットであり得る。
【０１３９】
具体的には、データパケットが、ＩＰアドレスを管理するために用いられるデータパケットに属するかどうかは、ポート番号およびいくつかの特定のフィールドなどの情報に基づいてデータパケットを解析することにより判断され得る。当然ながら、判断は別の方式で実行され得る。このことは、本願において特に限定されない。ＵＥのデータサービススイッチのステータスが、データサービススイッチがオフにされている、ということであった後は、重要なサービスに影響を与えることなく、指定されたタイプのデータパケットが連続的に転送され得ることが保証され得る。
【０１４０】
例えば、ＰＧＷが、ＵＥへ向かうデータパケット１を受信し、データパケット１を解析することにより、データパケット１に対応するポート番号ＵＤＰ６７／６８を取得した場合、データパケット１は、ＤＨＣＰデータパケットと判断され得る。
【０１４１】
ＵＥのデータサービススイッチのステータスが、データサービススイッチがオフにされている、ということであった後、ＰＧＷは、ＩＰアドレスを管理するために用いられる、ＵＥから来るか、またはＵＥへ向かうデータパケットの転送を続け、それにより、ＵＥのデータサービススイッチのステータスが、データサービススイッチがオフにされている、ということであった後はＩＰアドレス管理サービスがスムーズに実行されることを保証する。
【０１４２】
（４）ボイスオーバーＬＴＥ  ＶｏＬＴＥサービスまたはリッチコミュニケーションスイートＲＣＳサービスなど、指定されたサービスタイプのデータパケット。例えば、ＵＥの指定されたサービスタイプは、ＵＥのＨＳＳに記憶され、ＰＧＷは、ＵＥのＨＳＳにより送信される指定されたサービスタイプを受信および記憶する。代替的に、オペレータが直接、指定されたサービスタイプを設定し、指定されたサービスタイプをＰＧＷに記憶させる。ＰＧＷは、記憶されている、指定されたサービスタイプに基づいて、第１のデータパケットが指定されたサービスタイプのデータパケットであるかどうかを判断する。ＵＥのデータサービススイッチのステータスが、データサービススイッチがオフにされている、ということであった後は、指定されたサービスタイプのデータパケットが連続的に転送され得ることが保証され得る。
【０１４３】
任意選択的に、ＰＧＷは、第１のデータパケットが指定されたサービスタイプのデータパケットであるかどうかを判断することは具体的には、以下のことであり得る。
【０１４４】
（１）ＰＧＷは、第１のデータパケットに対してディープパケットインスペクションＤＰＩを実行する。
【０１４５】
ＤＰＩについては、データパケットに対応するＩＰ５−タプル（送信元ＩＰアドレス、送信元ポート、宛先ＩＰアドレス、宛先ＩＰアドレスおよびトランスポート層プロトコル）の分析に加え、アプリケーション分析、ユーザ分析、ネットワーク要素分析、トラフィック管理および制御ならびに同様のものがデータパケットに対してさらに実行され得る。第１のデータパケットが指定されたサービスタイプのデータパケットであるかどうかは、第１のデータパケットに対してディープパケットインスペクションを実行することにより判断され得る。
【０１４６】
（２）ＰＧＷは、第１のデータパケットに含まれるサービスタイプ指示情報に基づいて、第１のデータパケットが指定されたサービスタイプのデータパケットであるかどうかを判断する。
【０１４７】
例えば、ＲＣＳサービスサーバまたはＵＥは、ＲＣＳサービスデータパケットにおけるＤＳＣＰフィールドを特別な値に設定し得、ＰＧＷは、このデータパケットを受信した後に、ＤＳＣＰが指定された特別な値であることに基づいて、このデータパケットがＲＣＳサービスデータパケットであることを判断し得る。
【０１４８】
任意選択的に、段階２０２は、ＰＧＷが、ＵＥのサービス登録ステータスはＩＭＳ登録状態であると判断した場合、ＰＧＷが、第１のデータパケットが指定されたタイプに属するかどうかを判断する段階を含み得る。
【０１４９】
ＰＧＷは、ＵＥによりＭＭＥを用いることにより送信された、ＵＥのサービス登録ステータスを示す指示情報に基づいて、ＵＥのサービス登録ステータスを判断し得る。例えば、ＵＥは、サービス確立メッセージ（サービス確立メッセージは、アタッチ要求メッセージ、ベアラリソース変更メッセージ、ＰＤＮ接続確立要求メッセージまたは同様のものであり得る）をＭＭＥへ送信し得る。サービス確立メッセージは、サービス登録ステータス指示情報を含む。サービス登録ステータス指示情報は、ＵＥのサービス登録ステータスを示すために用いられる。具体的には、ＵＥは、ＭＭＥへ送信されたＰＣＯにサービス登録ステータス指示情報を追加し得る。サービス登録ステータス指示情報は、ＵＥのサービス登録ステータスを示すために用いられる。ＭＭＥは、サービス確立メッセージを用いることにより、ＰＣＯをＳＧＷへトランスペアレントに伝送する。次に、ＳＧＷは、サービス確立メッセージを用いることにより、ＰＣＯをＰＧＷへトランスペアレントに伝送する。ＰＣＯを取得した後に、ＰＧＷは、ＰＣＯにおいて保持されているサービス登録ステータス指示情報を取得する。このように、ＰＧＷは、ＵＥのサービス登録ステータスを認識する。ＰＧＷが、ＵＥのサービス登録ステータスはＩＭＳ登録状態であると判断した場合、ＰＧＷは、第１のデータパケットが指定されたタイプに属するかどうかを判断する。本願の本実施形態において、指定されたタイプのデータパケットは、デフォルトで、ＩＭＳサービスに基づくデータパケットとみなされる。ＰＧＷは、ＵＥのサービス登録ステータスがＩＭＳ登録状態であると判断した場合にのみ、指定されたタイプのデータパケットを転送する。本願の本実施形態の実行中、ＰＧＷは、ＵＥのサービス登録ステータスがＩＭＳ登録状態である場合にのみ、指定されたタイプの第１のデータパケットを転送する。このように、ＵＥのデータサービススイッチがオフにされた後は、ＩＭＳサービスのデータパケットが正常に送信され得ることが保証され得る。
【０１５０】
図２ａに示される実施形態において、ＵＥのデータサービススイッチのステータスが、データサービススイッチがオフにされている、ということである場合、ＰＧＷは、ＵＥから来るか、またはＵＥへ向かう第１のデータパケットを受信した後に、第１のデータパケットが指定されたタイプに属するかどうかを判断する。ＰＧＷは、第１のデータパケットが指定されたタイプに属するかどうかに応じて、第１のデータパケットを転送するかどうかを判断する。指定されたタイプのデータパケットは通常、比較的重要なデータパケットである。ＵＥのデータサービススイッチがオフにされた後、ＰＧＷは、指定されたタイプのデータパケットを依然として転送し、それにより、データサービススイッチがオフにされた後にＵＥが指定されたタイプのデータパケットを転送し得なくなることを回避する。図２ａに示される方法の実行中、ＵＥのデータサービススイッチがオフにされた後は、ＵＥの指定されたタイプのデータパケットが、データサービススイッチによる影響を受けることなく依然として正常に送信され得ることが保証され得る。
【０１５１】
また、図２ｂを参照すると、図２ｂは、本願の実施形態による別のデータサービス制御方法の概略フローチャートである。図２ｂは図２ａを最適化したものである。図２ｂにおいて、段階２０３または段階２０４が実行された後に、以下の段階がさらに実行される。
【０１５２】
２０５：データサービススイッチのステータスが、データサービススイッチがオンにされている、ということであり、ＰＧＷが、ＵＥから来るか、またはＵＥへ向かう第２のデータパケットを受信した後に、ＰＧＷが第２のデータパケットを転送する段階である。
【０１５３】
さらに、ＵＥのデータサービススイッチのステータスが、データサービススイッチがオンにされている、ということである場合、ＰＧＷは、第２のステータス通知メッセージをＩＰマルチメディアサブシステムＩＭＳネットワークへ送信する。第２のステータス通知メッセージは、ＵＥのデータサービススイッチのステータスが、データサービススイッチがオンにされている、ということであるとＩＭＳネットワークに通知するために用いられる。
【０１５４】
具体的には、ＰＧＷが第２のステータス通知メッセージをＩＰマルチメディアサブシステムＩＭＳネットワークへ送信することは具体的には、以下のことであり得る。
【０１５５】
まず、ＰＧＷが第２のステータス通知メッセージをポリシーおよび課金ルール機能（英語：Ｐｏｌｉｃｙ  ａｎｄ  Ｃｈａｒｇｉｎｇ  Ｒｕｌｅｓ  Ｆｕｎｃｔｉｏｎ、略して、ＰＣＲＦ）へ送信し、次に、ＰＣＲＦが第２のステータス通知メッセージをＩＰマルチメディアサブシステムＩＭＳネットワークへ転送する。
【０１５６】
ＰＧＷは、ＵＥのデータサービススイッチのステータスをＩＭＳネットワークに通知し得る。これにより、ＩＭＳネットワークは、ＵＥのデータサービススイッチのステータスに基づいて、ＵＥのデータの送信を続けるかどうかを判断する。
【０１５７】
任意選択的に、段階２０５が実行された後に、ＰＧＷが、ＵＥのデータサービススイッチのステータスが、データサービススイッチがオンにされている、ということであると課金システムに通知する段階がさらに実行され得る。
【０１５８】
具体的には、ＵＥのデータサービススイッチのステータスが、データサービススイッチがオンにされている、ということであると課金システムに通知するためにＰＧＷにより用いられる方式は具体的には、ＰＧＷが、第２のデータパケットに従って生成された課金データ記録ＣＤＲに第２の指示情報を追加することであって、第２の指示情報は、ＵＥのデータサービススイッチがオンにされていることを課金システムに通知するために用いられる、追加すること、または、ＰＧＷが、第２のクレジット制御要求ＣＣＲ（英語：Ｃｒｅｄｉｔ  Ｃｏｎｔｒｏｌ  Ｒｅｑｕｅｓｔ、略して、ＣＣＲ）メッセージにおいて、ＵＥのデータサービススイッチがオンにされていることを課金システムに通知することであり得る。
【０１５９】
本願の本実施形態において、段階２０３または段階２０４が実行された後に、段階２０５が実行される。データサービススイッチのステータスが、データサービススイッチがオンにされている、ということであり、ＰＧＷが、ＵＥから来るか、またはＵＥへ向かう第２のデータパケットを受信した後に、ＰＧＷは、第２のデータパケットを転送する。
【０１６０】
図２ｂに示される方法の実行中、ＵＥのデータサービススイッチのステータスが、オフにされている、から、オンにされている、に切り換えられ、ＰＧＷが、ＵＥから来るか、またはＵＥへ向かう第２のデータパケットを受信した後に、ＰＧＷは、ＵＥから来るか、またはＵＥへ向かう第２のデータパケットを直接転送し得る。ＵＥのデータサービススイッチがオンにされた後に、ＰＧＷは、通常の課金基準に従って、ＵＥから来るか、またはＵＥへ向かう第２のデータパケットに従って生成されたトラフィックに対して課金し得る。ＵＥのデータサービススイッチのステータスが、オフにされている、から、オンにされている、に切り換えられた後に、ＰＧＷは、元の課金オペレーションを再開し得る。
【０１６１】
また、図２ｃを参照すると、図２ｃは、本願の実施形態による別のデータサービス制御方法の概略フローチャートである。図２ｃは、図２ａを最適化したものである。図２ｃにおいて、段階２０３が実行された後に、以下の段階がさらに実行される。
【０１６２】
２０６：ＰＧＷが、ＵＥのデータサービススイッチのステータスが、データサービススイッチがオフにされている、ということであると課金システムに通知する段階である。
【０１６３】
段階２０６は具体的には、ＰＧＷが、第１のデータパケットに従って生成された課金データ記録ＣＤＲに第１の指示情報を追加する段階であって、第１の指示情報は、ＵＥのデータサービススイッチがオフにされていることを課金システムに通知するために用いられる、段階、または、ＰＧＷが、第１のクレジット制御要求ＣＣＲメッセージにおいてＵＥのデータサービススイッチがオフにされていることを課金システムに通知する段階を含み得る。
【０１６４】
本願の本実施形態において、ＵＥのデータサービススイッチのステータスが、データサービススイッチがオフにされている、ということである場合、ＰＧＷは、ＵＥから来るか、またはＵＥへ向かう第１のデータパケットを受信した後に、第１のデータパケットが指定されたタイプに属するかどうかを判断する。Ｙｅｓの場合、ＰＧＷは、第１のデータパケットを転送する。ＰＧＷは、第１のデータパケットを転送した後に、第１のデータパケットに従って生成されたＣＤＲに第１の指示情報を追加する。第１の指示情報は、ＵＥのデータサービススイッチがオフにされていることを課金システムに通知するために用いられる。本願の本実施形態において、ＰＧＷは、ＵＥのデータサービススイッチがオフにされていることを課金システムに通知する。これにより、課金システムは、ＵＥのデータサービススイッチがオフにされた後に用いられる課金基準に従って、第１のデータパケットに課金する。課金システムは、第１のデータパケットに課金するかどうかを判断し得る。
【０１６５】
２０７：データサービススイッチのステータスが、データサービススイッチがオンにされている、ということであり、ＰＧＷが、ＵＥから来るか、またはＵＥへ向かう第３のデータパケットを受信した後に、ＰＧＷが、第３のデータパケットを転送し、ＵＥのデータサービススイッチのステータスが、データサービススイッチがオンにされている、ということであると課金システムに通知する段階である。
【０１６６】
具体的には、ＵＥのデータサービススイッチのステータスが、データサービススイッチがオンにされている、ということであると課金システムに通知するためにＰＧＷにより用いられる方式は具体的には、ＰＧＷが、第３のデータパケットに従って生成されたＣＤＲに第３の指示情報を追加することであって、第３の指示情報は、ＵＥのデータサービススイッチがオンにされていることを課金システムに通知するために用いられる、追加すること、または、ＰＧＷが、第２のクレジット制御要求ＣＣＲ（英語：Ｃｒｅｄｉｔ  Ｃｏｎｔｒｏｌ  Ｒｅｑｕｅｓｔ、略して、ＣＣＲ）メッセージにおいて、ＵＥのデータサービススイッチがオンにされていることを課金システムに通知することである。
【０１６７】
本願の本実施形態において、段階２０６が実行された後に、段階２０７が実行され得る。ＵＥのデータサービススイッチのステータスが、オフにされている、から、オンにされている、に切り換えられ、ＰＧＷが、ＵＥから来るか、またはＵＥへ向かう第３のデータパケットを受信した後に、ＰＧＷは、第３のデータパケットを転送し、第３のデータパケットに従って生成されたＣＤＲに第３の指示情報を追加し得る。第３の指示情報は、ＵＥのデータサービススイッチがオンにされていることを課金システムに通知するために用いられる。
【０１６８】
さらに、ＵＥのデータサービススイッチのステータスが、データサービススイッチがオンにされている、ということである場合、ＰＧＷは、第２のステータス通知メッセージをＩＰマルチメディアサブシステムＩＭＳネットワークへ送信する。第２のステータス通知メッセージは、ＵＥのデータサービススイッチのステータスが、データサービススイッチがオンにされている、ということであるとＩＭＳネットワークに通知するために用いられる。
【０１６９】
具体的には、ＰＧＷが第２のステータス通知メッセージをＩＰマルチメディアサブシステムＩＭＳネットワークへ送信することは具体的には、まず、ＰＧＷが第２のステータス通知メッセージをポリシーおよび課金ルール機能（英語：Ｐｏｌｉｃｙ  ａｎｄ  Ｃｈａｒｇｉｎｇ  Ｒｕｌｅｓ  Ｆｕｎｃｔｉｏｎ、略して、ＰＣＲＦ）へ送信し、次に、ＰＣＲＦが第２のステータス通知メッセージをＩＰマルチメディアサブシステムＩＭＳネットワークへ転送することであり得る。
【０１７０】
ＰＧＷは、ＵＥのデータサービススイッチのステータスをＩＭＳネットワークに通知し得る。これにより、ＩＭＳネットワークは、ＵＥのデータサービススイッチのステータスに基づいて、ＵＥのデータの送信を続けるかどうかを判断する。
【０１７１】
任意選択的に、ＵＥのデータサービススイッチのステータスが、データサービススイッチがオンにされている、ということであった後に、ＰＧＷは、ＵＥのデータサービススイッチのステータスが、データサービススイッチがオンにされている、ということであると課金システムに通知する。
【０１７２】
具体的には、ＵＥのデータサービススイッチのステータスが、データサービススイッチがオンにされている、ということであると課金システムに通知するためにＰＧＷにより用いられる方式は具体的には、ＰＧＷが、第２のデータパケットに従って生成された課金データ記録ＣＤＲに第２の指示情報を追加することであって、第２の指示情報は、ＵＥのデータサービススイッチがオンにされていることを課金システムに通知するために用いられる、追加すること、または、ＰＧＷが、第２のクレジット制御要求ＣＣＲ（英語：Ｃｒｅｄｉｔ  Ｃｏｎｔｒｏｌ  Ｒｅｑｕｅｓｔ、略して、ＣＣＲ）メッセージにおいて、ＵＥのデータサービススイッチがオンにされていることを課金システムに通知することであり得る。
【０１７３】
図２ｃに示される方法の実行中、ＵＥのデータサービススイッチのステータスが、オフにされている、から、オンにされている、に切り換えられた後に、課金システムは、ＵＥのデータサービススイッチがオンにされていることを通知され得る。これにより、課金システムは、ＵＥのデータサービススイッチがオンにされた後に用いられる課金基準に従って、第３のデータパケットに課金する。
【０１７４】
図３を参照すると、図３は、本願の実施形態による別のデータサービス制御方法の概略フローチャートである。図３に示されるように、方法は、以下の段階を含む。
【０１７５】
３０１：パケットデータネットワークゲートウェイＰＧＷがユーザ機器ＵＥのデータサービススイッチのステータスを判断する段階である。データサービススイッチのステータスは、データサービススイッチがオンにされている、または、データサービススイッチがオフにされている、ということを含む。
【０１７６】
本願の本実施形態における段階３０１については、図２ａにおける段階２０１を参照されたい。本願の本実施形態において、詳細は改めて説明されない。
【０１７７】
３０２：データサービススイッチのステータスが、データサービススイッチがオフにされている、ということであり、ＰＧＷが、ＵＥから来るか、またはＵＥへ向かう第１のデータパケットを受信した後に、ＰＧＷが、ＵＥのサービス登録ステータスが回線交換フォールバックＣＳＦＢ複合登録のみの状態であるか、または進化型パケットシステムＥＰＳ登録のみの状態であるかを判断し、Ｙｅｓの場合、段階３０３を実行する段階である。ＣＳＦＢ複合登録のみの状態は、ＵＥが回線交換ＣＳネットワークおよびＥＰＳネットワークの両方に登録されているが、ＩＰマルチメディアサブシステムＩＭＳネットワークには登録されていない状態を含む。
【０１７８】
本願の本実施形態において、ＵＥのデータサービススイッチのステータスが、データサービススイッチがオフにされている、ということである場合、ＰＧＷは、ＵＥから来るか、またはＵＥへ向かう第１のデータパケットを受信した後に、第１のデータパケットのサービス登録ステータスに基づいて、第１のデータパケットを転送または破棄する。具体的には、ＵＥのデータサービススイッチのステータスが、データサービススイッチがオフにされている、ということである場合、ＰＧＷが、ＵＥから来るか、またはＵＥへ向かう第１のデータパケットを受信した後に、ＰＧＷは、ＵＥのサービス登録ステータスが、回線交換フォールバックＣＳＦＢ複合登録のみの状態であるか、または進化型パケットシステムＥＰＳ登録のみの状態であるかを判断する。Ｙｅｓの場合、ＰＧＷは、第１のデータパケットを破棄する。ＣＳＦＢ複合登録のみの状態は、登録プロセスにおいて、ＵＥが、ＣＳネットワークおよびＥＰＳネットワークの両方に登録されているが、ＩＭＳネットワークには登録されていない状態を含む。ＵＥがＣＳＦＢ複合登録のみの状態にある場合、ＵＥは、４Ｇデータサービスおよび２Ｇ／３Ｇ音声サービスを用い得、ＵＥのデータサービススイッチがオフにされている場合、ＵＥは、４Ｇデータサービスを用い得ないが、ＣＳＦＢ音声サービスを依然として用い得る。ＵＥがＥＰＳ登録のみの状態にある場合、ＵＥは、４Ｇデータサービスのみを用い得、ＵＥのデータサービススイッチがオフにされている場合、ＵＥは、４Ｇデータサービスを用い得ない。
【０１７９】
任意選択的に、段階３０２は、ＰＧＷが、第１のデータパケットは、ＩＰアドレスを管理するために用いられるデータパケットではないと判断した場合、ＰＧＷが、ＵＥのサービス登録ステータスがＣＳＦＢ複合登録のみの状態であるか、またはＥＰＳ登録のみの状態であるかを判断する段階を含み得る。
【０１８０】
本願の本実施形態において、ＩＰアドレスを管理するために用いられるデータパケットは、ＵＥの重要なデータパケットであり、簡単に破棄されるべきではない。ＰＧＷが、第１のデータパケットは、ＩＰアドレスを管理するために用いられるデータパケットではないと判断し、ＵＥのサービス登録ステータスは、ＣＳＦＢ複合登録のみの状態またはＥＰＳ登録のみの状態であると判断した場合、ＰＧＷは、第１のデータパケットを破棄する。データパケットの破棄を準備する場合、ＰＧＷは、まず、このデータパケットが、ＩＰアドレスを管理するために用いられるデータパケットであるかどうかを判断する。Ｎｏの場合、ＰＧＷは、このデータパケットを破棄する。このように、ＵＥのデータサービススイッチがオフにされた後は、重要なデータパケットが正常に受信および送信され得ることが保証され得る。
【０１８１】
任意選択的に、段階３０２は、ＰＧＷが、ＵＥによりＭＭＥを用いることにより送信されたＰＣＯを受信する段階であって、ＰＣＯは、サービス登録ステータス指示情報を含む、段階と、ＰＧＷが、サービス登録ステータス指示情報はＵＥがＣＳＦＢ複合登録のみの状態またはＥＰＳ登録のみの状態にあると示しているかどうかを判断する段階を含み得る。
【０１８２】
本願の本実施形態において、ＰＧＷは、ＵＥにより送信されたＰＣＯにおけるサービス登録ステータス指示情報に基づいて、ＵＥがＣＳＦＢ複合登録のみの状態またはＥＰＳ登録のみの状態のいずれにあるかを判断する。ＵＥがＣＳＦＢ複合登録のみの状態またはＥＰＳ登録のみの状態にある場合、ＰＧＷは、ＰＣＯを用いることにより、ＵＥのサービス登録ステータスを適時に通知され得る。ＵＥは、サービス確立メッセージ（サービス確立メッセージは、アタッチ要求メッセージ、ベアラリソース変更メッセージ、ＰＤＮ接続確立要求メッセージまたは同様のものであり得る）をＭＭＥへ送信し得る。サービス確立メッセージは、サービス登録ステータス指示情報を含む。サービス登録ステータス指示情報は、ＵＥのサービス登録ステータスを示すために用いられる。具体的には、ＵＥは、ＭＭＥへ送信されたＰＣＯにサービス登録ステータス指示情報を追加し得る。サービス登録ステータス指示情報は、ＵＥのサービス登録ステータスを示すために用いられる。ＭＭＥは、サービス確立メッセージを用いることにより、ＰＣＯをＳＧＷへトランスペアレントに伝送する。次に、ＳＧＷは、サービス確立メッセージを用いることにより、ＰＣＯをＰＧＷへトランスペアレントに伝送する。ＰＧＷは、ＰＣＯを取得した後に、ＰＣＯにおいて保持されているサービス登録ステータス指示情報を取得する。ＰＧＷは、サービス登録ステータス指示情報が、ＵＥはＣＳＦＢ複合登録のみの状態またはＥＰＳ登録のみの状態にあると示しているかどうかを判断する。Ｙｅｓの場合、段階３０３が実行される。
【０１８３】
３０３：ＰＧＷが第１のデータパケットを破棄する段階である。
【０１８４】
図３に示される方法の実行中、ＵＥのデータサービススイッチがオフにされた後に、ＰＧＷが、ＵＥのサービス登録ステータスはＣＳＦＢ複合登録のみの状態またはＥＰＳ登録のみの状態であると判断した場合、ＰＧＷにより受信される、ＵＥから来るか、またはＵＥへ向かう第１のデータパケットは、３Ｇデータサービスまたは４Ｇデータサービスのデータパケットである。ＵＥのトラフィックを節約するために、ＰＧＷは、第１のデータパケットを直接破棄する。
【０１８５】
３０４：データサービススイッチのステータスが、データサービススイッチがオンにされている、ということであり、ＰＧＷが、ＵＥから来るか、またはＵＥへ向かう第２のデータパケットを受信した後に、ＰＧＷが第２のデータパケットを転送する段階である。
【０１８６】
本願の本実施形態において、段階３０３が実行された後に、段階３０４が実行され得る。データサービススイッチのステータスが、データサービススイッチがオンにされている、ということであり、ＰＧＷが、ＵＥから来るか、またはＵＥへ向かう第２のデータパケットを受信した後に、ＰＧＷは第２のデータパケットを転送する。ＵＥのデータサービススイッチがオンにされた後に、ＰＧＷは、通常の課金基準に従って、ＵＥから来るか、またはＵＥへ向かう第２のデータパケットに課金し得る。ＵＥのデータサービススイッチのステータスが、オフにされている、から、オンにされている、に切り換えられた後に、ＰＧＷは、元の転送オペレーションを再開する。
【０１８７】
図４を参照すると、図４は、本願の実施形態による別のデータサービス制御方法の概略フローチャートである。図４に示されるように、方法は、以下の段階を含む。
【０１８８】
４０１：パケットデータネットワークゲートウェイＰＧＷがユーザ機器ＵＥのデータサービススイッチのステータスを判断する段階である。データサービススイッチのステータスは、データサービススイッチがオンにされている、または、データサービススイッチがオフにされている、ということを含む。
【０１８９】
本願の本実施形態における段階４０１については、図２ａにおける段階２０１を参照されたい。本願の本実施形態において、詳細は改めて説明されない。
【０１９０】
４０２：データサービススイッチのステータスが、データサービススイッチがオフにされている、ということであり、ＰＧＷが、ＵＥから来るか、またはＵＥへ向かう第１のデータパケットを受信した後に、ＰＧＷが、第１のデータパケットを転送し、ＵＥのデータサービススイッチがオフにされていることを課金システムに通知する段階である。具体的には、ＵＥのデータサービススイッチがオフにされていることを課金システムに通知するためにＰＧＷにより用いられる方式は具体的には、ＰＧＷが、第１のデータパケットに従って生成された課金データ記録ＣＤＲに第１の指示情報を追加することであって、第１の指示情報は、ＵＥのデータサービススイッチがオフにされていることを課金システムに通知するために用いられる、追加すること、または、ＰＧＷが、第１のクレジット制御要求ＣＣＲ（英語：Ｃｒｅｄｉｔ  Ｃｏｎｔｒｏｌ  Ｒｅｑｕｅｓｔ、略して、ＣＣＲ）メッセージにおいて、ＵＥのデータサービススイッチがオフにされていることを課金システムに通知することであり得る。
【０１９１】
本願の本実施形態において、ＵＥのデータサービススイッチのステータスが、データサービススイッチがオフにされている、ということである場合、ＰＧＷが、ＵＥから来るか、またはＵＥへ向かう第１のデータパケットを受信した後に、ＰＧＷは、第１のデータパケットを直接転送し、第１のデータパケットに従って生成された課金データ記録ＣＤＲに第１の指示情報を追加する。第１の指示情報は、ＵＥのデータサービススイッチがオフにされていることを課金システムに通知するために用いられる。本願の本実施形態において、ＵＥのデータサービススイッチのステータスが、データサービススイッチがオフにされている、ということである場合、ＰＧＷが、ＵＥから来るか、またはＵＥへ向かう第１のデータパケットを受信した後に、ＰＧＷは、第１のデータパケットに課金しないが、ＵＥのデータサービススイッチがオフにされていることを課金システムに通知する。これにより、課金システムは、ＵＥのデータサービススイッチがオフにされた後に用いられる課金基準に従って、第１のデータパケットに課金し、課金システムは、第１のデータパケットに課金するかどうかを判断する。
【０１９２】
４０３：データサービススイッチのステータスが、データサービススイッチがオンにされている、ということであり、ＰＧＷが、ＵＥから来るか、またはＵＥへ向かう第２のデータパケットを受信した後に、ＰＧＷが、第２のデータパケットを転送し、ＵＥのデータサービススイッチがオンにされていることを課金システムに通知する段階である。具体的には、ＵＥのデータサービススイッチがオンにされている、ということであると課金システムに通知するためにＰＧＷにより用いられる方式は具体的には、ＰＧＷが、第２のデータパケットに従って生成されたＣＤＲに第２の指示情報を追加することであって、第２の指示情報は、ＵＥのデータサービススイッチがオンにされていることを課金システムに通知するために用いられる、追加すること、または、ＰＧＷが、第２のクレジット制御要求ＣＣＲ（英語：Ｃｒｅｄｉｔ  Ｃｏｎｔｒｏｌ  Ｒｅｑｕｅｓｔ、略して、ＣＣＲ）メッセージにおいて、ＵＥのデータサービススイッチがオンにされていることを課金システムに通知することであり得る。
【０１９３】
本願の本実施形態において、段階４０２が実行された後に、段階４０３が実行され得る。ＵＥのデータサービススイッチのステータスが、オフにされている、から、オンにされている、に切り換えられ、ＰＧＷが、ＵＥから来るか、またはＵＥへ向かう第２のデータパケットを受信した後に、ＰＧＷは、第２のデータパケットを転送し、第２のデータパケットに従って生成されたＣＤＲに第２の指示情報を追加し得る。第２の指示情報は、ＵＥのデータサービススイッチがオンにされていることを課金システムに通知するために用いられる。本願の本実施形態の実行中、ＵＥのデータサービススイッチのステータスが、オフにされている、から、オンにされている、に切り換えられた後に、課金システムは、ＵＥのデータサービススイッチがオンにされていることを通知され得る。これにより、課金システムは、ＵＥのデータサービススイッチがオンにされた後に用いられる課金基準に従って、第２のデータパケットに課金する。
【０１９４】
図４に示される方法の実行中、ＵＥのデータサービススイッチがオフにされた後、ＰＧＷは、ＵＥから来るか、またはＵＥへ向かう第１のデータパケットを受信した後に、第１のデータパケットを直接転送し、第１のデータパケットには課金しないが、ＵＥのデータサービススイッチがオフにされていることを課金システムに通知する。これにより、課金システムは、ＵＥのデータサービススイッチがオフにされた後に用いられる課金基準に従って、第１のデータパケットに課金する。ＵＥのデータサービススイッチのステータスが、オフにされている、から、オンにされている、に切り換えられた後に、課金システムは、ＵＥのデータサービススイッチがオンにされていることを通知される。これにより、課金システムは、ＵＥのデータサービススイッチがオンにされた後に用いられる課金基準に従って、第２のデータパケットに課金する。
【０１９５】
図４ａを参照すると、図４ａは、本願の実施形態による別のデータサービス制御方法の概略フローチャートである。図４ａに示されるように、方法は、以下の段階を含む。
【０１９６】
４０４：パケットデータネットワークゲートウェイＰＧＷが、ユーザ機器ＵＥから来るか、またはユーザ機器ＵＥへ向かう第１のデータパケットを受信した後に、第１のデータパケットを転送する段階である。
【０１９７】
４０５：ＰＧＷが、第１のデータパケットが指定されたタイプに属するかどうかを判断し、Ｙｅｓの場合、段階４０６を実行する段階である。
【０１９８】
指定されたタイプは、ＵＥによりＩＭＳ  ＡＰＮに対応するＰＤＮネットワークへ送信されるアップリンクデータパケットまたはＩＭＳ  ＡＰＮに対応するＰＤＮネットワークによりＵＥへ送信されるダウンリンクデータパケットと、指定されたサービスサーバのアドレス（例えば、リッチコミュニケーションスイートＲＣＳサーバのアドレス）から来てＵＥへ向かうデータパケットと、ＩＰアドレスを管理するために用いられるデータパケットと、（ボイスオーバーＬＴＥ  ＶｏＬＴＥサービスまたはリッチコミュニケーションスイートＲＣＳサービスなどの）指定されたサービスタイプのデータパケットと、同様のものとを含み得る。指定されたタイプは、ＵＥまたは（ホーム加入者サーバＨＳＳ、プロキシコールセッション制御機能Ｐ−ＣＳＣＦまたはアプリケーション機能ＡＦなどの）ネットワーク側デバイスにより、予め設定され、ＰＧＷへ送信され得るか、または、ＰＧＷにより、ＵＥのサービス登録ステータスに基づいて、予め設定され、記憶され得る。
【０１９９】
任意選択的に、指定されたタイプのデータパケットは、以下の４つのうちの１つまたはそれらの組み合わせであり得る。
【０２００】
（１）ＩＭＳアクセスポイント名ＡＰＮに対応するパケットデータネットワークＰＤＮネットワークへＵＥにより送信されるアップリンクデータパケットまたはＩＭＳ  ＡＰＮに対応するＰＤＮネットワークによりＵＥへ送信されるダウンリンクデータパケット、言い換えると、ＵＥのＩＭＳサービスのアップリンクデータパケットまたはダウンリンクデータパケット。ＩＭＳサービスが正常に実行され得ることを保証するために、ＵＥのデータサービススイッチがオフにされた後、ＰＧＷは、ＩＭＳサービスのアップリンクデータパケットまたはダウンリンクデータパケットの転送を続ける。
【０２０１】
（２）指定されたサービスサーバのアドレス（例えば、リッチコミュニケーションスイートＲＣＳサーバのアドレス）から来てＵＥへ向かうデータパケット。指定されたサービスサーバのアドレスは、ＵＥまたはＰＧＷにより予め設定され得、ＰＧＷに記憶される。ＰＧＷは、第１のデータパケットの送信元アドレスが、指定されたサービスサーバの予め格納されたアドレスであるかどうかを判断し、Ｙｅｓの場合、第１のデータパケットは指定されたタイプに属すると判断する。
【０２０２】
（３）ＩＰアドレスを管理するために用いられるデータパケット。
【０２０３】
ＩＰアドレスを管理するために用いられるデータパケットは、ＩＰアドレスを管理する、ＩＰアドレスを割り当てる等のために用いられるデータパケットである。例えば、データパケットは、ＩＰアドレスを自動的に割り当てるために用いられる動的ホスト構成プロトコル（英語：Ｄｙｎａｍｉｃ  Ｈｏｓｔ  Ｃｏｎｆｉｇｕｒａｔｉｏｎ  Ｐｒｏｔｏｃｏｌ、略して、ＤＨＣＰ）データパケットであり得る。別の例では、ユーザが、ＩＰｖ６アドレスの割り当て、ルータ要請（英語：ｒｏｕｔｅｒ  ｓｏｌｉｃｉｔａｔｉｏｎ、略して、ＲＳ）およびルータ広告（英語：ｒｏｕｔｅｒ  ａｄｖｅｒｔｉｓｅｍｅｎｔ、略して、ＲＡ）を管理し得る。
【０２０４】
具体的には、データパケットが、ＩＰアドレスを管理するために用いられるデータパケットに属するかどうかは、ポート番号およびいくつかの特定のフィールドなどの情報に基づいてデータパケットを解析することにより判断され得る。当然ながら、判断は別の方式で実行され得る。このことは、本願において特に限定されない。ＵＥのデータサービススイッチのステータスが、データサービススイッチがオフにされている、ということであった後は、重要なサービスに影響を与えることなく、指定されたタイプのデータパケットが連続的に転送され得ることが保証され得る。
【０２０５】
例えば、ＰＧＷが、ＵＥへ向かうデータパケット１を受信し、データパケット１を解析することにより、データパケット１に対応するポート番号ＵＤＰ６７／６８を取得した場合、データパケット１は、ＤＨＣＰデータパケットと判断され得る。
【０２０６】
ＵＥのデータサービススイッチのステータスが、データサービススイッチがオフにされている、ということであった後、ＰＧＷは、ＩＰアドレスを管理するために用いられる、ＵＥから来るか、またはＵＥへ向かうデータパケットの転送を続け、それにより、ＵＥのデータサービススイッチのステータスが、データサービススイッチがオフにされている、ということであった後はＩＰアドレス管理サービスがスムーズに実行されることを保証する。
【０２０７】
（４）ボイスオーバーＬＴＥ  ＶｏＬＴＥサービスまたはリッチコミュニケーションスイートＲＣＳサービスなど、指定されたサービスタイプのデータパケット。例えば、ＵＥの指定されたサービスタイプは、ＵＥのＨＳＳに記憶され、ＰＧＷは、ＵＥのＨＳＳにより送信される指定されたサービスタイプを受信および記憶する。代替的に、オペレータが直接、指定されたサービスタイプを設定し、指定されたサービスタイプをＰＧＷに記憶させる。ＰＧＷは、記憶されている、指定されたサービスタイプに基づいて、第１のデータパケットが指定されたサービスタイプのデータパケットであるかどうかを判断する。ＵＥのデータサービススイッチのステータスが、データサービススイッチがオフにされている、ということであった後は、指定されたサービスタイプのデータパケットが連続的に転送され得ることが保証され得る。
【０２０８】
任意選択的に、ＰＧＷは、第１のデータパケットが指定されたサービスタイプのデータパケットであるかどうかを判断することは具体的には、以下のことであり得る。
【０２０９】
（１）ＰＧＷは、第１のデータパケットに対してディープパケットインスペクションＤＰＩを実行する。
【０２１０】
ＤＰＩについては、データパケットに対応するＩＰ５−タプル（送信元ＩＰアドレス、送信元ポート、宛先ＩＰアドレス、宛先ＩＰアドレスおよびトランスポート層プロトコル）の分析に加え、アプリケーション分析、ユーザ分析、ネットワーク要素分析、トラフィック管理および制御ならびに同様のものがデータパケットに対してさらに実行され得る。第１のデータパケットが指定されたサービスタイプのデータパケットであるかどうかは、第１のデータパケットに対してディープパケットインスペクションを実行することにより判断され得る。
【０２１１】
（２）ＰＧＷは、第１のデータパケットに含まれるサービスタイプ指示情報に基づいて、第１のデータパケットが指定されたサービスタイプのデータパケットであるかどうかを判断する。
【０２１２】
例えば、ＲＣＳサービスサーバまたはＵＥは、ＲＣＳサービスデータパケットにおけるＤＳＣＰフィールドを特別な値に設定し得、ＰＧＷは、このデータパケットを受信した後に、ＤＳＣＰが指定された特別な値であることに基づいて、このデータパケットがＲＣＳサービスデータパケットであることを判断し得る。
【０２１３】
４０６：ＰＧＷが、第１のデータパケットに従って生成された課金データ記録ＣＤＲに第４の指示情報を追加する段階である。第４の指示情報は、第１のデータパケットに課金しないよう課金システムに命令するために用いられる。
【０２１４】
任意選択的に、段階４０４が実行される前に、ＰＧＷが、ＵＥのデータサービススイッチのステータスが、ユーザ機器ＵＥのデータサービススイッチがオフにされている、ということであると判断する段階がさらに実行され得る。
【０２１５】
ＰＧＷが、ユーザ機器ＵＥのデータサービススイッチのステータスが、データサービススイッチがオフにされている、ということであると判断した場合、ＰＧＷは、第１のデータパケットを転送する。ＵＥのデータサービススイッチのステータスが、データサービススイッチがオフにされている、ということである場合、データパケットは、依然として転送され得る。
【０２１６】
任意選択的に、ＰＧＷが、ユーザ機器ＵＥのデータサービススイッチのステータスが、データサービススイッチがオフにされている、ということであると判断した後に、ＰＧＷが、第１のデータパケットに従って生成された課金データ記録ＣＤＲに第１の指示情報を追加する段階であって、第１の指示情報は、ＵＥのデータサービススイッチがオフにされていることを課金システムに通知するために用いられる、段階がさらに実行され得る。
【０２１７】
ＰＧＷは、ＵＥのデータサービススイッチのステータスが、データサービススイッチがオフにされている、ということであると判断した後に、ＵＥのデータサービススイッチがオフにされていることを課金システムに通知する。
【０２１８】
図４ｂを参照すると、図４ｂは、本願の実施形態による別のデータサービス制御方法の概略フローチャートである。図４ｂに示されるように、方法は、以下の段階を含む。
【０２１９】
４０７：パケットデータネットワークゲートウェイＰＧＷがユーザ機器ＵＥのデータサービススイッチのステータスを判断する段階である。データサービススイッチのステータスは、データサービススイッチがオンにされている、または、データサービススイッチがオフにされている、ということを含む。
【０２２０】
本願の本実施形態における段階４０７については、図２ａにおける段階２０１を参照されたい。本願の本実施形態において、詳細は改めて説明されない。
【０２２１】
４０８：データサービススイッチのステータスが、データサービススイッチがオフにされている、ということであり、ＰＧＷが、ＵＥから来るか、またはＵＥへ向かう第１のデータパケットを受信した後に、ＰＧＷが、第１のデータパケットを転送し、第１のデータパケットに従って生成された課金データ記録ＣＤＲに第１の指示情報を追加する段階である。第１の指示情報は、ＵＥのデータサービススイッチがオフにされていることを課金システムに通知するために用いられる。
【０２２２】
本願の本実施形態における段階４０８については、図４における段階４０２を参照されたい。本願の本実施形態において、詳細は改めて説明されない。
【０２２３】
任意選択的に、段階４０８が実行される前に、ＰＧＷが、ＵＥのサービス登録ステータスがＩＭＳ登録状態であることを判断する段階がさらに実行され得る。
【０２２４】
具体的には、ＰＧＷは、ＵＥによりＭＭＥを用いることにより送信された、ＵＥのサービス登録ステータスを示す指示情報に基づいて、ＵＥのサービス登録ステータスを判断し得る。例えば、ＵＥは、サービス確立メッセージ（サービス確立メッセージは、アタッチ要求メッセージ、ベアラリソース変更メッセージ、ＰＤＮ接続確立要求メッセージまたは同様のものであり得る）をＭＭＥへ送信し得る。サービス確立メッセージは、サービス登録ステータス指示情報を含む。サービス登録ステータス指示情報は、ＵＥのサービス登録ステータスを示すために用いられる。具体的には、ＵＥは、ＭＭＥへ送信されたＰＣＯにサービス登録ステータス指示情報を追加し得る。サービス登録ステータス指示情報は、ＵＥのサービス登録ステータスを示すために用いられる。ＭＭＥは、サービス確立メッセージを用いることにより、ＰＣＯをＳＧＷへトランスペアレントに伝送する。次に、ＳＧＷは、サービス確立メッセージを用いることにより、ＰＣＯをＰＧＷへトランスペアレントに伝送する。ＰＣＯを取得した後に、ＰＧＷは、ＰＣＯにおいて保持されているサービス登録ステータス指示情報を取得する。このように、ＰＧＷは、ＵＥのサービス登録ステータスを認識する。
【０２２５】
任意選択的に、課金システムが、ＰＧＷから来る第１のデータパケットに従って生成された課金データ記録ＣＤＲを受信した後、第１のデータパケットがＩＭＳ免除サービスに属するかどうかを判断する。
【０２２６】
ＩＭＳ免除サービスは、ＩＭＳ登録状態にあるＵＥのデータサービススイッチがオフにされている場合であっても依然としてＵＥにより用いられ得るオペレータサービスセットである。ＩＭＳ免除サービスセットは、課金システムにおいて事前に構成され得る。
【０２２７】
課金データ記録ＣＤＲにおける第１の指示情報に基づいて、課金システムは、ＵＥのデータサービススイッチがオフにされていることを認識し、ＵＥのデータサービススイッチがオフにされている開始‐停止期間を認識する。課金システムは、ＵＥがこの期間内にＩＭＳ免除サービスを用いているかどうかをチェックする。課金システムは、ＵＥがＩＭＳ免除サービスを用いている場合、ＵＥに対して課金し、またはそうでない場合、ＵＥに対して課金しない。具体的には、課金システムは、第１の指示情報を含む全ての課金データ記録ＣＤＲに課金しない。
【０２２８】
ＵＥのデータサービススイッチがオフになっている間にＵＥがＩＭＳ免除サービスを用いているかどうかを課金システムがどのように判断するかに関してであるが、具体的には、課金システムは、ＩＭＳ免除サービスに対応する、ＵＥとサーバとの間の対話の記録があるかどうかを判断する。Ｙｅｓの場合、ＵＥはＩＭＳ免除サービスを用いている。Ｎｏの場合、ＵＥはＩＭＳ免除サービスを用いていない。
【０２２９】
本願の本実施形態において、課金システムは、第１のデータパケットに従って生成された課金データ記録ＣＤＲをＰＧＷから受信した後に、課金データ記録ＣＤＲにおける第１の指示情報に基づいて、ＵＥのデータサービススイッチがオフにされていることを認識し、ＵＥのデータサービススイッチがオフにされている開始‐停止期間を認識する。課金システムは、ＵＥがこの期間内にＩＭＳ免除サービスを用いているかどうかをチェックする。課金システムは、ＵＥがＩＭＳ免除サービスを用いている場合、ＵＥに対して課金し、またはそうでない場合、ＵＥに対して課金しない。
【０２３０】
任意選択的に、段階４０８が実行された後に、段階４０９がさらに実行され得る。
【０２３１】
４０９：データサービススイッチのステータスが、データサービススイッチがオンにされている、ということであり、ＰＧＷが、ＵＥから来るか、またはＵＥへ向かう第２のデータパケットを受信した後に、ＰＧＷが、第２のデータパケットを転送し、第２のデータパケットに従って生成されたＣＤＲに第２の指示情報を追加する段階である。第２の指示情報は、ＵＥのデータサービススイッチがオンにされていることを課金システムに通知するために用いられる。
【０２３２】
本願の本実施形態における段階４０９については、図４における段階４０３を参照されたい。本願の本実施形態において、詳細は改めて説明されない。
【０２３３】
図５を参照すると、図５は、本願の実施形態による別のデータサービス制御方法の概略フローチャートである。図５に示されるように、方法は、以下の段階を含む。
【０２３４】
５０１：ＵＥがサービス確立メッセージをＭＭＥへ送信する段階である。サービス確立メッセージは、データサービススイッチステータス指示情報および／またはサービス登録ステータス指示情報を含み、データサービススイッチステータス指示情報は、ＵＥのデータサービススイッチのステータスをＰＧＷに示すために用いられ、サービス登録ステータス指示情報は、ＵＥのサービス登録ステータスを示すために用いられ、データサービススイッチのステータスは、データサービススイッチがオンにされている、または、データサービススイッチがオフにされている、ということを含む。
【０２３５】
本願の本実施形態において、ＵＥは、データサービススイッチステータス指示情報を含むサービス確立メッセージをＭＭＥへ送信し得るか、またはサービス登録ステータス指示情報を含むサービス確立メッセージをＭＭＥへ送信し得るか、またはデータサービススイッチステータス指示情報およびサービス登録ステータス指示情報を含むサービス確立メッセージをＭＭＥへ送信し得る。ＵＥは、まず、データサービススイッチステータス指示情報を含む第１のサービス確立メッセージをＭＭＥへ送信し、次に、サービス登録ステータス指示情報を含む第２のサービス確立メッセージをＭＭＥへ送信し得るか、または、まず、サービス登録ステータス指示情報を含む第１のサービス確立メッセージをＭＭＥへ送信し、次に、データサービススイッチステータス指示情報を含む第２のサービス確立メッセージをＭＭＥへ送信し得る。ＵＥは、まず、データサービススイッチステータス指示情報またはサービス登録ステータス指示情報を含む第１のサービス確立メッセージをＭＭＥへ送信し、次に、データサービススイッチステータス指示情報およびサービス登録ステータス指示情報を含む第２のサービス確立メッセージをＭＭＥへ送信し得るか、または、まず、データサービススイッチステータス指示情報およびサービス登録ステータス指示情報を含む第２のサービス確立メッセージをＭＭＥへ送信し、次に、データサービススイッチステータス指示情報またはサービス登録ステータス指示情報を含む第１のサービス確立メッセージをＭＭＥへ送信し得る。
【０２３６】
データサービススイッチステータス指示情報は、ＵＥのデータサービススイッチのステータスを示すために用いられる。ＵＥのデータサービススイッチのステータスは、ＵＥのデータサービススイッチがオンにされている、または、ＵＥのデータサービススイッチがオフにされている、ということを含む。サービス登録ステータス指示情報は、ＵＥのサービス登録ステータスを示すために用いられる。ＵＥのサービス登録ステータスは、ＣＳＦＢ複合登録のみの状態、ＩＭＳ登録状態、ＥＰＳ登録のみの状態および同様のものを含み得る。
【０２３７】
データサービススイッチステータス指示情報および／またはサービス登録ステータス指示情報は、ＰＧＷにより受信される、ＵＥから来るか、またはＵＥへ向かう第１のデータパケットを破棄するかどうかを判断するために、ＰＧＷにより用いられる。ＵＥがサービス確立メッセージをＭＭＥへ送信した後に、ＭＭＥは、サービス確立メッセージ内のデータサービススイッチステータス指示情報および／またはサービス登録ステータス指示情報をＰＧＷへ送信し得る。ＰＧＷは、データサービススイッチステータス指示情報および／またはサービス登録ステータス指示情報に基づいて、ＰＧＷにより受信される、ＵＥから来るか、またはＵＥへ向かう第１のデータパケットを破棄するかどうかを判断する。任意選択的に、サービス確立メッセージは、プロトコル構成オプションＰＣＯを含み、ＰＣＯは、データサービススイッチステータス指示情報および／またはサービス登録ステータス指示情報を含む。例えば、ＵＥは、データサービススイッチステータス指示情報および／またはサービス登録ステータス指示情報を、ＭＭＥへ送信されたＰＣＯに追加し得、ＭＭＥは、ＰＣＯをＳＧＷへトランスペアレントに伝送し（トランスペアレントな伝送は、ＰＣＯが伝送プロセスにおいて処理されないことを意味する）、次に、ＳＧＷは、ＰＣＯをＰＧＷへトランスペアレントに伝送し、ＰＧＷは、ＰＣＯを取得した後に、ＰＣＯにおいて保持されているデータサービススイッチステータス指示情報および／またはサービス登録ステータス指示情報を取得する。このように、ＰＧＷは、ＵＥのデータサービススイッチのステータスおよび／またはサービス登録ステータスを認識する。
【０２３８】
ＰＧＷは、ＵＥのデータサービススイッチのステータスおよび／またはサービス登録ステータスに基づいて、ＵＥから来るか、またはＵＥへ向かう第１のデータパケットを転送または破棄し得る。代替的に、ＰＧＷは、ＵＥのデータサービススイッチのステータスに基づいて、ＰＧＷにより受信される、ＵＥから来るか、またはＵＥへ向かう第１のデータパケットに従って生成された課金データ記録ＣＤＲに第１の指示情報を追加するかどうかを判断し得る。第１の指示情報は、ＵＥのデータサービススイッチがオフにされていることを課金システムに通知するために用いられる。特定の実装形態の詳細については、図２ａ、図２ｂ、図２ｃ、図３および図４の実施形態の部分を参照されたい。
【０２３９】
本願の本実施形態において、サービス確立メッセージは、アタッチ要求メッセージ、ベアラリソース変更メッセージおよびＰＤＮ接続確立要求メッセージのうちの１つまたは複数を含み得る。アタッチ要求メッセージは、データサービススイッチステータス指示情報を含み、ベアラリソース変更メッセージは、データサービススイッチステータス指示情報および／またはサービス登録ステータス指示情報を含み、ＰＤＮ接続確立要求メッセージは、データサービススイッチステータス指示情報および／またはサービス登録ステータス指示情報を含む。ＵＥがＬＴＥネットワークにアタッチする必要がある場合、ＵＥは、アタッチ要求メッセージをＭＭＥへ送信する。ＵＥがベアラリソースの変更を要求する必要がある場合、ＵＥは、ベアラリソース変更メッセージをＭＭＥへ送信する。ＵＥがＰＤＮ接続を確立する必要がある場合、ＵＥは、ＰＤＮ接続確立要求メッセージをＭＭＥへ送信する。
【０２４０】
任意選択的に、ＵＥのサービス登録ステータスは、ＣＳＦＢ複合登録のみの状態、ＩＭＳ登録状態またはＥＰＳ登録のみの状態を含む。ＣＳＦＢ複合登録のみの状態は、登録プロセスにおいて、ＵＥが、回線交換ＣＳネットワークおよびＥＰＳネットワークの両方に登録されているが、ＩＭＳネットワークには登録されていない状態を含む。ＥＰＳ登録のみの状態は、登録プロセスにおいて、ＵＥはＥＰＳネットワークのみに登録されている、ということを含む。ＩＭＳ登録状態は、ＵＥはＥＰＳネットワークおよびＩＭＳネットワークに登録されている、ということを含む。
【０２４１】
任意選択的に、段階５０１は、ＵＥが、データサービススイッチのステータスが変わったと判断した場合、ＵＥが、データサービススイッチステータス指示情報を含むサービス確立メッセージをＭＭＥへ送信する段階を含み得る。
【０２４２】
本願の本実施形態において、ユーザが、ＵＥのデータサービススイッチのステータスを、オンにされている、から、オフにされている、に切り換えた場合、または、ユーザが、ＵＥのデータサービススイッチのステータスを、オフにされている、から、オンにされているに切り換えた場合、ＵＥは、データサービススイッチステータス指示情報を含むサービス確立メッセージをＭＭＥへ送信する。例えば、ユーザが、ＵＥのデータサービススイッチのステータスを、オンにされている、から、オフにされている、に切り換えた場合、ＵＥは、サービス確立メッセージをＭＭＥへ送信する。サービス確立メッセージは、データサービススイッチステータス指示情報を含む。データサービススイッチステータス指示情報は、ＵＥのデータサービススイッチがオフにされていることを示すために用いられる。ユーザが、ＵＥのデータサービススイッチのステータスを、オフにされている、から、オンにされている、に切り換えた場合、ＵＥは、サービス確立メッセージをＭＭＥへ送信する。サービス確立メッセージは、データサービススイッチステータス指示情報を含む。データサービススイッチステータス指示情報は、ＵＥのデータサービススイッチがオンにされていることを示すために用いられる。ＵＥのデータサービススイッチのステータスが変わった場合、ＵＥは、ＵＥのデータサービススイッチのステータスをＰＧＷに適時に通知し得る。
【０２４３】
任意選択的に、段階５０１は、ＵＥが、サービス登録ステータスが変わったと判断した場合、ＵＥが、サービス登録ステータス指示情報を含むサービス確立メッセージをＭＭＥへ送信する段階を含み得る。
【０２４４】
本願の本実施形態において、ＵＥのサービス登録ステータスが変わった場合、例えば、ＵＥのサービス登録ステータスが、ＥＰＳ登録のみの状態からＣＳＦＢ複合登録のみの状態に変わった場合、ＵＥは、サービス登録ステータス指示情報を含むサービス確立メッセージをＭＭＥへ送信する。サービス登録ステータス指示情報は、ＵＥのサービス登録ステータスがＣＳＦＢ複合登録のみの状態であることを示すために用いられる。ＵＥのサービス登録ステータスがＣＳＦＢ複合登録のみの状態からＥＰＳ登録のみの状態に変わった場合、ＵＥは、サービス登録ステータス指示情報を含むサービス確立メッセージをＭＭＥへ送信する。サービス登録ステータス指示情報は、ＵＥのサービス登録ステータスがＥＰＳ登録のみの状態であることを示すために用いられる。ＵＥのサービス登録ステータスが変わった場合、ＵＥは、ＵＥのサービス登録ステータスをＰＧＷに適時に通知し得る。
【０２４５】
任意選択的に、段階５０１は、ＵＥが、データサービススイッチのステータスおよびサービス登録ステータスの両方が変わったと判断した場合、ＵＥが、データサービススイッチステータス指示情報およびサービス登録ステータス指示情報を含むサービス確立メッセージをＭＭＥへ送信する段階を含み得る。
【０２４６】
例えば、ＵＥが、データサービススイッチのステータスが、オンにされている、から、オフにされている、に切り換えられ、サービス登録ステータスがＥＰＳ登録のみの状態からＣＳＦＢ複合登録のみの状態に変わったと判断した場合、ＵＥは、データサービススイッチステータス指示情報およびサービス登録ステータス指示情報を含むサービス確立メッセージをＭＭＥへ送信する。データサービススイッチステータス指示情報は、ＵＥのデータサービススイッチがオフにされていることを示すために用いられる。サービス登録ステータス指示情報は、ＵＥのサービス登録ステータスがＣＳＦＢ複合登録のみの状態であることを示すために用いられる。ＵＥのデータサービススイッチのステータスおよびサービス登録ステータスの両方が変わった場合、ＵＥは、ＵＥのデータサービススイッチのステータスおよびサービス登録ステータスをＰＧＷに適時に通知し得る。
【０２４７】
任意選択的に、段階５０１は、ＵＥが、デフォルトＡＰＮ  ＰＤＮ接続が正常に確立されていると判断し、ＣＳＦＢ複合登録が完了していると判断した場合、ＵＥがサービス確立メッセージをＭＭＥへ送信する段階を含み得る。サービス確立メッセージは、サービス登録ステータス指示情報を含む。サービス登録ステータス指示情報は、ＵＥのサービス登録ステータスがＣＳＦＢ複合登録のみの状態であることを示すために用いられる。
【０２４８】
本願の本実施形態において、デフォルトＡＰＮ  ＰＤＮ接続が正常に確立され、ＵＥが、ＣＳＦＢ複合登録が完了していると判断した場合、ＵＥは、デフォルトＡＰＮ  ＰＤＮ接続に基づくサービスを実行し得る。
【０２４９】
任意選択的に、段階５０１は、ＵＥが、ＩＭＳ  ＡＰＮ  ＰＤＮ接続が正常に確立されていると判断し、ＩＭＳ登録が成功していると判断した場合、ＵＥがサービス確立メッセージをＭＭＥへ送信する段階を含み得る。サービス確立メッセージは、サービス登録ステータス指示情報を含む。サービス登録ステータス指示情報は、ＵＥのサービス登録ステータスがＩＭＳ登録状態であることを示すために用いられる。
【０２５０】
本願の本実施形態において、ＩＭＳ  ＡＰＮ  ＰＤＮ接続が正常に確立され、ＵＥが、ＩＭＳ登録が成功していると判断した場合、ＵＥは、ＩＭＳ  ＡＰＮ  ＰＤＮ接続に基づくサービスを実行し得る。
【０２５１】
さらに、ＵＥがロングタームエボリューション（英語：Ｌｏｎｇ  Ｔｅｒｍ  Ｅｖｏｌｕｔｉｏｎ、略して、ＬＴＥ）ネットワークから２／３Ｇネットワークに移る場合、ＵＥは、２／３Ｇネットワークにアクセスし、ＵＥが、ＵＥのデータサービススイッチのステータスがオフ状態であると判断した場合、ＵＥは、ＵＥのＰＤＰコンテキストを削除するためにＰＤＰ非アクティブ化メッセージを２／３ＧネットワークのサービングＧＰＲＳサポートノードＳＧＳＮへ送信するか、またはルーティングエリア更新メッセージを２／３ＧネットワークのサービングＧＰＲＳサポートノードＳＧＳＮへ送信する。ルーティングエリア更新メッセージは、ＵＥのデータサービススイッチのステータスを保持する。
【０２５２】
ＵＥが２／３Ｇネットワークからロングタームエボリューションネットワークに移る場合、ＵＥは、ロングタームエボリューションネットワークにアクセスする。ＵＥが、ＵＥのデータサービススイッチのステータスが、データサービススイッチがオフにされている、ということであると判断した場合、ＵＥは、ロングタームエボリューションネットワークにアクセスするためにアタッチメッセージをＭＭＥへ送信する。
【０２５３】
５０２：ＭＭＥがデータサービススイッチステータス指示情報および／またはサービス登録ステータス指示情報をＰＧＷへ転送する段階である。
【０２５４】
本願の本実施形態において、ＭＭＥは、ＵＥにより送信されたサービス確立メッセージを受信した後に、サービス確立メッセージからデータサービススイッチステータス指示情報および／またはサービス登録ステータス指示情報を抽出し、データサービススイッチステータス指示情報および／またはサービス登録ステータス指示情報をＰＧＷへ転送する。
【０２５５】
任意選択的に、段階５０２は、ＭＭＥが、ＰＣＯを用いることにより、データサービススイッチのステータスおよび／またはサービス登録ステータスをパケットデータネットワークゲートウェイＰＧＷへ転送する段階を含み得る。
【０２５６】
本願の本実施形態において、具体的には、ＭＭＥが、ＰＣＯを用いることにより、データサービススイッチのステータスおよび／またはサービス登録ステータスをＳＧＷへトランスペアレントに伝送し（トランスペアレントな伝送は、ＰＣＯが伝送プロセスにおいて処理されないことを意味する）、次に、ＳＧＷが、ＰＣＯを用いることにより、データサービススイッチのステータスおよび／またはサービス登録ステータスをＰＧＷへトランスペアレントに伝送する。ＵＥは、ＰＣＯを用いることにより、ＵＥのデータサービススイッチのステータスおよび／またはサービス登録ステータスを伝送し、それにより、伝送セキュリティを改善し得る。
【０２５７】
５０３：ＰＧＷがデータサービススイッチステータス指示情報および／またはサービス登録ステータス指示情報に基づいてデータサービススイッチのステータスおよび／またはＵＥのサービス登録ステータスを判断する段階である。
【０２５８】
本願の本実施形態において、ＰＧＷは、ＭＭＥにより送信されたデータサービススイッチステータス指示情報および／またはサービス登録ステータス指示情報を受信した後に、ＵＥのデータサービススイッチのステータスを示すために用いられるデータサービススイッチステータス指示情報に基づいて、ＵＥのデータサービススイッチのステータスを判断し、ＵＥのサービス登録ステータスを示すために用いられるサービス登録ステータス指示情報に基づいて、ＵＥのサービス登録ステータスを判断する。
【０２５９】
図５に示される方法の実行中、ＵＥは、データサービススイッチステータス指示情報および／またはサービス登録ステータス指示情報を含むサービス確立メッセージをＭＭＥへ送信し得、ＭＭＥは、データサービススイッチステータス指示情報および／またはサービス登録ステータス指示情報をＰＧＷへ転送し、ＰＧＷは、データサービススイッチステータス指示情報および／またはサービス登録ステータス指示情報に基づいて、ＵＥのデータサービススイッチのステータスおよび／またはサービス登録ステータスを判断する。ＵＥは、ＵＥのデータサービススイッチのステータスおよび／またはサービス登録ステータスをＰＧＷに通知し得る。
【０２６０】
図６を参照すると、図６は、本願の実施形態によるＵＥの概略構造図である。図６に示されるように、ＵＥ６００は、送信ユニット６０１を含み得る。
【０２６１】
送信ユニット６０１は、サービス確立メッセージをＭＭＥへ送信するように構成される。サービス確立メッセージは、データサービススイッチステータス指示情報および／またはサービス登録ステータス指示情報を含む。データサービススイッチステータス指示情報は、ＵＥのデータサービススイッチのステータスを示すために用いられる。データサービススイッチのステータスは、データサービススイッチがオンにされている、または、データサービススイッチがオフにされている、ということを含む。サービス登録ステータス指示情報は、ＵＥのサービス登録ステータスを示すために用いられる。
【０２６２】
図６に示されるＵＥの実行中、ＵＥは、ＭＭＥを用いることにより、ＵＥのデータサービススイッチのステータスおよび／またはサービス登録ステータスをＰＧＷに通知し得る。
【０２６３】
同じ発明概念に基づいて、問題を解決するためにＵＥにより用いられる原理は、本願の方法の実施形態におけるデータサービス制御方法と同様である。従って、ＵＥの実装については、方法の実装を参照されたい。繰り返される内容は、改めて説明されない。
【０２６４】
図７を参照すると、図７は、本願の実施形態によるＰＧＷの概略構造図である。図７に示されるＰＧＷ７００は、ＣＰＵなどの少なくとも１つのプロセッサ７０１と、少なくとも１つのネットワークインタフェース７０２と、メモリ７０３と、少なくとも１つの通信バス７０４とを含む。通信バス７０４は、これらのコンポーネントの間の接続および通信を実行するように構成される。ネットワークインタフェース７０２は、ファイバ分散データインタフェース（英語：Ｆｉｂｅｒ  Ｄｉｓｔｒｉｂｕｔｅｄ  Ｄａｔａ  Ｉｎｔｅｒｆａｃｅ、略して、ＦＤＤＩ）またはギガビットイーサネット（登録商標）（英語：Ｇｉｇａｂｉｔ  Ｅｔｈｅｒｎｅｔ（登録商標）、略して、ＧＥ）インタフェースなどの有線インタフェースであり得る。代替的に、ネットワークインタフェース７０２は、無線インタフェースであり得る。メモリ７０３は、ランダムアクセスメモリ（ＲＡＭ）、リードオンリメモリ（ＲＯＭ）、消去可能プログラマブルリードオンリメモリ（ＥＰＲＯＭまたはフラッシュメモリ）またはポータブルリードオンリメモリ（ＣＤ−ＲＯＭ）を含むが、それらに限定されない。プロセッサ７０１は、１または複数の中央処理装置（Ｃｅｎｔｒａｌ  Ｐｒｏｃｅｓｓｉｎｇ  Ｕｎｉｔ、略して、ＣＰＵ）を含み得る。プロセッサ７０１が１つのＣＰＵである場合、このＣＰＵは、シングルコアＣＰＵであり得るか、またはマルチコアＣＰＵであり得る。メモリ７０３は、プログラムおよびデータを記憶するように構成される。
【０２６５】
本願の本実施形態において、ネットワークインタフェース７０２は、ＵＥから来るか、またはＵＥへ向かう第１のデータパケットを受信するように構成される。
【０２６６】
プロセッサ７０１は、ユーザ機器ＵＥのデータサービススイッチのステータスを判断するように構成される。データサービススイッチのステータスは、データサービススイッチがオンにされている、または、データサービススイッチがオフにされている、ということを含む。
【０２６７】
プロセッサ７０１はさらに、プロセッサ７０１が、データサービススイッチのステータスが、データサービススイッチがオフにされている、ということであると判断し、ネットワークインタフェース７０２が、ＵＥから来るか、またはＵＥへ向かう第１のデータパケットを受信した後に、第１のデータパケットが指定されたタイプに属するかどうかを判断するように構成される。
【０２６８】
プロセッサ７０１はさらに、第１のデータパケットが指定されたタイプに属すると判断した場合、第１のデータパケットを転送するように構成される。
【０２６９】
プロセッサ７０１はさらに、第１のデータパケットが指定されたタイプに属さないと判断した場合、第１のデータパケットを破棄するように構成される。
【０２７０】
一実施形態において、プロセッサ７０１が、第１のデータパケットが指定されたタイプに属するかどうかを判断することは具体的には、プロセッサ７０１が、ＵＥのサービス登録ステータスはＩＭＳ登録状態であると判断した場合、プロセッサ７０１が、第１のデータパケットが指定されたタイプに属するかどうかを判断することである。
【０２７１】
一実施形態において、プロセッサ７０１はさらに、ＵＥのサービス登録ステータスがＩＭＳ登録状態であると判断した後、ＵＥのデータサービススイッチのステータスが、データサービススイッチがオフにされている、ということである場合、ネットワークインタフェース７０２を用いることにより、第１のステータス通知メッセージをＩＰマルチメディアサブシステムＩＭＳネットワークへ送信するように構成される。第１のステータス通知メッセージは、ＵＥのデータサービススイッチのステータスが、データサービススイッチがオフにされている、ということであるとＩＭＳネットワークに通知するために用いられる。
【０２７２】
一実施形態において、プロセッサ７０１はさらに、第１のデータパケットを転送した後に、ネットワークインタフェース７０２を用いることにより、ＵＥのデータサービススイッチのステータスが、データサービススイッチがオフにされている、ということであると課金システムに通知するように構成される。
【０２７３】
一実施形態において、プロセッサ７０１が、ネットワークインタフェース７０２を用いることにより、ＵＥのデータサービススイッチのステータスが、データサービススイッチがオフにされている、ということであると課金システムに通知することは具体的には、プロセッサ７０１が、第１のデータパケットに従って生成された課金データ記録ＣＤＲに第１の指示情報を追加することであって、第１の指示情報は、ＵＥのデータサービススイッチがオフにされていることを課金システムに通知するために用いられる、追加すること、または、プロセッサ７０１が、第１のクレジット制御要求ＣＣＲメッセージにおいて、ＵＥのデータサービススイッチがオフにされていることを課金システムに通知することである。
【０２７４】
一実施形態において、プロセッサ７０１が、第１のデータパケットが指定されたタイプに属するかどうかを判断することは具体的には、プロセッサ７０１が、第１のデータパケットが、ＵＥによりＩＭＳアクセスポイント名ＡＰＮに対応するパケットデータネットワークＰＤＮネットワークへ送信されるアップリンクデータパケットまたはＩＭＳ  ＡＰＮに対応するＰＤＮネットワークによりＵＥへ送信されるダウンリンクデータパケット、指定されたサービスサーバのアドレスから来てＵＥへ向かうデータパケット、ＩＰアドレスを管理するために用いられるデータパケットおよび指定されたサービスタイプのデータパケットのうちの１つまたは複数を含むかどうかを判断することである。
【０２７５】
一実施形態において、プロセッサ７０１が、第１のデータパケットが指定されたサービスタイプのデータパケットであるかどうかを判断することは具体的には、プロセッサ７０１が、第１のデータパケットに対してディープパケットインスペクションＤＰＩを実行し、第１のデータパケットが指定されたサービスタイプのデータパケットであるかどうかを判断すること、または、プロセッサ７０１が、第１のデータパケットに含まれるサービスタイプ指示情報に基づいて、第１のデータパケットが指定されたサービスタイプのデータパケットであるかどうかを判断することである。
【０２７６】
一実施形態において、ネットワークインタフェース７０２はさらに、ＵＥから来るか、またはＵＥへ向かう第２のデータパケットを受信するように構成され、プロセッサ７０１はさらに、プロセッサ７０１が、データサービススイッチのステータスが、データサービススイッチがオフにされている状態から、データサービススイッチがオンにされている状態に切り換えられたと判断し、ネットワークインタフェース７０２が、ＵＥから来るか、またはＵＥへ向かう第２のデータパケットを受信した後に、第２のデータパケットを転送するように構成される。
【０２７７】
一実施形態において、プロセッサ７０１はさらに、ＵＥのサービス登録ステータスはＩＭＳ登録状態であると判断した後、ＵＥのデータサービススイッチのステータスが、データサービススイッチがオンにされている、ということである場合、ネットワークインタフェース７０２を用いることにより、第２のステータス通知メッセージをＩＰマルチメディアサブシステムＩＭＳネットワークへ送信するように構成される。第２のステータス通知メッセージは、ＵＥのデータサービススイッチのステータスが、データサービススイッチがオンにされている、ということであるとＩＭＳネットワークに通知するために用いられる。
【０２７８】
一実施形態において、プロセッサ７０１はさらに、第２のデータパケットを転送した後に、ネットワークインタフェース７０２を用いることにより、ＵＥのデータサービススイッチのステータスが、データサービススイッチがオンにされている、ということであると課金システムに通知するように構成される。
【０２７９】
一実施形態において、ネットワークインタフェース７０２を用いることにより、ＵＥのデータサービススイッチのステータスが、データサービススイッチがオンにされている、ということであると課金システムに通知するためにプロセッサ７０１により用いられる方式は具体的には、プロセッサ７０１が、第２のデータパケットに従って生成された課金データ記録ＣＤＲに第２の指示情報を追加することであって、第２の指示情報は、ＵＥのデータサービススイッチがオンにされていることを課金システムに通知するために用いられる、追加すること、または、プロセッサ７０１が、第２のＣＣＲメッセージにおいて、ＵＥのデータサービススイッチがオンにされていることを課金システムに通知することである。
【０２８０】
一実施形態において、ネットワークインタフェース７０２さらに、ＵＥから来るか、またはＵＥへ向かう第３のデータパケットを受信するように構成され、プロセッサ７０１はさらに、プロセッサ７０１が、データサービススイッチのステータスが、データサービススイッチがオフにされている状態から、データサービススイッチがオンにされている状態に切り換えられたと判断し、ネットワークインタフェース７０２が、ＵＥから来るか、またはＵＥへ向かう第３のデータパケットを受信した後に、第３のデータパケットを転送し、第３のデータパケットに従って生成されたＣＤＲに第３の指示情報を追加するように構成される。第３の指示情報は、ＵＥのデータサービススイッチがオンにされていることを課金システムに通知するために用いられる。
【０２８１】
一実施形態において、プロセッサ７０１が、ＵＥのデータサービススイッチのステータスを判断することは具体的には、プロセッサ７０１が、ＵＥによりモビリティ管理エンティティＭＭＥを用いることにより送信されたプロトコル構成オプションＰＣＯを受信することである。ＰＣＯは、データサービススイッチステータス指示情報を含む。データサービススイッチステータス指示情報は、ＵＥのデータサービススイッチのステータスを示すために用いられる。
【０２８２】
図７に示されるＰＧＷの実行中、データサービススイッチのステータスが、データサービススイッチがオフにされている、になった後に、ＵＥから来るか、またはＵＥへ向かう不要なデータパケットが破棄され得、それにより、ＵＥに対する不要な課金が回避され、ＵＥのデータトラフィックが節約される。加えて、必要なデータパケット（指定されたタイプのデータパケットまたはＩＰアドレスを管理するために用いられるデータパケット）が、重要なサービスおよびＩＰアドレスの管理に影響を与えることなく、連続的に転送される。
【０２８３】
図７ａを参照すると、図７ａは、本願の実施形態による別のＰＧＷの概略構造図である。図７ａに示されるＰＧＷ７００は、ＣＰＵなどの少なくとも１つのプロセッサ７０１と、少なくとも１つのネットワークインタフェース７０２と、メモリ７０３と、少なくとも１つの通信バス７０４とを含む。通信バス７０４は、これらのコンポーネントの間の接続および通信を実装するように構成される。ネットワークインタフェース７０２は、ファイバ分散データインタフェース（英語：Ｆｉｂｅｒ  Ｄｉｓｔｒｉｂｕｔｅｄ  Ｄａｔａ  Ｉｎｔｅｒｆａｃｅ、略して、ＦＤＤＩ）またはギガビットイーサネット（登録商標）（英語：Ｇｉｇａｂｉｔ  Ｅｔｈｅｒｎｅｔ（登録商標）、略して、ＧＥ）インタフェースなどの有線インタフェースであり得る。代替的に、ネットワークインタフェース７０２は、無線インタフェースであり得る。メモリ７０３は、ランダムアクセスメモリ（ＲＡＭ）、リードオンリメモリ（ＲＯＭ）、消去可能プログラマブルリードオンリメモリ（ＥＰＲＯＭまたはフラッシュメモリ）またはポータブルリードオンリメモリ（ＣＤ−ＲＯＭ）を含むが、それらに限定されない。プロセッサ７０１は、１または複数の中央処理装置（Ｃｅｎｔｒａｌ  Ｐｒｏｃｅｓｓｉｎｇ  Ｕｎｉｔ、略して、ＣＰＵ）を含み得る。プロセッサ７０１が１つのＣＰＵである場合、このＣＰＵは、シングルコアＣＰＵであり得るか、またはマルチコアＣＰＵであり得る。メモリ７０３は、プログラムおよびデータを記憶するように構成される。
【０２８４】
本願の本実施形態において、ネットワークインタフェース７０２は、ＵＥから来るか、またはＵＥへ向かう第１のデータパケットを受信するように構成される。
【０２８５】
プロセッサ７０１は、第１のデータパケットを転送するように構成される。
【０２８６】
プロセッサ７０１はさらに、第１のデータパケットが指定されたタイプに属するかどうかを判断するように構成される。
【０２８７】
プロセッサ７０１はさらに、第１のデータパケットが指定されたタイプに属する場合、第１のデータパケットに従って生成された課金データ記録ＣＤＲに第４の指示情報を追加するように構成される。第４の指示情報は、第１のデータパケットに課金しないよう課金システムに命令するために用いられる。
【０２８８】
一実施形態において、プロセッサ７０１が、第１のデータパケットが指定されたタイプに属するかどうかを判断することは具体的には、プロセッサ７０１が、第１のデータパケットが、ＵＥによりＩＭＳアクセスポイント名ＡＰＮに対応するパケットデータネットワークＰＤＮネットワークへ送信されるアップリンクデータパケットまたはＩＭＳ  ＡＰＮに対応するＰＤＮネットワークによりＵＥへ送信されるダウンリンクデータパケット、指定されたサービスサーバのアドレスから来てＵＥへ向かうデータパケット、ＩＰアドレスを管理するために用いられるデータパケットおよび指定されたサービスタイプのデータパケットのうちの１つまたは複数を含むかどうかを判断することである。
【０２８９】
一実施形態において、第１のデータパケットが指定されたサービスタイプのデータパケットであるかどうかを判断するためにプロセッサ７０１により用いられる方式は具体的には、プロセッサ７０１が、第１のデータパケットに対してディープパケットインスペクションＤＰＩを実行し、第１のデータパケットが指定されたサービスタイプのデータパケットであるかどうかを判断すること、または、プロセッサ７０１が、第１のデータパケットに含まれるサービスタイプ指示情報に基づいて、第１のデータパケットが指定されたサービスタイプのデータパケットであるかどうかを判断することである。
【０２９０】
一実施形態において、プロセッサ７０１はさらに、第１のデータパケットを転送する前に、ユーザ機器ＵＥのデータサービススイッチのステータスが、データサービススイッチがオフにされている、ということであると判断するように構成される。
【０２９１】
一実施形態において、プロセッサ７０１はさらに、ユーザ機器ＵＥのデータサービススイッチのステータスが、データサービススイッチがオフにされている、ということであると判断した後に、第１のデータパケットに従って生成された課金データ記録ＣＤＲに第１の指示情報を追加するように構成される。第１の指示情報は、ＵＥのデータサービススイッチがオフにされていることを課金システムに通知するために用いられる。
【０２９２】
図７ａに示されるＰＧＷの実行中、ＰＧＷは、ＵＥのデータサービススイッチのステータスが変わった場合、課金システムに通知し得、課金システムは、ＵＥに対して課金するかどうかを判断するために、データサービススイッチがオフになっている間にＵＥがＩＭＳ免除サービスを用いているかどうかを判断し、データサービススイッチがオフである間にＵＥがＩＭＳ免除サービスを用いている場合、課金システムは、ＵＥに対して課金し、またはそうでない場合、課金システムは、ＵＥに対して課金しない。
【０２９３】
図７ｂを参照すると、図７ｂは、本願の実施形態による別のＰＧＷの概略構造図である。図７ｂに示されるＰＧＷ７００は、ＣＰＵなどの少なくとも１つのプロセッサ７０１と、少なくとも１つのネットワークインタフェース７０２と、メモリ７０３と、少なくとも１つの通信バス７０４とを含む。通信バス７０４は、これらのコンポーネントの間の接続および通信を実装するように構成される。ネットワークインタフェース７０２は、ファイバ分散データインタフェース（英語：Ｆｉｂｅｒ  Ｄｉｓｔｒｉｂｕｔｅｄ  Ｄａｔａ  Ｉｎｔｅｒｆａｃｅ、略して、ＦＤＤＩ）またはギガビットイーサネット（登録商標）（英語：Ｇｉｇａｂｉｔ  Ｅｔｈｅｒｎｅｔ（登録商標）、略して、ＧＥ）インタフェースなどの有線インタフェースであり得る。代替的に、ネットワークインタフェース７０２は、無線インタフェースであり得る。メモリ７０３は、ランダムアクセスメモリ（ＲＡＭ）、リードオンリメモリ（ＲＯＭ）、消去可能プログラマブルリードオンリメモリ（ＥＰＲＯＭまたはフラッシュメモリ）またはポータブルリードオンリメモリ（ＣＤ−ＲＯＭ）を含むが、それらに限定されない。プロセッサ７０１は、１または複数の中央処理装置７０１（Ｃｅｎｔｒａｌ  Ｐｒｏｃｅｓｓｉｎｇ  Ｕｎｉｔ、略して、ＣＰＵ）を含み得る。プロセッサ７０１が１つのＣＰＵである場合、このＣＰＵは、シングルコアＣＰＵであり得るか、またはマルチコアＣＰＵであり得る。メモリ７０３は、プログラムおよびデータを記憶するように構成される。
【０２９４】
本願の本実施形態において、ネットワークインタフェース７０２は、ＵＥから来るか、またはＵＥへ向かう第１のデータパケットを受信するように構成される。
【０２９５】
プロセッサ７０１は、ユーザ機器ＵＥのデータサービススイッチのステータスを判断するように構成される。データサービススイッチのステータスは、データサービススイッチがオンにされている、または、データサービススイッチがオフにされている、ということを含む。
【０２９６】
プロセッサ７０１はさらに、データサービススイッチのステータスが、データサービススイッチがオフにされている、ということであり、ネットワークインタフェース７０２が、ＵＥから来るか、またはＵＥへ向かう第１のデータパケットを受信した後に、第１のデータパケットを転送し、第１のデータパケットに従って生成された課金データ記録ＣＤＲに第１の指示情報を追加するように構成される。第１の指示情報は、ＵＥのデータサービススイッチがオフにされていることを課金システムに通知するために用いられる。
【０２９７】
一実施形態において、プロセッサ７０１はさらに、第１のデータパケットを転送する前に、ＵＥのサービス登録ステータスがＩＭＳ登録状態であることを判断するように構成される。
【０２９８】
一実施形態において、ネットワークインタフェース７０２はさらに、ＵＥから来るか、またはＵＥへ向かう第２のデータパケットを受信するように構成され、プロセッサ７０１はさらに、データサービススイッチのステータスが、データサービススイッチがオンにされている、ということであり、ネットワークインタフェース７０２が、ＵＥから来るか、またはＵＥへ向かう第２のデータパケットを受信した後に、第２のデータパケットを転送し、第２のデータパケットに従って生成されたＣＤＲに第２の指示情報を追加するように構成される。第２の指示情報は、ＵＥのデータサービススイッチがオンにされていることを課金システムに通知するために用いられる。
【０２９９】
図７ｂに示されるＰＧＷの実行中、ＵＥのデータサービススイッチがオフにされた後、ＰＧＷは、ＵＥから来るか、またはＵＥへ向かう第１のデータパケットを受信した後に、第１のデータパケットを直接転送し、第１のデータパケットには課金しないが、ＵＥのデータサービススイッチがオフにされていることを課金システムに通知する。これにより、課金システムは、ＵＥのデータサービススイッチがオフにされた後に用いられる課金基準に従って、第１のデータパケットに課金する。ＵＥのデータサービススイッチのステータスが、オフにされている、から、オンにされている、に切り換えられた後に、課金システムは、ＵＥのデータサービススイッチがオンにされていることを通知される。これにより、課金システムは、ＵＥのデータサービススイッチがオンにされた後に用いられる課金基準に従って、第２のデータパケットに課金する。
【０３００】
図８を参照すると、図８は、本願の実施形態による別のＵＥの概略構造図である。図８に示されるＵＥ８００は、ＣＰＵなどの少なくとも１つのプロセッサ８０１と、少なくとも１つのネットワークインタフェース８０２と、メモリ８０３と、少なくとも１つの通信バス８０４とを含む。通信バス８０４は、これらのコンポーネントの間の接続および通信を実装するように構成される。ネットワークインタフェース８０２は、ファイバ分散データインタフェース（英語：Ｆｉｂｅｒ  Ｄｉｓｔｒｉｂｕｔｅｄ  Ｄａｔａ  Ｉｎｔｅｒｆａｃｅ、略して、ＦＤＤＩ）またはギガビットイーサネット（登録商標）（英語：Ｇｉｇａｂｉｔ  Ｅｔｈｅｒｎｅｔ（登録商標）、略して、ＧＥ）インタフェースなどの有線インタフェースであり得る。代替的に、ネットワークインタフェース８０２は、無線インタフェースであり得る。メモリ８０３は、ランダムアクセスメモリ（ＲＡＭ）、リードオンリメモリ（ＲＯＭ）、消去可能プログラマブルリードオンリメモリ（ＥＰＲＯＭまたはフラッシュメモリ）またはポータブルリードオンリメモリ（ＣＤ−ＲＯＭ）を含むが、それらに限定されない。プロセッサ８０１は、１または複数の中央処理装置（Ｃｅｎｔｒａｌ  Ｐｒｏｃｅｓｓｉｎｇ  Ｕｎｉｔ、略して、ＣＰＵ）を含み得る。プロセッサ８０１が１つのＣＰＵである場合、このＣＰＵは、シングルコアＣＰＵであり得るか、またはマルチコアＣＰＵであり得る。メモリ８０３は、プログラムおよびデータを記憶するように構成される。
【０３０１】
本願の本実施形態において、ネットワークインタフェース８０２は、サービス確立メッセージをＭＭＥへ送信するように構成される。
【０３０２】
プロセッサ８０１は、ネットワークインタフェース８０２を用いることにより、サービス確立メッセージをＭＭＥへ送信するように構成される。
【０３０３】
サービス確立メッセージは、データサービススイッチステータス指示情報および／またはサービス登録ステータス指示情報を含む。データサービススイッチステータス指示情報および／またはサービス登録ステータス指示情報は、ＰＧＷにより受信される、ＵＥから来るか、またはＵＥへ向かう第１のデータパケットを破棄するかどうかを判断するために、ＰＧＷにより用いられる。データサービススイッチステータス指示情報は、ＵＥのデータサービススイッチのステータスを示すために用いられる。データサービススイッチのステータスは、データサービススイッチがオンにされている、または、データサービススイッチがオフにされている、ということを含む。サービス登録ステータス指示情報は、ＵＥのサービス登録ステータスを示すために用いられる。
【０３０４】
一実施形態において、ＵＥのサービス登録ステータスは、ＣＳＦＢ複合登録のみの状態、ＩＭＳ登録状態、またはＥＰＳ登録のみの状態を含む。ＣＳＦＢ複合登録のみの状態は、登録プロセスにおいて、ＵＥが、回線交換ＣＳネットワークおよびＥＰＳネットワークの両方に登録されているが、ＩＭＳネットワークには登録されていない状態を含む。
【０３０５】
一実施形態において、プロセッサ８０１はさらに、ＵＥのデータサービススイッチのステータスが変わったかどうかを判断するように構成され、プロセッサ８０１はさらに、ＵＥのサービス登録ステータスが変わったかどうかを判断するように構成され、プロセッサ８０１が、ネットワークインタフェース８０２を用いることによりサービス確立メッセージをＭＭＥへ送信することは具体的には、プロセッサ８０１が、データサービススイッチのステータスが変わったと判断した場合、プロセッサ８０１が、ネットワークインタフェース８０２を用いることにより、データサービススイッチステータス指示情報を含むサービス確立メッセージをＭＭＥへ送信すること、または、プロセッサ８０１が、サービス登録ステータスが変わったと判断した場合、プロセッサ８０１が、ネットワークインタフェース８０２を用いることにより、サービス登録ステータス指示情報を含むサービス確立メッセージをＭＭＥへ送信すること、または、プロセッサ８０１が、データサービススイッチのステータスおよびサービス登録ステータスの両方が変わったと判断した場合、プロセッサ８０１が、ネットワークインタフェース８０２を用いることにより、データサービススイッチステータス指示情報およびサービス登録ステータス指示情報を含むサービス確立メッセージをＭＭＥへ送信することである。
【０３０６】
一実施形態において、プロセッサ８０１はさらに、デフォルトＡＰＮ  ＰＤＮ接続が正常に確立されているかどうかを判断するように構成され、プロセッサ８０１はさらに、ＣＳＦＢ複合登録が完了しているかどうかを判断するように構成され、プロセッサ８０１が、ネットワークインタフェース８０２を用いることによりサービス確立メッセージをＭＭＥへ送信することは具体的には、プロセッサ８０１が、デフォルトＡＰＮ  ＰＤＮ接続が正常に確立されていると判断し、ＣＳＦＢ複合登録が完了していると判断した場合、プロセッサ８０１が、ネットワークインタフェース８０２を用いることにより、サービス確立メッセージをＭＭＥへ送信することである。サービス確立メッセージは、サービス登録ステータス指示情報を含む。サービス登録ステータス指示情報は、ＵＥのサービス登録ステータスがＣＳＦＢ複合登録のみの状態であることを示すために用いられる。
【０３０７】
一実施形態において、プロセッサ８０１はさらに、ＩＭＳ  ＡＰＮ  ＰＤＮ接続が正常に確立されているかどうかを判断するように構成され、プロセッサ８０１はさらに、ＩＭＳ登録が成功しているかどうかを判断するように構成され、プロセッサ８０１が、ネットワークインタフェース８０２を用いることによりサービス確立メッセージをＭＭＥへ送信することは具体的には、プロセッサ８０１が、ＩＭＳ  ＡＰＮ  ＰＤＮ接続が正常に確立されていると判断し、ＩＭＳ登録が成功していると判断した場合、プロセッサ８０１が、ネットワークインタフェース８０２を用いることにより、サービス確立メッセージをＭＭＥへ送信することである。サービス確立メッセージは、サービス登録ステータス指示情報を含む。サービス登録ステータス指示情報は、ＵＥのサービス登録ステータスがＩＭＳ登録状態であることを示すために用いられる。
【０３０８】
一実施形態において、サービス確立メッセージは、プロトコル構成オプションＰＣＯを含み、ＰＣＯは、データサービススイッチステータス指示情報および／またはサービス登録ステータス指示情報を含む。
【０３０９】
一実施形態において、サービス確立メッセージは、アタッチ要求メッセージ、ベアラリソース変更メッセージおよびＰＤＮ接続確立要求メッセージのうちの１つまたは複数を含み得る。アタッチ要求メッセージは、データサービススイッチステータス指示情報を含み、ベアラリソース変更メッセージは、データサービススイッチステータス指示情報および／またはサービス登録ステータス指示情報を含み、ＰＤＮ接続確立要求メッセージは、データサービススイッチステータス指示情報および／またはサービス登録ステータス指示情報を含む。
【０３１０】
一実施形態において、プロセッサ８０１はさらに、ＵＥがロングタームエボリューションネットワークから２／３Ｇネットワークに移る場合、ネットワークインタフェース８０２を用いることにより２／３Ｇネットワークにアクセスするように構成され、プロセッサ８０１はさらに、ＵＥのデータサービススイッチのステータスが、データサービススイッチがオフにされている、ということであると判断した場合、ＵＥのＰＤＰコンテキストを削除するために、ネットワークインタフェース８０２を用いることによりパケットデータプロトコルＰＤＰ非アクティブ化メッセージを２／３ＧネットワークのサービングＧＰＲＳサポートノードＳＧＳＮへ送信するように構成されるか、または、プロセッサ８０１はさらに、ネットワークインタフェース８０２を用いることによりルーティングエリア更新メッセージを２／３ＧネットワークのサービングＧＰＲＳサポートノードＳＧＳＮへ送信するように構成される。ルーティングエリア更新メッセージは、ＵＥのデータサービススイッチのステータスを保持する。
【０３１１】
一実施形態において、プロセッサ８０１はさらに、ＵＥが２／３Ｇネットワークからロングタームエボリューションネットワークに移る場合、ネットワークインタフェース８０２を用いることによりロングタームエボリューションネットワークにアクセスするように構成され、プロセッサ８０１はさらに、ＵＥのデータサービススイッチのステータスが、データサービススイッチがオフにされている、ということであると判断した場合、ネットワークインタフェース８０２を用いることによりアタッチメッセージをＭＭＥへ送信するように構成される。
【０３１２】
図８に示されるＵＥの実行中、ＵＥは、データサービススイッチのステータスおよび／またはＵＥのサービス登録ステータスをＰＧＷに通知し得る。
【０３１３】
当業者であれば、上述の実施形態の各方法における段階の全部または一部は、関連するハードウェアに命令するプログラムにより実装され得ることを理解し得る。プログラムは、コンピュータ可読記憶媒体に記憶され得る。記憶媒体は、リードオンリメモリ（英語：Ｒｅａｄ−Ｏｎｌｙ  Ｍｅｍｏｒｙ、略して、ＲＯＭ）、ランダムアクセスメモリ（英語：Ｒａｎｄｏｍ  Ａｃｃｅｓｓ  Ｍｅｍｏｒｙ、略して、ＲＡＭ）、プログラマブルリードオンリメモリ（英語：Ｐｒｏｇｒａｍｍａｂｌｅ  Ｒｅａｄ−Ｏｎｌｙ  Ｍｅｍｏｒｙ、略して、ＰＲＯＭ）、消去可能プログラマブルリードオンリメモリ（英語：Ｅｒａｓａｂｌｅ  Ｐｒｏｇｒａｍｍａｂｌｅ  Ｒｅａｄ  Ｏｎｌｙ  Ｍｅｍｏｒｙ、略して、ＥＰＲＯＭ）、ワンタイムプログラマブルリードオンリメモリ（英語：Ｏｎｅ−Ｔｉｍｅ  Ｐｒｏｇｒａｍｍａｂｌｅ  Ｒｅａｄ−Ｏｎｌｙ  Ｍｅｍｏｒｙ、略して、ＯＴＰＲＯＭ）、電気的消去可能プログラマブルリードオンリメモリ（英語：Ｅｌｅｃｔｒｉｃａｌｌｙ−Ｅｒａｓａｂｌｅ  Ｐｒｏｇｒａｍｍａｂｌｅ  Ｒｅａｄ−Ｏｎｌｙ  Ｍｅｍｏｒｙ、略して、ＥＥＰＲＯＭ）  、コンパクトディスクリードオンリメモリ（英語：Ｃｏｍｐａｃｔ  Ｄｉｓｃ  Ｒｅａｄ−Ｏｎｌｙ  Ｍｅｍｏｒｙ、略して、ＣＤ−ＲＯＭ）もしくは別の光ディスクメモリ、磁気ディスクメモリおよび磁気テープメモリまたはデータを保持または記憶するように構成され得る任意の他のコンピュータ可読媒体を含む。
【０３１４】
本願の本実施形態において開示されるデータサービス制御方法および関連するデバイスは、上記で詳細に説明されている。本願の原理および実装は、特定の例を通じて、本明細書において説明されている。実施形態についての説明は、本願の方法および核となる思想の理解を助けるために提供されているに過ぎない。加えて、当業者であれば、本願の思想に基づいて、特定の実装形態および適用範囲に関する本願の修正を行い得る。要約すると、本明細書の内容は、本願の限定として解釈されないものとする。
【図１】
2020061757.tif 000003
【図２ａ】
2020061757.tif 000004
【図２ｂ】
2020061757.tif 000005
【図２ｃ】
2020061757.tif 000006
【図３】
2020061757.tif 000007
【図４】
2020061757.tif 000008
【図４ａ】
2020061757.tif 000009
【図４ｂ】
2020061757.tif 000010
【図５】
2020061757.tif 000011
【図６】
2020061757.tif 000012
【図７】
2020061757.tif 000013
【図７ａ】
2020061757.tif 000014
【図７ｂ】
2020061757.tif 000015
【図８】
2020061757.tif 000016
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
ゲートウェイが、ユーザ機器（ＵＥ）のデータサービススイッチのステータスを判断する段階であって、前記データサービススイッチの前記ステータスは、前記データサービススイッチがオンにされている、または、前記データサービススイッチがオフにされている、ということを含む、段階と、
前記データサービススイッチの前記ステータスが、前記データサービススイッチがオフにされている場合、前記ゲートウェイは、データパケットが指定されたサービスタイプに属するかどうかを判断する段階と、
前記ゲートウェイが、前記データパケットに従って生成された課金データ記録を課金システムに送信する段階であって、前記課金データ記録は、前記ＵＥのデータサービススイッチがオフにされていることを前記課金システムに通知する指示情報を含む、段階と、
を備える、方法。
【請求項２】
前記ＵＥの前記データサービススイッチの前記ステータスを判断することが、
前記ゲートウェイが、モビリティ管理エンティティからプロトコル構成オプションを受信する段階であって、前記プロトコル構成オプションは、データサービススイッチステータス指示情報を含み、前記データサービススイッチステータス指示情報は、前記ＵＥの前記データサービススイッチの前記ステータスを示す、段階を含む、請求項１に記載の方法。
【請求項３】
ゲートウェイが、ユーザ機器（ＵＥ）のデータサービススイッチのステータスを判断する段階であって、前記データサービススイッチの前記ステータスは、前記データサービススイッチがオンにされている、または、前記データサービススイッチがオフにされている、ということを含む、段階と、
前記データサービススイッチの前記ステータスが、前記データサービススイッチがオフにされている場合、前記ゲートウェイは、データパケットが指定されたサービスタイプに属するかどうかを判断する段階と、
前記ゲートウェイが、前記データパケットに従って生成された課金データ記録を課金システムに送信する段階であって、前記課金データ記録は、前記ＵＥのデータサービススイッチがオフにされていることを前記課金システムに通知する指示情報を含む、段階と、
前記課金システムが、前記課金データ記録を受信する段階と、
前記課金システムが、前記指示情報に従って前記データパケットを課金する段階と、
を含む、方法。
【請求項４】
前記ＵＥの前記データサービススイッチの前記ステータスを判断することが、
前記ゲートウェイが、モビリティ管理エンティティからプロトコル構成オプションを受信する段階であって、前記プロトコル構成オプションは、データサービススイッチステータス指示情報を含み、前記データサービススイッチステータス指示情報は、前記ＵＥの前記データサービススイッチの前記ステータスを示す、段階を含む、請求項３に記載の方法。
【請求項５】
前記データパケットが、前記課金システムによって課金されないデータパケットである、請求項３または４に記載の方法。
【請求項６】
メモリに結合される少なくとも１つのプロセッサを含む装置であって、前記少なくとも１つのプロセッサは、前記メモリに保存される命令を実行するように構成され、前記装置が、
ユーザ機器（ＵＥ）のデータサービススイッチのステータスを判断することであって、前記データサービススイッチの前記ステータスは、前記データサービススイッチがオンにされている、または、前記データサービススイッチがオフにされている、ということを含む、判断することと、
前記データサービススイッチの前記ステータスが、前記データサービススイッチがオフにされている場合、データパケットが指定されたサービスタイプに属するかどうかを判断することと、
前記データパケットに従って生成された課金データ記録を課金システムに送信することであって、前記課金データ記録は、前記ＵＥのデータサービススイッチがオフにされていることを前記課金システムに通知する指示情報を含む、送信することと、
の演算を行うことを可能にする、装置。
【請求項７】
前記ＵＥの前記データサービススイッチの前記ステータスを判断することが、
モビリティ管理エンティティからプロトコル構成オプションを受信することであって、前記プロトコル構成オプションは、データサービススイッチステータス指示情報を含み、前記データサービススイッチステータス指示情報は、前記ＵＥの前記データサービススイッチの前記ステータスを示す、受信することを含む、請求項６に記載の装置。
【請求項８】
デバイスの少なくとも１つのプロセッサによって実行されるプログラムであって、前記プログラムは、
ユーザ機器（ＵＥ）のデータサービススイッチのステータスを判断することであって、前記データサービススイッチの前記ステータスは、前記データサービススイッチがオンにされている、または、前記データサービススイッチがオフにされている、ということを含む、判断することと、
前記データサービススイッチの前記ステータスが、前記データサービススイッチがオフにされている場合、データパケットが指定されたサービスタイプに属するかどうかを判断することと、
前記データパケットに従って生成された課金データ記録を課金システムに送信することであって、前記課金データ記録は、前記ＵＥのデータサービススイッチがオフにされていることを前記課金システムに通知する指示情報を含む、送信することと、
の演算を前記デバイスに実行させる命令を含む、プログラム。
【請求項９】
前記ＵＥの前記データサービススイッチの前記ステータスを判断することが、
モビリティ管理エンティティからプロトコル構成オプションを受信することであって、前記プロトコル構成オプションは、データサービススイッチステータス指示情報を含み、前記データサービススイッチステータス指示情報は、前記ＵＥの前記データサービススイッチの前記ステータスを示す、受信することを含む、請求項８に記載のプログラム。
【請求項１０】
ゲートウェイおよび課金システムを含むシステムであって、前記ゲートウェイは、メモリに結合される少なくとも１つのプロセッサを含み、前記少なくとも１つのプロセッサは、前記メモリに保存される命令を実行するように構成され、装置が、
ユーザ機器（ＵＥ）のデータサービススイッチのステータスを判断することであって、前記データサービススイッチの前記ステータスは、前記データサービススイッチがオンにされている、または、前記データサービススイッチがオフにされている、ということを含む、判断することと、
前記データサービススイッチの前記ステータスが、前記データサービススイッチがオフにされている場合、データパケットが指定されたサービスタイプに属するかどうかを判断することと、
前記データパケットに従って生成された課金データ記録を前記課金システムに送信することであって、前記課金データ記録は、前記ＵＥのデータサービススイッチがオフにされていることを前記課金システムに通知する指示情報を含む、送信することと、
の演算を行うことを可能にする、システム。
【請求項１１】
前記課金システムが、前記課金データ記録を受信し、前記指示情報に従って前記データパケットに課金するように構成される、請求項１０に記載のシステム。
【請求項１２】
前記ＵＥの前記データサービススイッチの前記ステータスを判断することが、
モビリティ管理エンティティからプロトコル構成オプションを受信することであって、前記プロトコル構成オプションは、データサービススイッチステータス指示情報を含み、前記データサービススイッチステータス指示情報は、前記ＵＥの前記データサービススイッチの前記ステータスを示す、受信することを含む、請求項１０または１１に記載のシステム。
【請求項１３】
前記データパケットが、前記課金システムによって課金されないデータパケットである、請求項１０から１２のいずれか一項に記載のシステム。
【手続補正２】
【補正対象書類名】明細書
【補正対象項目名】００９０
【補正方法】変更
【補正の内容】
【００９０】
第１１の態様に関連して、第１１の態様の第１の実装形態において、ＵＥがロングタームエボリューションネットワークから２／３Ｇネットワークに移る場合、ＵＥは、２／３Ｇネットワークにアクセスし、プロセッサが、ＵＥのデータサービススイッチのステータスが、データサービススイッチがオフにされている、ということであると判断した場合、ＵＥは、ＵＥのＰＤＰコンテキストを削除するために、ネットワークインタフェースを用いることにより、パケットデータプロトコルＰＤＰ非アクティブ化メッセージを２／３ＧネットワークのサービングＧＰＲＳサポートノードＳＧＳＮへ送信するか、または、ネットワークインタフェースを用いることにより、ルーティングエリア更新メッセージを２／３ＧネットワークのサービングＧＰＲＳサポートノードＳＧＳＮへ送信する。ルーティングエリア更新メッセージは、ＵＥのデータサービススイッチのステータスを保持する。
【手続補正３】
【補正対象書類名】明細書
【補正対象項目名】００９１
【補正方法】変更
【補正の内容】
【００９１】
第１１の態様の第１の実装形態に関連して、第１１の態様の第２の実装形態において、ＵＥが２／３Ｇネットワークからロングタームエボリューションネットワークに移る場合、ＵＥは、ロングタームエボリューションネットワークにアクセスし、プロセッサが、ＵＥのデータサービススイッチのステータスが、データサービススイッチがオフにされている、ということであると判断した場合、ＵＥは、ネットワークインタフェースを用いることによりアタッチメッセージをＭＭＥへ送信する。
【手続補正４】
【補正対象書類名】明細書
【補正対象項目名】０１４５
【補正方法】変更
【補正の内容】
【０１４５】
ＤＰＩについては、データパケットに対応するＩＰ５−タプル（送信元ＩＰアドレス、送信元ポート、宛先ＩＰアドレス、宛先ＩＰポートおよびトランスポート層プロトコル）の分析に加え、アプリケーション分析、ユーザ分析、ネットワーク要素分析、トラフィック管理および制御ならびに同様のものがデータパケットに対してさらに実行され得る。
【手続補正５】
【補正対象書類名】明細書
【補正対象項目名】０２１０
【補正方法】変更
【補正の内容】
【０２１０】
ＤＰＩについては、データパケットに対応するＩＰ５−タプル（送信元ＩＰアドレス、送信元ポート、宛先ＩＰポート、宛先ＩＰアドレスおよびトランスポート層プロトコル）の分析に加え、アプリケーション分析、ユーザ分析、ネットワーク要素分析、トラフィック管理および制御ならびに同様のものがデータパケットに対してさらに実行され得る。
【外国語明細書】
2020061757000001.pdf